(57)【要約】      （修正有）【課題】無害無給油及び無休憩連続発電機技術の提供。【解決手段】水成分の水素成分の重水素を取り除いた軽水素トリチウム電子と酸素を融合した物質を、科学反応の酸素と軽水素の発電した電気を軽水素トリチウム電子ニッケルバッテリー装置に急速充電装置を使って充電出来る軽水素と酸素の化学反応を利用した燃料電池改良型の軽水素酸素の発電装置に掲載する。【選択図】図１
2011064060.tif 000002
【特許請求の範囲】
【請求項１】
本発明の、日本の国の全額借金返済と都道府県市町村区の全額借金返済の為に個人の知的所有財産の発明知的所有財産活動作品の軽水素酸素陽電子陰電子スパーク発電装置は、
発電物質を、水成分の水素成分の重水素を取り除いた軽水素トリチウム電子と酸素を融合した物質を、科学反応の酸素と軽水素の発電した電気を、軽水素トリチウム電子ニッ
ケルバッテリー装置に、急速充電装置を使って充電出来る軽水素と酸素の化学反応を利用した燃料電池改良型の軽水素酸素の発電装置を積載した、日本の弱者国民救済の地震
対応型の多機能発電ハウスシステム。
【請求項２】
本発明の、軽水素酸素陽電子陰電子スパーク発電装置は、燃料電池の水素酸素瞬間吸収物質の本田技研製の液体マグネシウムとトヨタ製の固形水素を、全く使用しないで、軽
水素と酸素の瞬間発電量を高める為に、特開2004ー304992号公報の圧電素子4電子磁気分割装置を使って、電気中の電気抵抗の無い電気を、軽水素酸素融合発電時に同時に電気
抵抗の無いプラス電気とマイナス電気を、瞬間に流して軽水素トリチウム電子の電子活動スピードを、速める事で、軽水素と酸素の融合化学反応発電量を、増幅させた装置を
積載した日本の弱者国民救済の地震対応型の多機能発電ハウスシステム。
【請求項３】
本発明の、軽水素酸素陽電子陰電子スパーク発電装置の軽水素酸素タンクの内壁は、世界初の新技術の燃料電池の液体マグネシウム内臓型の複数針穴空き軽水素トリチウム電子
入り圧電素子磁石体パネルを、軽水素酸素水タンクの内壁に内蔵させる事で、軽水素酸素タンクの発生する蒸気を、液体マグネシウムの軽水素と酸素の瞬間吸収発電物質に瞬
間連続発電出来る水素と酸素の瞬間吸収物質を、軽水素酸素タンクの内壁に内蔵積載した日本の弱者国民救済の地震対応型の多機能発電ハウスシステム。
【請求項４】
本発明の、軽水素酸素陽電子陰電子スパーク発電装置の発電後の軽水素酸素水を、瞬間に軽水素と酸素に分ける為に、世界初の新技術の高出力モーターを積載内蔵した超小型
遠心分離機コンプレッサー装置を、積載した日本の弱者国民救済の為の地震対応型の多機能発電ハウスシステム。
【請求項５】
本発明の、軽水素酸素陽電子陰電子スパーク発電装置を、連続作動させる為に、世界初の新技術の特願2006ー140535号公報の2連振子型機械式発電装置を、無給油の半永久連続
作動型の機械部品と高出力ダイナモを、内蔵積載した日本の弱者国民救済の為の地震対応型の多機能発電ハウスシステム。
【請求項６】
本発明の、軽水素酸素陽電子陰電子スパーク発電装置を、連続作動発電させた時に発生する軽水素酸素発電熱を世界で初めて熱を、軽水素トリチウム入り圧電素子磁石体微粒
子内蔵のシリコン熱吸収発電パネルを内蔵積載した日本の弱者国民救済の為の地震対応型の多機能発電ハウスシステム。
【請求項７】
本発明の、軽水素酸素陽電子陰電子スパーク発電装置に、積載する超小型水中ポンプは、世界初の新技術の高出力モーターと高出力電磁誘導発電装置を、内蔵積載した日本の
弱者国民救済の為の地震対応型の多機能発電ハウスシステムで有る。
【請求項８】
本発明の、軽水素酸素陽電子陰電子スパーク発電装置に、積載内臓する網目複数配管を、段々に網目複数目を増やす配管は遠心分離機の軽水素と酸素が分離出来なくても、水
蒸気の瞬間吸収発電出来る構造にする事で、軽水素酸素水を、低温水蒸気にして、陽電子陰電子スパーク発電量を上げる為の構造にした弱者国民救済の為の地震対応型の多機
能発電ハウスシステム。
【請求項９】
本発明の、軽水素酸素陽電子陰電子スパーク発電装置に積載するバッテリーは、ボルトナット解体組立方式の再利用バッテリー型のバッテリー内部掃除再利用型の世界初の圧
電素子4電子磁気分割装置の世界最速の急速充電装置を、内蔵したバッテリー装置を積載した弱者国民救済の為の地震対応型の多機能発電ハウスシステムで有る。
【請求項１０】
本発明の、軽水素酸素陽電子陰電子スパーク発電装置に、積載する軽水素スクリュー配管と酸素スクリュー配管は、軽水素スピードと酸素スピードを、上げる為の軽水素官と
酸素官を、スクリュー状にした世界初のストレート官からスクリュー官に変える事で、軽水素配管移動スピードと酸素配管スピードを、上げる事が、出来るスクリュー官を、
積載した弱者国民救済の為の地震対応型の多機能発電ハウスシステムで有る。
【請求項１１】
本発明の、電磁石は、鋼鉄磁石に世界初の技術の銅筒官に、軽水素トリチウム電子と、圧電素子磁石体を入れた電気の通り易い物質の電気配線にと少量のシリコン粒子と軽水
素トリチウムと圧電素子磁石体粒子を混合した膜を、軽水素トリチウム電子入り圧電素子配線に巻いた世界初の電気熱超微量発電出来るシリコン粒子に軽水素トリチウム電子
入り圧電磁石微粒子を内蔵した膜を、被せた配線に銅配線を被せた世界初の電気熱発電出来る世界初の銅コイル配線を、鋼鉄永久磁石または、鋼鉄装置に巻きつけた構造の電
磁石装置を、積載内臓した弱者国民救済の為の地震対応型の多機能発電ハウスシステムで有る。
【請求項１２】
本発明の、電磁石は、世界初の銅筒官配線に軽水素トリチウム電子入り圧電素子磁石体を入れた電気の通り易い物質で作った電気熱微量発電出来る銅筒官コイル配線を、電磁
石に巻きつけた構造に、軽水素トリチウム電子と圧電素子磁石微粒子と少量のシリコンシートを、電磁石の銅筒官コイル配線に被せて、鋼鉄板を、再び被せた、銅筒官コイル
配線内蔵の世界初の電磁石構造の電気熱微量発電出来る電磁石装置を、積載した弱者国民救済の為の地震対応型の多機能発電ハウスシステムで有る。
【請求項１３】
本発明の、永久磁石は、世界初の人工合成永久磁石で有り、複数穴空きの鋼鉄磁石の薄板と軽水素トリチウム電子入り圧電素子磁石体板を、交互に重ね合わせた、永久鋼鉄磁
石体の中では、世界最軽量の人工合成永久磁石体を、高出力電磁誘導発電装置の世界初の新技術を永久磁石に内蔵積載した弱者国民救済の為の地震対応型の多機能発電ハウス
システムで有る。
【請求項１４】
本発明の、高出力ダブル制御モーターは、世界初の新技術の鋼鉄モーターコイル枠の中央部分に、軽水素トリチウム入り圧電素子磁石体板を、モーターコイル板の中央部分を、
刳り貫いた場所に代わりに内蔵して、超薄板の鋼鉄板を被せて、銅筒官コイル軽水素トリチウム電子入り圧電素子磁石体粒子の超微量シリコンシート内蔵配線を、巻いた高出
力モーター軸に、もう一つの高出力ＤＣブラシレスインバータ制御モーターの世界初の合成永久磁石構造の複数穴空き超薄板鋼鉄磁石板と軽水素トリチウム電子入り圧電素子
磁石板を、交互に重ねた合成永久磁石構造と合成永久磁石に銅筒官配線を、巻いた高出力電磁石を、ＤＣブラシレスモーターの永久磁石と電磁石にした二つの高出力モーター
を、一つのモーター軸に取り付けたインバータモーター制御と配線電気量全自動調整出来るモーター電気流動制御装置の二つの高出力モーター制御装置を、一つのモーター軸
に纏めた世界初のダブル制御モーターを、積載した弱者国民救済の為の地震対応型の多機能発電ハウスシステムで有る。
【請求項１５】
本発明の、軽水素酸素水を、世界初の高出力高出力遠心分離機は、世界最新技術の高出力モーターの軽水素トリチウム電子入り、圧電素子磁石体板入り、モーター内コイル板
の鉄板部分の中心部分を刳り貫いた場所に、軽水素トリチウム電子入り圧電素子磁石体板を、代わりに内蔵させた上で、世界最新技術の銅筒官コイル配線の軽水素トリチウム
電子入り圧電素子磁石体粒子とシリコンと軽水素トリチウム電子と圧電素子磁石体粒子混合合成のシートの電気の通り易い物質で、作り上げた電気配線を、銅筒官コイル配線
を、被した世界初の電気の通り易い物質で作ったコイル配線と世界初の軽水素トリチウム電子入り圧電素子磁石体板に、鋼鉄超薄板のカバーを掛けたモーター内コイルに、銅
筒官コイル配線を巻いた世界初の高出力モーターで有り、電動モーター仕切り弁に、世界最新の高出力モーターを取り付けた全自動で軽水素と酸素を分離出来る装置を積載し
た弱者国民救済の為の地震対応型の多機能発電ハウスシステムで有る。
【請求項１６】
本発明の、地震対応型の多機能発電ハウスシステムの免振杭は、布網入りの強化ビニール装置を、免振杭装置の頭部分の基礎コンクリートが乗る部分に設置する事で、地震の
振動の急激な揺れを、避ける為の、世界初の免振杭の頭部分に、布網入り強化ビニールを、取り付けた世界初の免振杭を、世界初の免振杭装置を積載した弱者国民救済の為の
地震対応型の多機能発電ハウスシステムで有る。
【請求項１７】
本発明の、地震対応型の多機能発電ハウスシステムの地下水貯水槽構造は、地下水を、固形窒素パネルとグラスファイバー枠を、重ね合わせた合成パネルにする事で、地下水
を、固形窒素の温度まで下げる事を、可能にした世界初の地下貯水タンク槽の枠構造に固形窒素粒子枠を、グラスファイバー枠に、入れた世界初の地下水を、固形窒素粒子で、
冷やす構造の固形窒素冷却装置を、設置した弱者国民救済の為の地震対応型の多機能発電ハウスシステムで有る。
【請求項１８】
本発明の、地震対応型の多機能発電ハウスシステムの免振柱は、世界初の竹チップ笹チップ合成木材と再生木材を、重ね合わせた合成木材の芯に微量石灰入りグラスファイバー
を内蔵した低価格合成木材を、地震から保護する為に合成木材全体を金属枠で防護した構造の地震対応型の合成木材と、地震の揺れに対処する為の引っ張り柱調整金具を、設
置積載した弱者国民救済の為の地震対応型の多機能発電ハウスシステムで有る。
コメント
2010年2月11日木曜日am7時30分29秒祭日の為、現場休みで有り、体の疲れも取れた為、久し振りに書き始める厚木市の墫野和夫で有る。
【請求項１９】
本発明の、地震対応型の多機能発電ハウスシステムの免振引っ張り調整金具は、ボルト及びナット形式の引っ張り金具装置に複数の固形窒素入りビニール球と数本の細ワイヤ
を内蔵した世界初のスプリングはがねによって、振動吸収出来る構造の地震対応の免振装置の引っ張り金具装置を積載した弱者国民救済の為の地震対応型の多機能発電ハウス
システムで有る。
【請求項２０】
本発明の、地震対応型の多機能発電ハウスシステムの免振引っ張り金具を、止める装置を固定するボルトナットは、ポルトの先に割ピンが付いた特殊ボルトとポルトの山が舐
めない工夫の為に三段方式のボルトの山形状で有り、ナットは、三重方式で有り、ダブルナットが、鋼鉄製で有り、ブラッスチックナットによって、割ピンロック止めと、接
着ロック止め出来る免振引っ張り金具装置の固定ポルトナット構造を積載使用した弱者国民救済の為の地震対応型の多機能発電ハウスシステムで有る。
2010年2月14日pm17時13分50秒厚木市栄町の寮で再び書き始める墫野和夫で有る。
【請求項２１】
本発明の、地震対策対応型の多機能発電ハウスシステムのコロ電磁石反発免振装置の鉄球は、軽水素トリチウム電子入りの圧電素子磁石体を、鉄球内部に内蔵したネジ及びナ
ット構造の磁石体鉄球装置を、同一鉄球移動出来る用に鉄球の中心部に凹凸の突起の筋幅の鉄球振れ止め構造にした世界初の電磁石反発で、免振装置の鉄球部分の摩擦摩耗劣
化を、磁石鉄球と免振玉走り移動装置と電磁石免振板装置の電磁石反発作動によって、磁石鉄球と電磁石板の摩耗を、世界で初めて、摩耗ゼロにした世界初の免振技術を、積
載した弱者国民救済の為の地震対応型の多機能発電ハウスシステムで有る。
【請求項２２】
本発明の、地震対策対応型の多機能発電ハウスシステムのコロ電磁石反発免振装置の地震の振れ作用によって、発電出来る世界初の技術の軽水素トリチウム電子入りの圧電素
子磁石体の磁石鉄球打撃発電装置と地震計と地震計電波連絡装置を、積載した弱者国民救済の為の地震対応型の多機能発電ハウスシステムで有る。
【請求項２３】
本発明の、地震対策対応型の多機能発電ハウスシステムの免振装置の防犯窓枠は、デザイン形状のカラー塗装アルミ板を、使った切り絵広告版とガラスの割れ防止を、防ぐ為
アルミニューム枠にゴムパッキンまたは、ビニールパッキンを取り付けて、窓ガラス自体の取り外し取り付けを、ポルトナット方式にした防犯一体型の窓ガラス枠システムと
窓ガラスの枠に、無数の風穴装置の風止め引き戸式桟装置を、取り付け積載した弱者国民救済の為の地震対応型の多機能発電システムで有る。
【請求項２４】
本発明の、地震対策対応型の多機能発電ハウスシステムの免振装置の防犯窓枠の冷暖房ガラスは、二枚のガラスとガラスの間に透明発砲スチロールの粒を、入れた外気遮断型
の断熱素材を、ガラスとガラスの間に入れた電熱線及び固形窒素などを、使用しない外気遮断型の断熱装置を積載した弱者国民救済の地震対応型の多機能発電システムで有る。
【請求項２５】
本発明の、地震対策対応型の多機能発電ハウスシステムのタッチ電磁石反発補助作動ドアは、軽水素トリチウム電子入りの圧電素子磁石体を、使った世界最新技術の軽水素ト
リチウム電子入り圧電素子磁石体を、積載してドアに取り付けて、ドアの開け閉めで、軽水素トリチウム電子入り圧電素子磁石体スプリングをドアの左右に複数取り付けた世
界初のドアの左右の打撃で、軽水素トリチウム電子入り圧電素子磁石体発電出来る発電装置と、電磁石反発補助作動ドア装置を積載した弱者国民救済の地震対応型の多機能発
電システムで有る。
【請求項２６】
本発明の、地震対策対応型の多機能発電システムの、一般一般住宅のエレベーターワイヤは、金属突起を三重構造のワイヤ金属芯に、通常のワイヤ構造を被せて、更に十字編
み構造の三重ワイヤ構造に金属突起物を、複数取り付けたエレベーターワイヤは、ワイヤ突起物を正確に順番にエレベーターモーター滑車が捉える事の出来る世界初のエレベ
ーターワイヤ構造にした複数金属突起物付きのエレベーターワイヤを、積載内蔵した弱者国民救済の地震対応型の多機能発電システムで有る。
【請求項２７】
本発明の、地震対策対応型の多機能発電システムの、エレベーターモーターは、複数の軽水素トリチウム電子入り圧電素子磁石体を積載内臓した高出力DCブラシレスモーター
を積載した世界初の少ない電気で、作動する微妙なインバーター軽水素トリチウム電子入りダイオードスイッチ切換えに因る軽水素トリチウム電子入り圧電素子磁石体電磁石
接合のモーター電気量調整ブレーキとモーター電磁石接合ブレーキの二つを、同時に作動出来る世界で一番電気消費の少ない圧電素子4電子磁気分割装置付きの高出力DCブラシ
レスインバーター制御モーターを、エレベーターに積載内臓したベルトを使わない複数歯車エレベーター作動装置を、内蔵積載した弱者国民救済の地震対応型の多機能発電ハ
ウスシステムで有る。
【請求項２８】
本発明の、地震対策対応型の多機能発電システムの、エレベーターモーターは、高出力ダイナモエレベーターブレーキと高出力DCブラシレスインバータ制御モーターを、一本
のエレベーターモーター軸に、高出力ダイナモエレベーターブレーキと高出力DCブラシレスインバーター制御モーターの三種類のエレベーターモーターブレーキと発電装置を、
積載内臓した弱者国民救済の地震対応型の多機能発電ハウスシステムで有る。
【請求項２９】
本発明の、地震対応型の多機能発電システムの、世界最新技術の竹笹合成木材の木材をはめ込む金具部分に接合する竹笹合成木材の角部分に強化高圧縮ビニールを、竹笹合成
木材に接着内蔵させた地震の揺れでも、変形しない硬化グラスファイバー芯入り竹笹合成木材を、免振装置の木材引っ張り金具破損防止固定装置とした免振引っ張り金具を積
載内蔵した弱者国民救済の地震対応型の多機能発電ハウスシステムで有る。
【請求項３０】
本発明の、地震対応型の多機能発電システムの、世界最新技術の雨どい官は、スクリュー雨どい官技術によって、短い雨どいスクリュー官の距離でも、雨水スピードを、通常
ストレート官より、雨水スピードの上げる事を可能に出来るスクリュー回転方式を使用積載した雨どい官を使用する事で、水車型プロペラ板を高出力ダイナモを、雨どいスク
リュー官水のスピードによって、水車板を連続回転させて高出力ダイナモ発電可能な技術を、積載可能にした弱者国民救済の地震対応型の多機能発電ハウスシステムで有る。
【請求項３１】
本発明の、地震対応型の多機能発電システムの、世界最新技術の一戸建ての風呂の湯熱発電装置は、軽水素トリチウム電子入り圧電素子シリコン湯熱発電パネルは、軽水素ト
リチウム電子入り圧電素子磁石体粒子とシリコン合成した発電糸を、編み合わせた湯熱水蒸気吸収型の湯熱発電パネルを、積載した弱者国民救済の地震対応型の多機能発電ハ
ウスシステムで有る。
【請求項３２】
本発明の、地震対応型の多機能発電システムの、世界最新技術の一戸建ての風呂の湯熱蒸気発電装置は、液体マグネシウム内臓の軽水素トリチウム電子入り圧電素子磁石体粒
子内蔵及び軽水素トリチウム電子入り圧電素子シリコン粒子複数針穴糸で、液体マグネシウムを、包み込んだ合成燃料電池発電糸によって、風呂の水蒸気を瞬間吸収発電出来
る世界初の湯熱水蒸気発電を可能にした弱者国民救済の地震対応型の多機能発電ハウスシステムで有る。
【請求項３３】
本発明の、地震対応型の多機能発電システムの、世界最新技術の一戸建ての風呂の湯熱発電パネル風呂桶槽は、内側を、アルミニューム銅合金浴槽にして、外部をプラスチッ
ク浴槽にして、内側を比較的熱の通り易いアルミニューム銅合金構造にして、浴槽内部に世界最新技術の軽水素トリチウム電子入り圧電素子シリコンダイオード湯熱発電パネ
ルを、内蔵させて湯温吸収発電出来る構造にして有り、浴槽のデザインを、変える事の出来るナット型複数カーラー色デザインセラミックカバー装置は、デザイン画を変える
事の出来るボルトナット方式の取り外し取り替え可能な浴槽のデザイン画装置を積載内臓した弱者国民救済の地震対応型の多機能発電ハウスシステムで有る。
【請求項３４】
本発明の、地震対応型の多機能発電システムの、世界最新技術の一戸建ての台所排水の濾過処理装置は、世界新技術の排水熱発電スクリュー官を使用して、配管内蔵水車プロ
ペラを、回転させて高出力ダイナモを、回転させて発電出来る風呂水濾過排水と台所濾過排水発電出来る軽水素トリチウム電子入り、圧電素子磁石体をダイナモ中央部分に内
蔵積載した、高出力ダイナモ台所排水スクリュー官発電を、可能にした湯熱発電装置を内蔵積載した弱者国民救済の地震対応型の多機能発電ハウスシステムで有る。
【請求項３５】
本発明の、地震対応型の多機能発電システムの、世界最新技術の一戸建ての台所排水と風呂水排水の、瞬間濾過装置は、高出力モーターとベルトの代わりに複数歯車と電気中
の電気抵抗だけを、取り除く圧電素子4電子磁気分割装置を、積載する事で、世界で一番電気消費の少ない真空装置によって、家庭排水の台所排水と風呂水の瞬間濾過を、可能
にした世界最新の真空濾過装置を、積載内蔵した弱者国民救済の地震対応型の多機能発電ハウスシステムで有る。
【請求項３６】
本発明の、地震対応型の多機能発電システムの、世界最新技術の一戸建ての台所排水と、風呂水の瞬間濾過水を、超小型高出力遠心分離機を使用する事で、水素と酸素を、作
り出して、水素を再びもう一台の超小型高出力遠心分離機によって、水素を重水素と軽水素に分けて、地下貯蔵庫の大型バッテリーの軽水素ニッケルバッテリーとして、利用
出来る台所排水と風呂水から、軽水素のみを取り出す超小型高出力遠心分離機を、積載設置した弱者国民救済の地震対応型の多機能発電ハウスシステムで有る。
【請求項３７】
本発明の、地震対応型の多機能発電システムの、世界最新技術の一戸建ての台所排水と、風呂水の瞬間濾過水を、貯蓄する生活排水瞬間濾過装置室内部の全自動噴水シャワー
装置に使われる全自動シャワー噴水装置は、世界で初めての試みの、スクリュー官を使った噴水装置と放水噴水が、スクリュー状に噴水発射出来るスクリュー水発射ノズルに
よって地下生活排水濾過装置室の全自動洗浄を可能にした装置を内蔵積載した弱者国民救済の地震対応型の多機能発電ハウスシステムで有る。
【請求項３８】
本発明の、地震対応型の多機能発電システムの、世界最新技術の一戸建ての家に取り込む水道官を、現在のストレート官から世界初の試みのスクリュー官使用積載とスクリュ
ー官内蔵水車板と高出力ダイナモを積載内臓する事で、通常の水道水スピードより速いスピードで、超小型ダイナモを、回転作動させて発電を可能にさせた水道官のスクリュ
ー水の高速水の水車板の超小型高出力ダイナモ発電を、可能にした世界初の新技術を、積載使用した弱者国民救済の地震対応型の多機能発電ハウスシステムで有る。
【請求項３９】
本発明の、地震対応型の多機能発電システムの、世界最新技術の一戸建ての家に設置する水洗トイレは、排泄物を、水中で撹拌出来る高出力モーターと電気中の電気抵抗を取
り除く圧電素子4電子磁気分割装置を、設置する事で、トイレ排泄物の水中撹拌の電気消費を、少なくした装置を、積載した弱者国民救済の地震対応型の多機能発電ハウスシス
テムで有る。
【請求項４０】
本発明の、地震対応型の多機能発電システムの、世界最新技術の一戸建ての家に設置する水洗トイレは、今まで使用されて来た陶器トイレ装置から、グラスファイバー構造の
プラスチック表面を、石膏を薄く接着出来る蜂の巣構造のプラスチックまたはグラスファイバー表面にして、カラー石膏を薄く塗って表面だけを固めた、割れずらく軽くて、
傷が付いても、カラーペンキ補修出来る世界初の軽量構造の水洗トイレ装置を積載使用した弱者国民救済の地震対応型の多機能発電ハウスシステムで有る。
【請求項４１】
本発明の、地震対応型の多機能発電システムの、世界最新技術の一戸建ての家に設置する水洗トイレは世界最新技術の高出力モーターと複数歯車をベルト替わりに積載使用し
た装置と電気中の電気抵抗を取り除く圧電素子4電子磁気分割装置と軽水素ニッケル貯蓄バッテリーを積載使用した災害時、少ない水使用で、トイレ排泄物を処理出来る装置を
積載使用した弱者国民救済の地震対応型の多機能発電ハウスシステムで有る。
【請求項４２】
本発明の、地震対応型の多機能発電システムの、世界最新技術の一戸建ての家に設置する水洗トイレはモーター回転板によって、排泄物を、もう一段低いトイレ排泄物貯蓄槽
にモータープラスチックカバー付き板移動出来て、電動モーター仕切り弁によって、全自動モータープラスチックカバー付き板の洗浄を、少ない水または、再利用水処理出来
る世界初の乾燥トイレ排泄物粉を、纏めて水洗処理出来る水を、極端に少なく使用する為のトイレ排泄物の濾過循環水を、電動仕切り弁を使用した密封室で使用する事で、ト
イレ臭を少なくした電動仕切り弁装置を積載使用した少ない水使用でトイレ排泄物を、処理出来る装置を積載内臓した弱者国民救済の地震対応型の多機能発電ハウスシステム
で有る。
【請求項４３】
本発明の、地震対応型の多機能発電システムの、世界最新技術の一戸建ての家に設置する水洗トイレは、トイレ排水を、真空装置濾過する際、アンモニア水の常温気化水を使
用した燃料電池の液体塩素マグネシウムを使ったトイレ排泄水を、使った発電装置と瞬間貯蓄バッテリーと急速充電装置の圧電素子4電子磁気分割装置を、積載使用した世界で
初めてのトイレ排水と真空装置と液体塩素マグネシウムを使った燃料電池発電装置を、積載使用した弱者国民救済の地震対応型の多機能発電ハウスシステムで有る。
【請求項４４】
本発明の、地震対応型の多機能発電システムの、世界最新技術の一戸建ての家に設置する水洗トイレの循環水濾過装置は、燃料電池発電装置の、液体マグネシウムに、アンモ
ニアと結び付き易い塩素を、液体マグネシウムと混合させて、超小型遠心分離機の内側に圧電素子磁気粒子と軽水素トリチウム電子入りシリコン圧電素子粒子を混合合成した、
遠心分離機でも、複数穴空き圧電素子粒子内蔵の液体塩素マグネシウム発電アンモニア吸着発電体が、遠心回転破損しない複数穴アルミニュームカバーを取り付けた構造の超
小型アンモニア処理専用の循環水遠心分離機槽のアンモニア処理装置を積載使用した弱者国民救済の地震対応型の多機能発電ハウスシステムで有る。
【請求項４５】
本発明の、地震対応型の多機能発電システムの、世界最新技術の一戸建ての家に設置する水洗トイレに積載する撹拌装置の金属プロペラは、特殊電熱線のニクロム線を、筒状
にした装置にテングステン金属を、内蔵させた撹拌装置によってトイレ排泄物を、短時間で熱利用によってトイレ排泄物を無臭にする装置を、積載した弱者国民救済の地震対
応型の多機能発電ハウスシステムで有る。
【請求項４６】
本発明の、地震対応型の多機能発電システムの、世界最新技術の一戸建ての家に設置する特殊ニクロム線のテングステン金属内蔵ニクロム線内蔵の銅合金テングステン金属ま
たは鉛薄板を、内蔵した銅板板に、ニクロム線の下面には、セラミック薄板を取り囲んだ反射板金属を付けた片面だけにしかおおむねの熱エネルギー移動しない世界最新技術
のテングステン金属内蔵のニクロム線の熱放射材を取り付けた装置を、積載使用した電気熱台所コンロを、積載した弱者国民救済の地震対応型の多機能発電ハウスシステムで
有る。
【請求項４７】
本発明の、地震対応型の多機能発電システムの世界最新技術の一戸建ての家に設置する特殊ニクロム線を使った台所電気熱コンロの電気熱反射板装置は、鋼鉄永久磁石の磁気
反射を応用して、専用鍋底に、鋼鉄磁石を内蔵させた鍋を、使用する事で、鍋の磁気接合によって、特殊ニクロム線のテングステン入りニクロム線の電気熱を、専用の銅鍋底
に永久磁石を内蔵した鍋に熱を伝え易い構造にした弱者国民救済の地震対応型の多機能発電ハウスシステムで有る。
【請求項４８】
本発明の、地震対応型の多機能発電システムの世界最新技術の一戸建ての家に設置する電気コンロに低い温度でも沸騰する軽水素トリチウム電子酸素水と熱吸収スクリュー発
電官と、スクリュウ官内蔵水車板と超小型高出力ダイナモと、軽水素酸素水の圧力調整弁の高出力電動モーター仕切り弁装置を、内蔵積載した特殊ニクロム線の電気熱コンロ
と軽水素酸素水の熱電導装置と軽水素酸素水の熱発電スクリュー官使用の水車板使用の高出力ダイナモ発電を可能にした電気コンロ使用発電出来る装置を積載した弱者国民救
済の地震対応型の多機能発電ハウスシステムで有る。
【請求項４９】
本発明の、地震対応型の多機能発電システムの世界最新技術の一戸建ての家に積載する電気コンロの軽水素酸素水の低温沸騰電気コンロ配管破損を防ぐ為に、全自動式のスイ
ッチ付き高出力電動モーター仕切り弁積載の複数の水車板と複数の超小型高出力ダイナモを、積載内臓使用する事で、軽水素酸素水の沸騰配管破裂事故を防いだ循環温度調整
型の、高出力電動モーター仕切り弁を、使った温度調整発電コンロ装置を積載使用した弱者国民救済の地震対応型の多機能発電ハウスシステムで有る。
【請求項５０】
本発明の、地震対応型の多機能発電システムの世界最新技術の一戸建ての家に積載する電気コンロの、電熱線部分の特殊ニクロム線内蔵の鉛内蔵の二枚合わせの銅板板以外は、
軽水素トリチウム電子入りの圧電素子磁石体粒子内蔵のシリコン熱吸収発電パネルによって、本来専用鍋のみを温める熱が、他に無駄となった熱エネルギーを、電気エネルギ
ー変換して、瞬時に熱エネルギーを電気変換出来る軽水素トリチウム電子入り圧電素子磁石体粒子内蔵シリコン熱吸収発電パネルを、積載内臓使用した弱者国民救済の地震対
応型の多機能発電ハウスシステムで有る。
【請求項５１】
本発明の、地震対応型の多機能発電システムの世界最新技術の一戸建ての家に積載する電気コンロに使用する水は、水素中の重水素を、取り除いた通常の水の沸騰温度より低
い温度で、沸騰可能な軽水素酸素水を、積載使用した弱者国民救済の地震対応型の多機能発電ハウスシステムで有る。
【請求項５２】
本発明の、地震対応型の多機能発電システムの世界最新技術の一戸建ての家に積載する電気コンロに使用する温度を緊急に下げる為に必要とする補助軽水素酸素水タンクと補
助配管と補助電動モーター仕切り弁装置の全自動温度切換え装置を積載使用した電気コンロを使用する事で、一度沸騰した軽水素酸素水熱エネルギー温度を下げる為の、補助
軽水素酸素水タンクを循環移動出来る熱吸収スクリュー発電官と別構造に成ってるタンクを積載使用した弱者国民救済の地震対応型の多機能発電ハウスシステムで有る。
【請求項５３】
本発明の、地震対応型の多機能発電システムの世界最新技術の一戸建ての家に積載する電気コンロの暴走を離れた位置で止めるコード緊急停止スイッチを、積載した弱者国民
救済の地震対応型の多機能発電ハウスシステムで有る。
【請求項５４】
本発明の、地震対応型の多機能発電システムの世界最新技術の一戸建ての家に積載する電気コンロの暴走を離れた位置で止める事の出来る携帯電話非常停止スイッチ機能を、
積載した弱者国民救済の地震対応型の多機能発電システムで有る。
【請求項５５】
本発明の、地震対応型の多機能発電システムの世界最新技術の一戸建ての家に積載する床暖装置は、床の板に内蔵したアダプタ式のはめ込みナット止め方式の湯熱発電パネル
の軽水素トリチウム電子入り圧電素子磁石体粒子内蔵シリコン床暖熱発電パネルを内蔵積載した弱者国民救済の地震対応型の多機能発電システムで有る。
【請求項５６】
本発明の、地震対応型の多機能発電システムの世界最新技術の一戸建ての家に積載する床暖装置の配管は、ストレート官と異なるスクリュー官を使用する事で、床暖の湯熱戻
り湯熱スピードを、上げる事を可能にした床暖装置のスクリュー床暖熱発電板官を複数積載使用した弱者国民救済の為の、地震対応型の多機能発電ハウスシステムで有る。
【請求項５７】
本発明の、地震対応型の多機能発電システムの世界最新技術の一戸建ての家に積載使用する床暖装置板官は、パネル表面のデザイン画を、ポルトナットで、取り外し交換可能
な世界初の床暖のデザイン画交換可能な構造にした床暖装置を積載使用した弱者国民救済の為の、地震対応型の多機能発電ハウスシステムで有る。
【請求項５８】
本発明の、地震対応型の多機能発電システムの世界最新技術の一戸建ての家に積載使用するＬＥＤライト玉は、発光するライト熱のガラス熱吸収発電出来るＬＥＤライト玉の
ガラス部分を、二枚合わせガラスにして、ガラスとガラスの間の端に軽水素トリチウム電子入り圧電素子磁石体粒子入りシリコン発電物質を内蔵させて、光放出部分は軽水素
トリチウム電子とシリコン発電膜を積載内臓する事で、光放射の無駄の光エネルギーを、再び電気エネルギーに変える目的で、ＬＥＤライト玉のライトガラス部分を、光吸収
発電体を、ＬＥＤライト玉のガラス部分に内蔵積載した世界初の光吸収発電出来るＬＥＤライト玉を積載使用した弱者国民救済の為の、地震対応型の多機能発電ハウスシステ
ムで有る。
【請求項５９】
本発明の、地震対応型の多機能発電システムの世界最新技術の一戸建ての家に積載使用するＬＥＤライト玉の電気消費を、更に少なくしたり、発光度を高める為に、発光ダイ
オードライト内部のダイオード物質に世界最新技術の軽水素トリチウム電子を、ダイオードに混合する事で、電気をダイオードに通す事で軽水素トリチウム電子が活発に成り、
ダイオードと軽水素トリチウム効果によって、ダイオード軽水素トリチウム電子発電を、弱冠行うと同時に軽水素トリチウム電子自体が電気エネルギー発電反応を起こす事で、
世界で一番電気消費の少ない発光ダイオードの世界最新技術ＬＥＤを積載使用した弱者国民救済の為の、地震対応型の多機能発電ハウスシステムで有る。
【請求項６０】
本発明の、地震対応型の多機能発電システムの世界最新技術の一戸建ての家に積載使用するＬＥＤのライト玉は、通常の形状は、ネジ型ソケット方式で有り、ライトの明かり
を明るくする為に、プラスとマイナスソケットを四方向に取りつく構造にしたデザイン形状及び五方向に取り付くソケットライト形状及び六方向に取り付くソケットライト形
状及び八方向に取り付くソケットライト形状など角数を、使った発酵ダイオードライト玉の高度調整出来るＬＥＤライト玉の差し込みプラグ付きＬＥＤライト玉の数を、増や
して光度を、上げる技術を積載内臓した弱者国民救済の為の地震対応型の多機能発電ハウスシステムで有る。
【請求項６１】
本発明の、地震対応型の多機能発電システムの世界最新技術の一戸建ての家に積載使用するＬＥＤライト玉は、ＬＥＤライト玉の光度を上げる為に、四方向プラグソケット及
び角数を、増やす事でライトの高度を、上げる方式と、地震によってライト落下を防ぐプラグソケットに、ギザギザの小さな山を、設けてプラグの振動による落下防止を防い
だ構造にする事と、デザインの反射板を取り付ける事が、出来る反射板をナット止め出来る構造と複数のＬＥＤライト玉を、一つに固定する金具とデザイン反射板が取りつく
構造と、別の光アイテムとして、ライトの前に透明ガラスとカラープラスチックを、小刻みに使った光のパリエイションを、楽しめるＬＥＤデザイン形状を、積載した弱者国
民の救済の為の地震対応型の多機能発電ハウスシステムで有る。
【請求項６２】
本発明の、地震対応型の多機能発電システムの世界最新技術の一戸建ての家に積載使用するＬＥＤライト玉の光度を、上げる為に通常の反射板は、同じ角度にしか反射しない
為、ＬＥＤライトの反射板を、東西南北の十字方向に光反射角度を、変える事の出来るＬＥＤライト玉の種類を増やす事と、ＬＥＤライト玉の光角度調整出来るライト玉の、
種類に応じて、光反射角度切換えスイッチの数を増やして部屋に付ける位置ライトの数を、減らす事によって、台所茶の間の光空間維持を、新しく変えると同時に近距離リモ
コン無線によって、各部屋の光調整と暖房近距離無線リモコンスイッチによって、各部屋の温度と光調整を、近距離無線リモコン技術積載した弱者国民救済の為の地震対応型
の多機能発電ハウスシステムで有る。
【請求項６３】
本発明の、地震対応型の多機能発電システムの世界最新技術の一戸建ての家に積載使用する冷暖房クーラーは、広い部屋等に取り付けた場合、温まりずらく冷えずらい欠点が
有る為、子機の充電池積載の扇風機とスロー回転出来る扇風機とクーラー温度センサー付きの扇風機を、天井の隅に一つ付ける冷暖房クーラーの電気消費を、抑えると同時に
冷暖房クーラーの室内循環スロー送風装置を、冷暖房装置に取り付ける世界初の新技術によって、二酸化炭素の消費を抑えた振技術を、積載した弱者国民救済の為の地震対応
型の多機能発電ハウスシステムで有る。
【請求項６４】
本発明の、地震対応型の多機能発電システムの世界最新技術の一戸建ての家の屋根に使用するソーラーパネルは、一枚板を、張り付ける方式が殆んどで有り、長方形ソーラー
パネルを、瓦形状に金具土台の上にポルト止めする構造の世界最新技術の軽水素トリチウム電子と圧電素子磁石体粒子とシリコン粒子を、混合合成した太陽光発電と夜の外気
温発電出来るソーラーパネル技術と無線アンテナ及びラジオアンテナ及びデジタルテレビ波のアンテナを、兼ねた世界初の太陽光と夜の外気温でも発電出来るソーラーパネル
技術と、最新式のデジタル地上波受信出来る圧電素子磁気粒子のデジタル受信を、兼ねた世界初のソーラーパネルと地上デジタルテレビアンテナ等を兼ねた世界初のソーラー
パネルを積載した弱者国民救済の為の地震対応型の多機能発電ハウスシステムで有る。
【請求項６５】
本発明の、地震対応型の多機能発電システムの世界最新技術の一戸建ての家の屋根に使用する電波受信可能な軽水素トリチウム電子入りの圧電素子磁石体粒子内蔵のシリコン
粒内蔵のソーラーパネルに、電波受信可能な圧電素子磁石体アンテナ粒子ラインと地上デジタルアンテナ粒子ラインと衛星波テレビアンテナラインなどを、クリスタルガラス
表面に取り付けた電波受信可能なアンテナ粒子ラインを、ソーラーパネルに積載内臓した弱者国民救済の為の地震対応型の多機能発電ハウスシステムで有る。
【請求項６６】
本発明の、地震対応型の多機能発電システムの世界最新技術の一戸建ての家の屋根に使用するソーラーパネルまたは携帯電話のソーラーパネルのクリスタルガラスは、世界最
新技術の超薄型クリスタルガラス0,1ミリ〜0,2ミリのクリスタルガラスを、プラスチックガラスに貼り付ける二枚合わせクリスタルガラスによって、ガラス表面のプラスチッ
クガラス傷を、無くした二枚合わせ超軽量クリスタルガラスを積載したソーラーパネルガラス及びテレビガラス技術を、積載した弱者国民救済の為の地震対応型の多機能発電
ハウスシステムで有る。
【請求項６７】
本発明の、地震対応型の多機能発電システムの世界最新技術の一戸建ての家の周囲に敷く重量計センサーは、ソーラーパネル式のクリスタルガラス式の超小型ライト付き構造
と充電池と電気配線と超小型防水マイクと送受信アンテナ材と重量計センサーに乗るとカメラが物体認識全自動連絡出来る構造の重量計センサーの重量感知スイッチセンサー
によって、地下を通じてのカメラ全自動作動と携帯電話全自動映像連絡出来る配線式とアンテナ式の二通りの物体映像連絡システムを備えた弱者国民救済の為の地震対応型の
多機能発電ハウスシステムで有る。
【請求項６８】
本発明の、地震対応型の多機能発電システムの世界最新技術の一戸建ての家の総合資金に対して、余りお金を掛けたくない人に、世界初の新技術の発電塗料技術として、軽水
素圧電素子磁石体粒子入りシリコン液塗料を、第一段階の圧電素子磁石体粒子と軽水素とシリコン液と錆び止め剤合成塗料を、第一段階に塗って、第二段階に圧電素子微粒子
入りシリコンダイオード塗料を二度塗り重ねた屋根アルミニューム板に、銅電極をハンダ付けした構造の上に発電塗料を、塗った構造の低価格発電塗料積載の弱者国民救済の
為の地震対応型の多機能発電ハウスシステムで有る。
【請求項６９】
本発明の、地震対応型の多機能発電システムの世界最新技術の一戸建ての家の水洗トイレの水タンク給水装置発電装置は、水車型プロペラ板と高出力ダイナモと世界最新技術
の超軽量複数歯車ミッションと全自動モーター巻き取り式のワイヤ入り大型ゼンマイ装置によって、水車型プロペラ板回転推進力と大型ゼンマイの歯車ミッション回転推進力
を合わせて、超小型高出力ダイナモを、回転させて発電出来る水洗トイレのスクリュー官水力と大型ゼンマイの回転力を合わせて高出力ダイナモを、高速回転させて、短い時
間発電出来る世界初の水道水力エネルギー増幅装置を、積載した弱者国民救済の為の地震対応型の多機能発電ハウスシステムで有る。
【請求項７０】
本発明の地震対応型の多機能発電システムの世界最新技術の一戸建ての家の水洗トイレの大型ゼンマイ装置を、全自動水位センサースイッチ全自動モーター巻き取り作動する
為の世界で一番モーター等の電気製品の電気消費を少なくする事を可能にした電気中の電気抵抗を取り除く圧電素子4電子磁気分割装置をモーター配線に積載した弱者国民救済
の為の地震対応の多機能発電ハウスシステムで有る。
【請求項７１】
本発明の、地震対応型の多機能発電システムの世界最新技術の一戸建ての家の水洗トイレの大型ゼンマイ装置を、全自動水位センサースイッチ全自動モーター巻き取り作動す
る為の世界で一番モーターの電気消費の少ない高出力卍形状インバータ制御作動モーターの構造は、通常の内コイル板形状と異なる外向きの卍を、二つ合わせた形状に対して、
卍の両端以外の金属は、最軽量のアルミニューム板を使用して、卍の両端の永久磁石は超薄型の複数小穴空き鋼鉄板を複数枚と超薄型の軽水素トリチウム入り圧電素子磁石体
板を、複数枚重ね合わせた人工に重ねて作った永久磁石を、8ケ取り付けた卍形状内コル構造を、主体とした世界最新技術の超軽量の高出力モーター内コイルを、積載した弱者
国民救済の為の地震対応型の多機能発電ハウスシステムで有る。
【請求項７２】
本発明の、地震対応型の多機能発電システムの世界最新技術の一戸建ての家の水洗トイレの大型ゼンマイ装置を、全自動水位センサースイッチ全自動モーター巻き取り作動す
る為の、世界で一番モーターの電気消費の少ない高出力卍形状インバータ制御作動モーターの内コイル8つの合成永久磁石を、高出力電磁石の磁気連続インバータスイッチ切換
え
出来る世界最新技術の銅筒官コイル配線に圧電素子磁石体と軽水素トリチウム電子の電気の通り易い物質のみで、作った電気の通り易い銅筒官コイル配線と複数小穴形状の超
薄型鋼鉄板複数枚と、超薄型軽水素トリチウム電子入り圧電素子磁石体板を交互に重ね合わせた合成永久磁石に銅筒官コイル配線を巻いた高出力電磁石を、二つモーターの外
周に卍形状の両端の永久磁石の角度と平行に取り付けてインバータの連続磁極切換え作動によって、8つの合成永久磁石を、二つの高出力電磁石を使って8つの卍形状コイル板
の永久磁石を、世界で一番少ない電気消費で連続作動出来る高出力卍形状モーターを積載した弱者国民救済の為の多機能発電ハウスシステムで有る。
【請求項７３】
本発明の、地震対応型の多機能発電システムの世界最新技術の一戸建ての家の地下大型バッテリー及び2連振子型機械式発電機に積載内臓するバッテリーは、自らのバッテリー
電気エネルギーを、使って世界初の新技術の圧電素子と軽水素トリチウム電子を内蔵した二つの圧電素子それぞれにプラス強磁気配線とプラス弱磁気配線を、取り付けた軽水
素トリチウム電子入り圧電素子磁石体のプラス発電回路とマイナス強磁気配線とマイナス弱磁気配線を取り付けた軽水素トリチウム電子入り圧電素子磁石体のマイナス発電回
路を、組立解体型の円形バッテリーに取り付ける事で、バッテリー本体のプラス発電回路のプラス電気打撃圧電素子増幅発電の電気とバッテリー本体のマイナス発電回路のマ
イナス発電回路のマイナス電気打撃圧電素子増幅発電の電気によって、今までのバッテリーと異なるバッテリー自らがバッテリー地震の電気補充発電出来るプラス発電回路と
マイナス発電回路を、積載した弱者国民救済の為の多機能発電ハウスシステムで有る。
【請求項７４】
本発明の、日本の弱者国民救済の地震対応型の多機能発電システムの、一戸建てのコンクリート土間は、カラーガラス玉とマンガ絵とプラスチック絵の入ったガラス玉とカラ
ープラスチックガラス玉入りのコンクリートデザイン土間を構造とした弱者国民救済の為の多機能発電ハウスシステムで有る。
【請求項７５】
本発明の、日本の弱者国民救済の地震対応型の多機能発電システムの夏場の一戸建て室内のクーラー及び冷却パネル以外の冷却装置として、地下貯蓄タンクの軽水素酸素水ま
たは水を使ったフロン合成プラスチックと固形窒素粒子をプラスチック混合合成した冷却プラスチック官を、断熱材入りの空間の天井裏及び壁裏及び土間裏に複数冷却粒子内
蔵プラスチック配管を、複数配管構造にした弱者国民救済の為の多機能発電ハウスシステムで有る。
【発明の詳細な説明】
【技術分野】
【０００１】
従来の免振装置は、通常のコロ免振が橋げたに使用されてきたが、コロ円柱装置自体が摩耗劣化が、激しく一戸建ての免振装置には、家の木材固定装置が無い為、家全体が地
震の振れに耐えれない構造は、テレビマスコミの宣伝広告でも明らかで有り、古いビル免振のゴム免振技術でも、ビルの重量を支えれない欠点が有り、最近の強化プラスチッ
クゴムと平板を使った免振装置でも、ビル全体を、極太の鋼鉄ボルトナットを、強化プラスチックゴムと平板に固定しなければならなかったり、ビルの地下外周で、ビル全体
の左右の揺れを、強化ゴム及び強化スヒプリング補強カバーした技術も見受けられない構造で有り、本来ビルまたは一戸建てを、固定する装置の無い技術が目立ち、過去には
飛島建設の複数エアーホイスト免振装置が有るか゛余り使用されていないのも現状の様で有り、一戸建てのコンクリート基礎に、木杭設定した免振装置の家すら無いのも現状
で有り、列車の免振装置も存在していたが、余りぱっとしないまま、揺れを止める装置で、無く揺れない装置の開発も免振技術に成り、自動車では、いすゞのエアーサスペイ
ションが、効果を得て時代を突き進んで入る。
【０００２】多機能発電システムでは、古くから家のブルーのソーラーシステムは、海外の北欧技術が有名で有り、（公序良俗違反につき、不掲載）のソーラーハウスの世界販売トップも、海外技術国との利益契約の元での特許切れ商品は、発電効率が非常に悪く、外気温発電出来ない経費の高く割りに発電効率が悪い為、低所得者では手の入らない物件で有り、最近では東京ガスの都市ガスを、使った燃料電池発電機は、ガス湯沸かし機の30万位に対して、燃料電池を使った都市ガス発電は、200万以上で有り、燃料電池自動車は、当初1億円とも言われた為、低所得者の給料では、国の政策をしても、国の借金が増えるだけで、燃料電池の液体マグネシウムの海外特許国説明と海外特許者説明を、特許庁と経済産業省は公表公開の文書手紙連絡を拒む有様で有り、携帯電話のシャープ製の炭素シリコン製の光吸収率が、悪く外気温発電出来ないただソーラーパネルを、黒くしただけの考え方の技術の為、5万円払って、購入する低所得者では、携帯電話の発電機能の割りに高い買い物にしか成らないテレビマスコミ及び新聞マスコミの宣伝イメージとかけ離れた商品価値の無い作品が目立ってるのが現状で有る。
【背景技術】
【０００３】
以下、図1〜図40の地震対応装置と多機能発電装置の簡単な新技術なのか、改良型なのかの説明を始める。図1に於いては、燃料電池発電機は、本田技研マスコミ公開の液体マ
グネシウムの水素酸素吸収体とトヨタ自動車のマスコミ公開の固形水素の燃料電池の水素と酸素の瞬間吸収物質を、使うのが燃料電池発電機だが、図1〜図11までの軽水素酸素
陽電子陰電子スパーク発電燃料電池発電機は、液体マグネシウムと固形水素等の燃料電池の水素と酸素の瞬間吸収物質を、一切使用しないで水素の代わりに軽水素トリチウム
電子と酸素を使用して、スパーク電気は、生の電気中に電気抵抗の無い電気のスパーク装置を使用した、軽水素トリチウム電子の電気抵抗の無いスピード電気の軽水素トリチ
ウムと酸素の軽水素トリチウム電子誘発発電方式を、2の世界初の新技術の総合発電量アップの2連振子型機械式発電機に図39の89の世界初の新技術の発電回路を、内蔵した312
の軽水素ニッケル充電池を主体とした組立解体型のバッテリーを、構造積載主体とした無害無給油及び無休憩連続発電機技術と電気中の電気抵抗を、取り除く圧電素子4電子磁
気分割装置と世界初の燃料電池新技術の、水素の代わりに重水素のプルトニュームを全て取り除いた軽水素トリチウム電子と酸素を、水素と酸素の代わりに世界で初めて使用
した燃料電池発電機で有る。(例えば、特許文献1〜7参照。)(例えば、実用新案登録証文献1〜2参照。)
【０００４】
図2の8の圧電素子微粒子軽水素トリチウム電子入りシリコン熱発電パネル官は、軽水素トリチウム電子と圧電素子磁石体微粒子とシリコン微粒子を、混合合成した世界初の熱
瞬間吸収発電パネルと、世界初のスクリュー官というネジ状の熱発電官を使用しているのが特徴で有る。(例えば特許文献6参照と、特許文献7参照。)
【０００５】
この他、18の超小型水中ポンプは、世界最新技術の292の高出力卍形状インバータ制御モーターによって、世界最小の電気消費を、少なくする技術を、4の世界最新技術の圧電
素子4電子磁気分割装置によって、電気中の電気抵抗を、徹底的に取り除く事によって、電気消費を世界最小にしている。(例えば、特許物件6参照と、特許物件7参照。)
【０００６】
更に、世界最新技術の超小型遠心分離機内蔵コンプレッサーは、遠心分離機に、292の世界で一番電気消費の少ない高出力卍形状インバータ制御モーターを、使用しているのも
特徴の一つで有り、コンプレッサーでは、図27の198の高出力モーター電動仕切り弁装置と超軽量穴空き複数歯車を、ベルトの変わりに使用積載している、軽水素トリチウム電
子酸素水を、軽水素トリチウム電子と酸素水に、分けて高速送り出しの強制軽水素酸素の電子スパーク打撃誘発の軽水素と酸素の燃料電池発電している点で有る。                                       
(例えば、特許物件6参照と特許物件7参照。)
【０００７】
図13の、111のグラスファイバー枠は、再生材を使用した世界最新技術の110の固形窒素入り、冷却パネルと112の石灰合成石を、グラスファイバーの廃棄材の石灰合成石を使用
したコンクリートを、使用しない木材樹脂より重い再生材使用の地下貯蓄タンク構造で有り、一般例は、樹脂加工地下貯蓄槽とコンクリート貯蓄槽が主流の流れで有り、地下
濾過水の中和剤として、112の石灰合成石が使用されている。(例えば、特許物件6参照。)。
【０００８】
図15の、世界最新技術の、119の竹笹合成木材は、121の微量窒素石膏入りグラスファイバー柱装置に、世界最新技術の、122の軽水素トリチウム電子入り圧電素子微粒子内蔵シ
リコン発電シートの部屋熱発電シート技術を、世界で初めて使用した自然木材伐採破壊を、防ぐ為の対策として免振装置付きの、一戸建て全体の安さと再生材の追及で有る。
(例えば、特許物件6参照。)。
【０００９】
図16の、123の世界最新技術の免振用の合成木材ガード金属アタッチメントは、世界最新技術の119の竹笹合成木材の強度を高める為の、アルミニューム及び鋼鉄材などを使用
した世界最新の技術で有る。(特許物件6参照。)。
【００１０】
図17の、世界最新技術の、130の免振引っ張り金具は、プレハブハウスの引っ張り金具を、改良した装置で有り、133のスプリングはがね内に超細ワイヤを、スプリングはがね
金属内に、内蔵する事で、132の固形窒素入りビニールナイロン球の衝撃ダブル吸収構造として、調整金具と一体化した133のスプリングはがね上下が、一体化に成ったダブル
地震振動衝撃吸収装置で有り、118の世界初の技術のコロ電磁石反発免振は、電磁石無のコロ免振装置の改良型で有る。更に、平行往復運動する144の鋼鉄鉄球は、319の軽水素
トリチウム電子入り圧電素子磁石永久磁石体の144の鉄球には、世界最新技術の324の固定突起物を、144の鉄球の中心部一列に取り付けた装置は、145の免振玉走り溝装置にそ
って、電磁石反発連続左右スプリング移動出来る世界初のコロ免振改良型で有る。
更に、319の軽水素トリチウム電子入り圧電素子磁石体免振装置打撃発電装置が、取り付けられてる為、地震発生記録装置にも成る、免振装置に発電装置を、世界で初めて取り
付けた装置。(特許物件3参照。)。
【００１１】
図19の、146の免振窓ガラス戸は、世界初の発電ガラスとして、147の二枚合わせガラスに、148の軽水素トリチウム入りシリコン網入りガラスにする事と150の複数縦反射板入
り発電二枚合わせガラスの入った149のアルミニューム窓枠に、151のアルミニューム板防犯用デザイン穴空き板文字切り抜き板に、よって部屋の侵入を、防止している世界初
の装置。(例えば、特許物件6参照。)。
【００１２】
図20と図21の166の一戸建て160のエレベータ装置のドアの325の切り抜き絵ドア装置構造になっており、152のタッチ電磁石補助作動ドアは、世界最新技術の、164の銅筒官コイ
ルに、165の軽水素トリチウム電子入り圧電素子磁石体入り圧電素子磁石体入りシリコンダイオード超微粒子電気配線によって、156の電磁石構成に成っており、電磁石反発補
助作動ドアによって、モータードアと異成ったドアタッチ方式の半分電気エネルギー作動ドアで有る。
この他、176のエレベーターワイヤ装置は、175の金属突起物が、ワイヤー一定した間隔で、取り付けられているのも、ワイヤ摩耗を、防ぐ装置構造に成って入る。
更に、ベルトの代わりに、167のエレベーターモーター歯車が、複数取り付けられている構造に成り、177の三重構造ワイヤ構造の芯は、178のスプリングはがね金属に180の通
常ワイヤを被せて、179の十字ワイヤを、被せた三重構造に成るエレベーターワイヤ構造説明で有り、エレベーターモーターに、170の最新型高出力ＤＣブラシレスインバータ
制御モーターと98の高出力ダイナモ構造の二つを合わせ持った構造に成る。(例えば、特許物件2参照。)。
【００１３】
図22の、免振装置のテレビマスコミ公開に、無い119の竹笹木材を、一戸建て木造建築物の代換え合成木材の固定装置として、181の免振柱金具引っ張り装置によって、地震の
振度の揺れを、少なくする為の、181の免振柱金具引っ張り装置によって、木材柱等の地震の揺れから亀裂破壊から守る役割をしている181の免振金具の免振固定装置。
【００１４】
図23の、186のスクリュー雨どい配管を付けた185の水車板型発電装置を積載した98の高出力ダイナモを、積載した世界初の今までに無いスクリュー官と通常ダイナモを、上回
る発電が出来る発電装置。(例えば、特許文献6参照。)。
【００１５】
図24の、188の湯熱発電防護プラスチックパネルは、189の軽水素トリチウム電子入り圧電素子磁石体粒子内蔵シリコン湯熱発電パネルの保護パネルとして、湯船内側は191のナ
ット型複数カラー色デザインセラミックカバー装置と、193のアルミニューム銅合金浴槽によって、188の湯熱発電防護プラスチックパネルを、保護して熱伝導し易くした湯船
発電装置。(例えば、特許文献6参照及び特許文献7参照。)。
【００１６】
図25の、205の生活排水瞬間濾過装置は、204の真空装置を使って、瞬間に廃棄物と水に変えるマスコミ史上初の日本マスコミテレビ新聞の初めての技術で有り、198の電動高出
力モーター仕切り弁装置と200のスクリュー官と199の水位センサーと203の生活排水瞬間濾過装置室水濾過部屋洗浄用噴水スクリュー官シャワー装置によって、台所排水と風呂
水を、瞬間濾過出来る日本初の技術。(例えば、特許文献6参照。)。
【００１７】
図25の、201の超小型遠心分離機は、204の真空装置で、濾過した常温気化水を、遠心分離機によって、水素と酸素に分別出来る装置説明で有り、77の超小型遠心分離機によっ
て、水素を重水素ジュテリウムと軽水素トリチウムに瞬間に分けて、206の軽水素ニッケル地下バッテリーの軽水素として使用出来る水不足の場合、地下バッテリーの軽水素を
使って酸素の合成によって、緊急の水を、作る事も可能なシステム。(例えば、特許文献6参照。)。
【００１８】
図26の、207の水道管発電スクリュー官装置は、207の水道本官の水道スクリュー官に、198の電動高出力モーター仕切り弁装置と98の高出力ダイナモ装置を積載して、水道蛇口
付近では、185の水車板形状プロペラ装置と98の高出力ダイナモ装置によって発電出来る高出力水道水発電装置システム。(例えば、特許文献6参照。)。
【００１９】
図27の、トイレ発電装置は、198の電動高出力モーター仕切り弁装置と、326の水車板と327の高出力ダイナモを、積載した水道水発電装置。(例えば、特許文献6参照。)。
【００２０】
図28の、215の電熱線沸騰水補助発電コンロは、216のテングステン内蔵ニクロム電熱線に、薄板銅板を被せた電気熱調理機装置と、218のスクリュー官と98の高出力ダイナモ装
置と227のスクリュー水回転用蒸気プロペラ発電水車板を取り付けた発電装置。(例えば、特許文献6参照。)。
【００２１】
図29の、228の夏冬交換用の床壁パネル装置は、夏場は、固形窒素内蔵の床パネルと壁パネルで有り、冬用の、床暖熱発電パネルと壁暖熱発電パネルは、236の軽水素トリチウ
ム電子入りシリコン床壁暖熱発電パネル装置を、積載使用していて、スクリュー官使用になっている構造で有り、ポルトナット交換用の構造で有り、通常は、カーペット床暖
装置は、有名で有る。(例えば、特許文献6参照。)。
【００２２】
図30の、244の軽水素トリチウム電子入り発光ダイオードＬＥＤ素子ライト玉装置は、通常は、軽水素トリチウム電子の入って無い海外技術の契約販売が、企業間でマスコミ公
開販売に成って入いて、ネジ式ライト型に、複数のダイオードＬＥＤライト玉を、内蔵したタイプが、支流に成っている。
現在、ＬＥＤライト玉デザインとして、昔から使われて来た他社のネジナット取り付け方法を、真似しないで、プラグ方式に、対してプラグの差し込みが、簡単に外れない用
にした突起物付き、永久磁石構造にする事で、ネジナット方式とは、異なった構造にしている点と、ＬＥＤライト玉の光を、直接照射しないで、鏡反射板に一度照射した光を、
照らすタイプとした、現在マスコミ公開しているタイプとは異成った構造のＬＥＤライト玉装置構造で有り、反射板デザインを、複数ライＬＥＤライト玉反射板デザインなど、
等も有る。(例えば、特許文献6参照。)。
【００２３】
図31の、4の圧電素子4電子磁気分割装置は、ソーラー電気の世界最速バッテリー充電を可能にした装置で有り、燃料電池発電機の発電した電気を急速充電したりする場合の、
装置で有り、プラス及びマイナス圧電素子磁石に、プラス圧電素子にプラス電気を通してマイナス圧電素子にマイナス電気を通して、電気を磁気化に瞬間に変えて一番強い磁
気電気だけ、使用する熱抵抗電気の取りかたの世界初装置で有る。(例えば、特許文献3参照。)。
【００２４】
図32の、261の軽水素トリチウム電子入り圧電素子微粒子内蔵シリコンソーラーパネルは、夜でも外気温が高い場合、通常のソーラーパネルシリコンに世界初の新技術の軽水素
トリチウム電子入り技術によって、外気温度が、高い場合発電出来る軽水素トリチウム電子効果技術と、シリコン吸収熱を、効果的に電気変換出来る世界初の新技術の、圧電
素子磁石体磁気粒子入りの世界最新技術によって、261の軽水素トリチウム電子入り圧電素子微粒子内蔵シリコンソーラーパネルは、炭素とシリコンを、合成した技術等が有る。
この他、266の重量計センサーは、カメラの人の写真の光の違いをダイオードセンサーで区別するカメラ技術以外、公開マスコミテレビなど等では、見当たる技術が無い事と、
261の、重量計センサー構造は、測り計測計を敷きブロック等に内蔵して、重量データーをアンテナ送受信出来る構造の無線送受信装置及び携帯波送受信装置または、重量デー
ターを、電気配線で送受信出来る構造の装置で有り、警視庁の重量計計測装置が、目的の異なった商品が有るだけで有る。(例えば、特許文献7参照。)。
【００２５】
図32の、262の軽水素トリチウム電子入り圧電素子微粒子内蔵シリコン発電シート貼り付けレンガパネルは、図15の122の軽水素トリチウム電子入り圧電素子微粒子内蔵シリコ
ン発電シートの著作権発明の使用用途発明で有る。(例えば、特許文献6参照。)。
【００２６】
図33の269は、軽水素トリチウム電子入りシリコン発電塗料は、261の、軽水素トリチウム電子入り圧電素子微粒子内蔵シリコンソーラーパネルの改良型で有り、軽水素トリチ
ウム電子入り炭素シリコンソーラーパネルの改良型で有る。(例えば、特許文献2及び6参照。)。
【００２７】
図34の274の、生活排水処理水貯水槽の、水の使用量を、減らす為に、276の、プラスチック網目パネルに、入れたスッポンジを、庭土30センチ以下に入れる事で、夏場の干ば
つの、水不足対策とした装置は、水耕栽培の、スッポンジを、応用した装置で有り、木材網と竹網と稲ワラ網と麦わら網を、交互に重ね合わせた、将来肥料にする為の、水切
り土壌返還作用の、農業ハウス床装置など等の別の装置も、寒冷地対策として有る。(例えば、特許文献6参照。)。
【００２８】
図35の281の、固形窒素グラスファイバー劣化防止カバー付き282の、渦巻きスプリング入りグラスファイバー入り、283の立体グラスファイバープラスチックビニールを、284
の木材芯を、取り入れた免振装置用杭は、他に木材杭及びコンクリート杭が有る。(例えば、特許文献6参照。)。
【００２９】
図36の185の、水車型発電プロペラ装置は、大型の物は、水力発電所が有名で有る。(例えば、特許文献6参照。)。
図37の、292高出力卍形状インバータ制御モーターの代表的例は、リニアーモーターカーに、始まった物体の移動装置は、2001年他社の、DCブラシレスモーターより、先に墫野
和夫の磁極連続切換えのレールモーターの著作権技術の発明の発生日説明が、出来る物が、2001年5月に、既に存在している事実で有り、他社が主張するDCブラシレスモーター
とは、電気消費が、更に少なく出来るモーター構造が、かなり変わっているのが、墫野和夫の292の高出力卍形状インバータ制御モーターに成る。(例えば、特許文献2参照。)。
【００３０】
図38の、307の銅筒官複数穴空き軽水素トリチウム電子入り圧電素子磁石体電気配線を、内蔵した電磁石は、広く一般に知られているのが、鋼鉄に銅コイルを巻いた電磁石が、
広く全世界で使用されて来た技術に成るが、磁気変換が、圧電素子磁石体より、遅いのが欠点とされているが、装置の劣化に対して、圧電素子磁石体より、長持ちすると考え
られている。
高速モーターと電気消費を、他社の主張するDCブラシレスモーター以上に電気消費を、少なくする技術に於いて、軽水素トリチウム入り圧電素子磁石体のコイル内蔵型電磁石
装置とインバータ制御装置の、連続磁極切換え技術によって、更なるモーター電気消費を抑える技術が、囁かれている。(例えば、特許文献2参照。)。
【００３１】
図39の、318の循環発電充電池は、図9の68の組み立て解体用バッテリー装置と図7の89の発電回路を五個組み合わせた発電機を、バッテリーに組み合わせた超小型装置で有る。
【００３２】
図40の、292の高出力卍形状ＤＣインバータ制御モーターは、他社が特許主張するＤＣインバータ制御モーターより、電気消費の少ない構造の世界初の高出力技術と卍形状内
コイルデザインを、追加した世界初のモーターで有る。(例えば、特許文献2参照。)。
【先行技術文献】
【特許文献】
【００３３】
【特許文献１】特開2004ー135480号公報             自動充電池
【特許文献２】特願2006ー140535号公報             全レールモーター制御無害無給油連続作動発電機
【００３４】
【特許文献３】特開2004ー304992号公報             電気から熱抵抗電気を減らして、電気を長持ちさせ電気製品に無理をかけない電気装置の有りかた
【００３５】
【特許文献４】特開2003ー328925号公報             真空装置と機械式発電機を使った水だけの発電機
【００３６】
【特許文献５】特開2004ー304993号公報             一度に複数の電気配線と複数の電気コイルを持ち得た焼けないで力の有るモーターの有りかた。
【００３７】
【特許文献６】特願2010ー82号公報                 国の900兆円越えの借金全額返済の為の世界最新の公共事業対策装置
【００３８】
【特許文献７】特願2009ー271665号公報             多機能新技術携帯電話
【実用新案登録証文献１】
【００３９】
登録実用新案第3114491号  二連結以上モーター
【実用新案登録証文献２】
【００４０】
登録第3145903号          省エネルギー水気化水発電機    別名水発電機    
【発明の概要】
【発明が解決しようとする課題】
【００４１】
以上述べた従来の、日本の弱者国民救済の地震対応型の多機能発電ハウスシステムでは、燃料電池の世界特許の水素吸収体の、液体マグネシウムの特許使用料金が、高い事と
今までの、ソーラーパネル技術では、熱吸収発電率が悪くて、モーターの電気消費が、まだ技術的に、超電導モーターに、近ずいていない現状で有り、特に夏場の熱を、電気
変換出来る技術は、マスコミ報道上出て来ていないのも現状で有り、売電に、掛ける電気売電税が、現状では無いが、今後の国の900兆円越えの借金全額返済を、どの様に賄う
のか、誰も、国も、都道府県市町村区も、答えを、出せない為、弱者国民はいつでも、後回し政策に成っているのが現状で有り、経済産業省及び新エネルギー課などは、いつ
でも、特許庁の特許文献を、監視しているはずなのに、国からの弱者救済の申しだては今だ来ないのも現状で有る。
【００４２】
本発明は、このような従来の燃料電池が、構成していた液体マグネシウム等の水素と酸素の瞬間吸収体の世界特許技術の特許使用料金問題と夏場の外気熱及び室内熱の無駄に、
するばかりの熱エネルギーを、電気エネルギーに変える技術など、世界特許の明確な確認が、出来ていないＤＣブラシレスモーターより、電気消費の少ないモーター技術開発
を、実現する事を目的とし、日本の官庁全体と、国会議員が、答えを、出せない国の900兆円越えの全額国の借金返済を、弱者国民の知恵と言う知的所有財産を、使って、日本
の大手企業で無い、誰も相手を、しない海外企業と、共同で、弱者国民一人一人が、永遠に自立出来る資本主義だけでない、弱者国民全体に、目を向けた経済対策の出来る社
会作りを目的とするもので有る。
【課題を解決するための手段】
【００４３】そして、本発明は、上記目的を、達成する為に、国の借金が、国会で騒がれた1999年頃から、本格的に、お金が比較的掛らない、先技術発明の著作権年月日証明を、当時の北海道知事の堀達也知事に、郵便封書で送って、先技術発明の墫野和夫の著作権を、使った特許書き依頼を、北海道知事を、通じて北海道大学等に、特許書き依頼を、したのだが、手紙解答依頼したが、手紙回が、無かった為、無理に成る。更に、大学の、個人の発明は、全て個人の資産作りなので、国の借金返済及び都道府県市町村区の、全額借金返済を、無料で行う個人の話は、今だマスコミ報道では、聞いた事が無いと、同時に、国自体が、国営事業を、増やして、日本国の全額借金返済すると言う意思の表し方自体が、無い事と、都道府県市町村区が、都道府県市町村区の、借金全額返済の為の、工業工場施設及び商業施設は無く、観光施設の、利益収入を目的とした事業が、殆んどで有り、現在も、消費税を、上げて、弱者国民全体が、企業から払われる賃金の下げ止まり、対策が無いままに、（公序良俗違反につき、不掲載）【００４４】
また、特許請求項としての、第1の課題解決手段は、特許文献5の、特開2003ー328925号広報及び実用新案登録証文献2の登録第3145903号または、燃料電池発電機では、水素と
酸素の化学反応を、利用した水素と酸素の瞬間吸収物質の液体マグネシウム物質が、無ければ、燃料電池発電機も、水発電機も、省エネルギー水を気化させて発電出来る水発
電機も、発電出来ないシステムに対して、水素を、軽水素トリチウム電子の集合体に変えた酸素合成の、重水素のプルトニューム水素の入って無い軽水素を、使った軽水素水
を、発電物質とした燃料電池発電機システムは、軽水素トリチウム電子と酸素の結合発電率が、水素と酸素の結合燃料電池発電より、発電率が良い為で有る。
理由
軽水素トリチウム電子は、元々、水素を重水素ジュテリウムのプルトリウムと軽水素トリチウム電子一つの結合体と軽水素のトリチウム電子2つの結合から出来ている水素を、
軽水素のトリチウム電子2つだけにする事で、酸素結合を良くしている事に成る。
従って、本発明の、軽水素酸素陽電子陰電子スパーク発電燃料電池発電機は、液体マグネシウムの東京ガス及び本田技研の燃料電池技術物質及びトヨタ自動車の燃料電池技術
の2001年NHK放送局発表の固形水素技術を、一切使わない軽水素と酸素の化学反応発電を、利用した世界初の新技術公開に成る。
【００４５】
また、第2の課題解決手段は、特許文献3の特開2004ー304992号公報の、電気中の電気抵抗を、取り除く技術として、他社の超電導配線及び電気を、マイナス250度以上も冷やし
て、電気抵抗を取り除く技術が、一般社会の公知技術で有り、特開2004ー304992号公報技術では、通常電気のプラス電気を、圧電素子磁石体の、プラス磁気の弱い部分から、
通常電気を通して、通常電気を、圧電素子磁石体電気に、瞬時に変えて圧電素子磁気の強い磁気電気を、使う事で、熱抵抗の多く含む圧電素子磁石体の磁気の弱い部分に集ま
る熱抵抗電気を、もう一つの特開2004ー304992号広報の、圧電素子4電子磁気分割装置によって、通常電気の熱抵抗電気の固まりを、もう一つの、圧電素子4電子磁気分割装置
に、熱抵抗電気処理を、掛ける事によって、常温でも、液体ヘリュームも、使用しないで、電気中に熱抵抗の含まない超電導電気を、簡単に得る事が出来る。
本来、水素と酸素の燃料電池発電は、当初から、無駄な熱エネルギーが、発生する事も、公知の技術説明で有り、従って、水素と酸素の結び付きの燃料電池発電率を、上げる
為に、軽水素トリチウム電子と酸素の結び付きの燃料電池発電を、行うと同時に、雷発電の自然発電現象を、応用した特開2004ー304992号広報の、圧電素子4電子磁気分割装置
を、使った電気中に電気抵抗の無い電気だけを、使用して、電気抵抗の無いプラス電気すなわち圧電素子陽電子プラス磁気電気を、軽水素に流して、電気抵抗の無いマイナス
電気すなわち圧電素子陰電子マイナス磁気電気を、酸素に流して、軽水素陽電子プラス磁気電気と酸素陰電子マイナス磁気電気のスパーク発電によって、軽水素トリチウムプ
ラス電子と酸素マイナス電子の雷スパーク発電現象によって、一度に多くの軽水素トリチウム電子と酸素の化学反応発電電気量を、得る事が出来る世界初の新技術で有り、他
社には、絶対に無い技術と言えるのが、特開2004ー304992号公報の技術が、なければ、発電量を多く望めないのが、雷発電応用技術の、問題点として、試作実験を、繰り返す
実験データー確認によって、電気の熱抵抗電気の意味の理解と課題説明理解を、その時点で考える事に成ると言える。
従って、第2の課題解決手段は、軽水素と酸素それぞに、電気中に、絶対に電気抵抗の含まない圧電素子磁気陽電子プラス電気と圧電素子磁気陰電子マイナス電気を、組み合わ
せた雷発電応用の、軽水素酸素陽電子陰電子スパーク発電機の、発電の実施方法の装置説明としている。
【００４６】
また、第3の課題解決手段は、軽水素酸素陽電子陰電子スパーク発電燃料電池発電機が、軽水素と酸素の雷科学反応後に、重水素を、含まない軽水素と酸素だけが結び付いた軽
水素酸素水を、水素と酸素に分ける課題解決手段として、超小型遠心分離機内蔵コンプレッサー構造は、超小型遠心分離機に、世界最新技術の超小型モーター電動仕切り弁装
置と、高出力卍形状DCブラシレスインバータ制御モーターを、構造とした、遠心分離機の改良型に、軽水素酸素水すなわち、重水素の全く入って無い水を、超小型遠心分離機
によって、軽水素と酸素に分けて、連続の軽水素酸素陽電子陰電子スパーク発電燃料電池発電を、可能にした世界初の超小型の遠心分離機の構造説明に成り、全自動の一部に
も成る。
卍形状モーターは、特願2010ー82号公報でも、説明したが、世界で一番電気消費の少ないモーター説明に成り、高出力モーター電動仕切り弁装置に対しても、世界で一番電気
消費の少ない高出力DCブラシレスインバータ制御レールモーターを、構造とした電動モーター仕切り弁装置によって、電気消費を、抑えているのも特徴の一つで有る。
【００４７】
また、第4の課題解決手段は、軽水素酸素陽電子陰電子スパーク発電燃料電池発電機が、超小型コンプレッサーで、発電量を上げる為、軽水素配管の軽水素スピードと酸素配管
の酸素スピードを、上げる事で、軽水素プラス電子と酸素マイナス電子の結合発電を、上げる手段としている点で有り、超小型コンプレッサーのベルト切れを、防ぐ観点から、
複数歯車連結対策を、している点で有る。
此の他、超小型コンプレッサーの軽水素排出スピート゛と酸素排出スピードを上げる為に、コンプレッサーの配管を、通常配管から世界初の新技術のスクリュー配管に変える
事で、コンプレッサーの軽水素圧縮度を下げても、高速で軽水素放出が可能に成り、本発明の場合、酸素タンクのコンプレッサーと軽水素タンク送風に拠る世界初の新技術の
軽水素酸素陽電子陰電子スパーク発電燃料電池発電機の発電方法に、成っているこの他、酸素タンク内にスクリュー軸によって、酸素の押し圧と同時に、スクリュー回転を増
す技術で有る。
【００４８】
更に、モーターを、世界初の新技術の高出力卍形状DCブラシレスモーター構造は、他社の主張するDCブラシレスモーターの電磁石は、鋼鉄磁石にコイルを、巻いた通常知られ
ている電磁石構造を、世界最新技術の鋼鉄板を、複数穴空き構造にした複数穴空き鋼鉄板を、複数枚用意して、軽水素トリチウム電子入り圧電素子磁石体を、数枚用意したモ
ーターコイル板を、交互に重ねた世界最新技術のモーターコイル板に、世界最新技術の、モーターコイル配線は、コイル銅線を、銅筒官配線構造にして、銅筒官配線の中に軽
水素トリチウム電子入り圧電素子磁石体配線にする事で、世界で初めての電気の通り易い物質で、作り上げた電気配線を、高出力人工磁石板の複数穴空きの鋼鉄板と軽水素ト
リチウム電子入り圧電素子磁石体板を、交互に貼り合わせた永久磁石に、銅筒官コイル配線を、巻いた電磁石板または、モーター内コイル板構造に成り、更に電気消費を、少
なくする為に、DCブラシレスモーターの電磁石を、二つだけにするだけで無く、モーター内コイルを、4本の、卍形状の永久磁石体を、更に外向きにする事で、モーター内コイ
ルの電磁石反発の力が掛る方向を、無駄な電磁石反発力エネルギーが、掛らないように卍形状から、やや外目の卍形状の永久磁石4個と高出力電磁石2個によって、連続した卍
形状の内コイルを、連続回転出来る世界初のモーター構造を、従えた高出力卍形状DCブラシレスインバータ制御モーターで有る。
【００４９】
また、第5の課題解決手段は、第4の課題の解決手段に対しての本発明の超小型のコンプレッサーが、故障した場合、軽水素タンクに取り付けられているタンク内蔵送風モータ
ーと本発明の軽水素酸素陽電子陰電子スパーク発電燃料電池発電機の軽水素吐き出し口と酸素吐き出し口の配管は、7分割穴配管と28分割穴配管と102分割穴配管へ変える事で、
軽水素と酸素の融合の確立を、良くする為の世界最新式の本発明の軽水素酸素陽電子陰電子スパーク発電燃料電池装置構造の軽水素吐き出し口構造と酸素吐き出し口構造説明
で有る。
【００５０】
また、第6の課題解決手段は、軽水素酸素陽電子陰電子スパーク燃料電池発電装置の発電後の軽水素酸素水を、溜めるタンクと高出力水中ポンプが必要に成り、世界最新技術の
高出力モーターを積載内臓した超小型水中ポンプで有る。
ちなみに、高出力モーターは、高出力卍形状インバータ制御モーターを、構造とした世界初の構造のモーターで有る。
水中ポンプ電気配線は、銅筒官配線の軽水素トリチウム電子入り圧電素子磁石体粒子内蔵の銅筒官電気配線を、取り付けた電気消費の少ない水中ポンプに特開2004ー304992号
の圧電素子4電子磁気分割装置を、水中ポンプ電気配線に取り付ける事で、世界で一番電気消費の少ない水中ポンプ技術の紹介に成る。
【００５１】
また、第7の課題解決手段は、軽水素酸素陽電子陰電子スパーク燃料電池発電装置に、使用積載する超小型コンプレッサーと高出力水中ポンプと軽水素と酸素タンクに内蔵する
事と軽水素タンクと酸素タンクに送風用モーターを、それぞれ内蔵した場合、電気消費が、大きい為、本発明の2連振子型機械式発電機と解体組立型バッテリーを、積載する事
で、不可能とされる電気消費に必要な電気量を、作る事の出来る世界初の新技術の2連振子型機械式発電機の構造説明から始める。
従って、2連振子型機械式発電機は、特開2003ー328925号公報の機械式発電機を、2台積載した装置が、特願2006ー140535号公報の2連振子型機械式発電機で有り、本発明の2連
振子型機械式発電機の新しい機械式発電機構造説明を始める。
まず、ダイナモは、通常ダイナモから軽水素トリチウム電子を、ダイナモ中心部に内蔵して組立ポルト止めしたダイナモを、高出力ダイナモと命名しており、ダイナモ発電能
力は、通常ダイナモ分の発電量と通常ダイナモに積載内臓した圧電素子磁石体に、通常ダイナモ電気打撃発電出来る世界初のダイナモ技術で有り、圧電素子磁石体に軽水素ト
リチウム電子を、内蔵させる事で、圧電素子磁石体のダイナモ通常電気打撃発電量を、アップすなわち上乗せ出来る事を、可能にする事が、出来るのが、高出力ダイナモの世
界最新技術で有り、自動電池及び2連振子型自動充電池に内蔵積載される高出力ダイナモの世界最新技術で有る。
【００５２】
また、第8の課題解決手段は、2連振子型機械式発電機の振り子装置を、補助作動させる装置は、特願2006ー140535号公報のレールモーター他社名は、DCブラシレスモーターで
有り、本発明の2連振子型機械式発電機に積載するDCブラシレスモーターは、世界最新技術の高出力DCブラシレスインバータ制御レールモーターを積載する事で、モーター電気
消費を、少なくする事が出来る。
構造説明は、電磁石及び永久磁石は、通常の電磁石の鋼鉄板を、複数枚の超薄型鋼鉄板とした複数穴空き構造の鋼鉄板を、複数枚用意して、更に軽水素トリチウム入り圧電素
子磁石体板を、複数枚用意して、複数穴空き鋼鉄板と軽水素トリチウム電子入り圧電素子磁石板を、複数枚交互に重ね合わせる事で、鋼鉄磁石機能と圧電素子磁石機能の二つ
を持ち得た人工永久磁石で有り、人工永久磁石に巻くコイルは、世界最新技術の銅筒官コイル配線で有り、軽水素トリチウム電子入り圧電素子磁石体入り銅筒官コイル配線を、
複数穴空き鋼鉄板と軽水素トリチウム電子入り圧電素子磁石体の交互重ね合わせ板に、銅筒官コイル配線を巻いた世界初の高出力DCブラシレスレールモーターで有る。
理由
高出力DCブラシレスインバータ制御レールモーターの電磁石は、鋼鉄磁石と圧電素子磁石の両方の特徴を、備えた電磁石だけで無く、鋼鉄電磁石と軽水素入り圧電素子磁石を
交互にした人工永久磁石体に、軽水素トリチウム電子入り圧電素子磁石体入り銅筒官コイルを巻いて電気を、通す事で、通常コイルより電気の流れが、速い電気を、通す事と
コイル板の圧電素子磁石体に、軽水素が入っている為、圧電素子磁石体の磁気が、コイル電気によって、活発に軽水素トリチウム電子活動する為、圧電素子磁石体が、電子力
アップに成る為、圧電素子磁石体の磁気力が、モーターコイルに流す量を増やす事で、軽水素トリチウム電子入り圧電素子磁石体の磁気力が、アップすると同時に鋼鉄板も、
磁気対応する為、少ない電気で、電磁石磁極切換え出来る為、通常のDCブラシレスインバータ制御モーターより、高出力DCブラシレスインバータ制御レールモーターの電気消
費が、少なく成る高出力モーターの電気消費が少なくなる説明に成る。
【００５３】
また、第9の課題解決手段は、2連振子型機械式発電機の、高出力ダイナモを、補助連続作動させる事の出来る大型ゼンマイ装置は、長時間の連続作動使用によって、ゼンマイ
切れの、劣化ゼンマイ切断事故防止の為に、世界最新技術のゼンマイ板に、硬芯細ワイヤを、2本〜3本入れる事で、半永久にゼンマイ板切れ事故を、無くす対策を行った世界
初のゼンマイ板の劣化防止対策で有る。
他の使用説明
此の他、自動電池及び、自動充電池及び、2連振子型自動電池などに、積載する超小型ゼンマイ板装置の、硬芯ワイヤ入りのゼンマイ板によって、半永久作動の自動充電池等が、
可能に成る。
更に、柱時計の復興番のカラクリ時計の、ゼンマイ板に硬芯入りの、ゼンマイ板にする事で故障知らずの、復興番のカラクリ柱時計など、他に子供の、玩具のゼンマイ板に硬
芯細ワイヤを、入れる事でゼンマイ切れ防止を図ってる。
【００５４】
また、第10の課題解決手段は、2連振子型機械式発電機に積載する電気電子変換増幅装置は、電子レンジの回路を、応用した技術で有り、内蔵して有る電磁石コイルは、通常
電磁石コイルから、高出力電磁石コイルと通常コイルと異なる高出力コイルは、軽水素トリチウム電子入り圧電素子磁石体内蔵の銅筒官コイルを、積載内臓した高出力コイル
などの、電気消費の少ない装置に、対して特開2004ー304992号公報の圧電素子4分割装置を積載使用する事で、更に電気消費を、少なくした電気電子変換増幅装置説明に成る。
従って、電気配線も軽水素トリチウム電子入り圧電素子磁石体入り銅筒官電気配線を使用する事で、電気抵抗を少なくして電気消費を少なくしている。
【００５５】
また、第11の課題解決手段は、2連振子型機械式発電機に積載する発電回路は、通常圧電素子磁石体の磁気圧発電を、応用した発電方法で有り、圧電素子磁石体に、軽水素トリ
チウム電子のみを圧電素子混合内臓した世界最新式の軽水素トリチウム電子入りの、圧電素子磁石体で有り、圧電素子磁石体の、チタン酸バリュームと軽水素トリチウム電子
を、混合合成して、圧電素子の他の物質の雲母の結晶粒子及びガラスの結晶粒子などの、圧電素子磁石体物質と混合合成した圧電素子磁石体に、最初から多めの軽水素トリチ
ウム電子と言う、電子の固まりを最初から圧電素子磁石体に、内蔵させた圧電素子磁石体を、二つ用意して、通常プラス電気打撃発電として、軽水素トリチウム電子入りのプ
ラス磁極圧電素子磁石体に、通常プラス電気を、軽水素トリチウム電子入りの圧電素子磁石体の一番強いプラス磁気部分に中る部分に通常電気の強い電気を通す事で、軽水素
トリチウム電子入り圧電素子磁石体の中間部分に、圧電素子磁石体の磁気電気回収銅板板を、軽水素トリチウム電子入りの圧電素子磁石体に内蔵する事で、圧電素子のプラス
磁気にそって、強い通常電気によって、圧電素子プラス磁気中の軽水素トリチウム電子の圧電素子磁石体の電気打撃を、活発化させる事で、圧電素子磁石体の強い電気打撃を、
可能にして、圧電素子磁石体の軽水素トリチウム電子の圧電素子打撃を、プラス発電回路とマイナス発電回路の強い通常電気打撃を、可能にした世界初の強い電気を、軽水素
トリチウム電子入りの圧電素子磁石体の二つのプラス発電回路とマイナス発電回路によって、電子集合体の軽水素トリチウム電子を、圧電素子磁石体に入れる世界初の技術に
よって、超小型の発電回路が可能に成り、世界中の電気製品に、内蔵する事で、充電池の電気を増幅した電気を、電気製品のプラス発電回路とマイナス発電回路に強い電気を、
流す事で、充電池の電気量だけで、一般家庭電気コンセントの充電が、必要無い時代が、来ている事と、世界最新技術の、軽水素トリチウム電子入り圧電素子磁石体粒子内蔵
シリコンソーラーパネルを、電気製品に積載して、特開2004ー304992号公報の電気中の電気抵抗を、取り除く世界最新式の技術を、更に電気製品に内蔵する事で、世界最速の
ソーラーパネル充電と、暖房熱充電と外気熱充電と部屋熱充電出来る世界最新式のソーラーパネル技術と、世界最新式の発電回路技術と世界最新式の特開2004ー304992号広報
の通常電気中の電気抵抗を取り除く装置を、使った急速充電技術によって、自動充電池無しの、超小型発電装置の世界最新発明によって、日本の企業全体のトップに立つと同
時にに超小型発電装置として、世界のトップに立つ事が、可能にした軽水素トリチウム電子入りの圧電素子磁石体のプラス発電回路とマイナス発電回路技術の構造説明で有る。
他の技術説明
例えば、圧電素子磁石体に、水素を入れた物資を鉄芯打撃等の、電子ライター発電を、行った場合、軽水素トリチウム電子入り圧電素子磁石体の鉄芯打撃発電量より、発電量
は、水素の場合は、軽水素トリチウム電子のみを圧電素子磁石体に混合合成した物質より、電子の圧電素子混合質量が、少なく成る為、発電量が少なく成り、重水素ジュテリ
ウームは、プルトニュームの為、通常電気熱だけでは、何の変化も無い為、電気抵抗物質と見なす為、不必要に成り、重水素の場合は、プルトニュームと軽水素トリチウム電
子一つの結び付きの為、わずかだが、圧電素子磁石体に、重水素のみを、入れた場合も、わずかだが鉄芯の増幅発電は可能になるが、余り重水素は、圧電素子磁石体に入れる
理想物質と言えない。
更に言える事は、軽水素トリチウム電子以外の電子集合体物資を、圧電素子磁石体に、入れて鉄芯打撃発電及び強い電気打撃発電を、行った場合、他の純度の高い電子集合体
のみを、圧電無素子磁石体に、混合合成した場合、増幅発電は可能に成り、圧電素子磁石体に、電子集合体物質の一例の軽水素トリチウム電子を、入れた軽水素トリチウム電
子入り圧電素子磁石体技術自体が、世界の電気革命出来る世界特許成りえる世界最新技術で有り、循環発電充電池等への応用技術に、よって超小型発電回路装置の電気製品業
界の、革命技術と宣言しておきます。
更に、世界最新技術の先技術を、説明した文章の著作権は、北海道庁受理印と共に、2002年8月に、既に先考案して有った世界最新技術発明の著作権発明で有った事も、特許文
章を、借りて先技術発明発生の日を著作権年月日発生を宣言します。
この技術を、他社が勝手に使用した場合の経済の結末説明。
全世界では、家庭電気製品の電気使用量が、ゼロに成った場合、電気使用税の回収不足と、家庭電気の、電球のこれから使用が、多くなる発光ダイオードライト玉に、発電回
路を、組み込んだ場合、電気消費が、ゼロ近く成り、昼間のソーラーパネルの電気売電の売電料金の下落が始まり、更に、国の電気使用税の回収率が下がり、都道府県市町村
区の、電気使用消費税の回収不足に成る為、公共事業が、少なく成り、一般国民全体の収入が、更に少なく成る理由とは、現在、国が推進しているエコ商品の、修理を、企業
修理価格の最低15000円等の、小さな部品交換に至る修理を、電気製品全体に特願2009ー271665号公報の多機能振技術携帯電話の、回路の修理代を、全て3000円以下に出来る
回路分散して、複数の回路ブロックを、組立る事で修理代を、安く出来ると同時に、現在の国の推進するエコならば、電気消費が、少なくなった電気商品時代は、海外のブラ
ジル及びアルゼンチンなどの、電気製品は、特に修理して使用する時代が、他国に、見習わなければ、国の税収不足に対応した対策は、再利用のエコ時代が、更に濃厚に成る
新しい時代を、担う発電回路の世界最新技術と、回路を、分散して、組み立てる回路分散化時代は、回路分散化と同時に、回路電気熱回収発電の世界最新式の発電技術の軽水
素トリチウム電子入り圧電素子磁石体粒子入りのシリコンパネルを、回路分散型回路それぞれに、張り付ける技術と特開2004ー304992号公報の通常電気中の電気抵抗を取り除
く装置の使用によって、電気は、あくまでも他の発電システムを作動させてる役割で有り、電気熱自体も、無駄無く瞬間磁気変換発電出来る事と軽水素トリチウム電子の活用
によって、更に増幅発電が見込まれ、新しい電気革命時代は、資本主義の電気革命時代は、修理して使用する時代に勝てないのは、国と都道府県市町村区と国民は、お金を出
費するだけで有るが、日本の外資系の世界企業の世界株総資産の50パーセント以上が、日本の外資系の原子力売電事業利益によって、資本主義として、勝ち得た資産の、極わ
ずかの金つまり、海外所得税の一切掛って無い日本外資系企業の原子力売電利益の海外所得税を、過去にさかのぼって、回収しない限り、日本の国と都道府県市町村区の未来
は、無いだけで無く、外資系日本企業の原子力売電事業者の日本の大学のトップの教授に、原子力廃棄物の日本国内の各電気業者に任せないで、莫大な海外の原子力売電利益
で、得た資本主義の名の基で、原子力廃棄物の、未来永劫の処理説明の時代が存在していると、同時に、電気の循環増幅発電の発電回路及び、特願2004ー304992号公報の電気
中の電気抵抗を、取り除く世界最新技術と世界最新技術の電気熱を、瞬間に磁気電子変換出来る軽水素トリチウム電子入りの圧電素子磁石体粒子内蔵シリコンソーラーパネル
の活用によって、超小型の電気製品組み込み型の発電回路技術と特願2006ー140535号公報の2連振子型自動充電池または、特願2009ー271665号広報の発電回路内蔵型の自動充電
池技術は、知識を知らない人では、夢の話に成ると同時に、これら、原子力に代わる世界新技術を、得た者は、原子力廃棄物の永遠の処理に対して世界資本主義名誉と言われ
る複数の日本の大学の名誉教授と一度公開の場で、資本主義が、国を救って、都道府県市町村区を救うのか、世界最新技術の電気革命の発電回路及び自働充電池等は、無謀に
誰でも、使用した場合、税収不足に、国々が陥った場合、誰が保障するのか、電気の革命者の、日本の大学のトップの原子力世界海外の先発明者に、未来の資本主義の答えを、
聞く時代が、日本の弱者国民ならず、世界の人々が、聞かなければ、デフレイションと言う、金余り、つまり、お金が紙切れに成る時代すら、すぐ側に、来ている為、日本の
有識者トップの原子力先発明者の、原子力南極観測船の、先技術発明者の大学の知恵者に、国民の前で、資本主義は、デフレイションは、絶対に有りえなく、インフレイショ
ンのみが、やって来るのか、日本国の経済危機と都道府県市町村区の経済危機に対して、資本主義革命の、原子力海外売電利益者に、よっての日本の国の経済の立て直し方法
なども、世界資本主義の、一番〜二番と日本のテレビマスコミから、言われる世界トップ資産家によって、日本国の有りかたと都道府県市町村区の有りかたを、今後、テレビ
マスコミトップ番組と新聞報道の取り上げによって、日本国の改善と都道府県市町村区の改善を、日本の有識者トップとしての発言を、日本国民全体が、再びテレビの画面の
前に、現われて、資本主義は、永遠に全世界の国民を、救う説明を、待ち焦がれている未来を、どの様に資本主義の名の基で、国民全体を守るのか、外資系の、海外で原子力
売電事業者として、成功なさった人達に、超小型発電回路以上に、原子力回路発電は、小さく出来るだけで無く、原子力廃棄物処理を、含めて、本当にエコ技術のトップを聞
く時代が、既に来てしまって入る。
【００５６】
また、第12の課題解決手段は、特願2006ー140535号公報の、軽水素入り炭素シリコン内蔵ソーラーパネルの改良型として、先発明の著作権年月日証明の北海道庁の受理印の有
る墫野和夫の個人情報の公開の日が、来てしまったのは、現在の今まで、日本の国が、日本の企業トップの株を、一切法律によって、持て無くして来た事実と都道府県市町村
区が、日本のトップ企業の株を、持て無かった事実だけで無く、外資系の日本企業の原子力売電事業株自体すら、一切法律によって、持て無かった事実の時代を経て、JR鉄道
会社の、日本の国の財産から、企業化と言う民営化が、始まった事実を先説明として、日本の国の推進するエコのソーラーハウス売電事業を、世界最新技術の、太陽光以外で
も発電可能な、世界最新技術の、軽水素トリチウム電子入り圧電素子磁石体粒子内蔵シリコンソーラーパネルを、日本国内の全ての家庭が、設置した場合、従来のソーラーパ
ネルと異なる発電量は、auの主張するシャープの主張する最新式ソーラーパネルは、一通話の使用電気充電に、30分のソーラーパネル太陽光充電が、必要なのは、テレビマス
コミの、報道説明に有るが、本発明の軽水素トリチウム電子入り圧電素子磁石体粒子内蔵シリコンソーラーパネル世界最新技術の特徴は、太陽光を、軽水素トリチウム電子入
りシリコンが吸収して、軽水素トリチウム電子のシリコンの電気電子変換を、活発にすると同時に、圧電素子磁石体磁気粒子の瞬間の太陽光及び外気熱及び部屋熱及び暖房熱
及び、人体の体温熱及び動物の体温熱及び機械等の熱の瞬間軽水素トリチウム電子入りのシリコンの、熱瞬間吸収と同時に圧電素子磁石体の軽水素トリチウム電子熱の圧電素
子磁気の熱電子電気変換の瞬間の熱電子電気変換の世界最新技術は、確かに日本の家庭全てが、日本の国の推進する、ソーラーパネル技術を、世界最新技術の軽水素トリチウ
ム電子入り、圧電素子磁石体粒子入りシリコンソーラーパネルに、全て変えた場合、昼間の家庭の売電量は、真夏時は、現在の何倍から何十倍に、成る為、真夏時に関しては、
日本の発電事業会社から、夜の一般家庭の蓄電装置を、備えた場合、おそらく直ぐに、真夏時の日本全国の電気事業会社は、原子力発電を、ストップ更に、火力発電を、スト
ップそして、水力発電を、ストップする事に、第11の課題説明で行った、発電回路内蔵及び2連振子型自動充電池の複数使用によって、家庭電気製品の電気使用が、殆んど無く
成り、例えば、特願2006ー140535号公報の改良型の発電回路内蔵の2連振子型機械式発電機を、日本の全家庭が、持った場合、または、特願2010ー82号の無給油の全自動無休憩
半永久全自動燃料電池発電機を、日本の全ての全家庭が、所有した場合、全国の電気売電事業から、一切電気を、買わずに済み、電信柱及び電気配線及びトランスの交換など
の全国の家庭に上乗せとなる電気を、一切使用しなくて済む為、日本の全国の売電事業会社は、今だ裁判を、起こさない為、日本の全国の売電事業会社の店仕舞の秒読み時代
は、自らが望んでいる理由は、国と都道府県市町村区が、売電事業権利を、一切得る事無く、現在のここまで、来ている事が、国の経済と都道府県市町村区の借金苦の事実だ
から今だ、裁判を起こさない理由だとしか考えられない。
更なる家庭売電の、落とし穴
全国の、家庭が、売電に行った場合、おそらく全国の売電事業会社は、売電の電気供給の為の電気配線の使用料金を上げる事に、よって生活温存と今まで得た利益を、会社職
員に還元するだけの利益は、おそらく既に、利益増大に成っているのは、この時点では、明らかの様で有る。
国の税収と都道府県の税収の課題
確かに、二酸化炭素排出ゼロの発電機を、電気のわからない人でも、解る説明が、東京ガスの家庭燃料電池を、全自動無休憩循環発電機は、多少の電気が解る者ならば、理解
出来ると思えますが、全国の売電事業会社の電気を、買わなくて良い時代は、日本の特許庁へ行くたび、いつでも特許切れ商品は、誰でも製造販売出来るつまり、安値の特許
切れ使用料金すなわち、著作権使用料金すら、払わ無くて良いなどと話す者が、特許庁に存在しているが、いずれにしても、燃料電池の液体マグネシウムの本田技研の世界特
許即ち、本田技研も、日本の特許庁も、経済産業省も、燃料電池の水素酸素の瞬間吸収発電物資の世界特許者説明を、文章回答しない為、本田技研の燃料電池の液体マグネシ
ウムの特許権切れ次第、特許庁と経済産業省の言い分だとすれば、特許切れ成り次第、水素と酸素の瞬間吸収物質の特許切れ著作権料金と言う国際上取り決めの著作権料金は、
日本の特許庁と経済産業省は関係無く、作れると主張するが、特にアメリカ合衆国及び諸外国でも、特許切れも、一つの著作権財産と国際上認められてる為、特許切れの著作
権料金の発生は、いがめないのは、明白に成る。
従って、墫野和夫が、世界最新技術のブルーのソーラーパネルの世界で最初の特許者と特許切れの著作権契約を結ぶには、日本国の特許庁と経済産業省が、ブルーのソーラー
パネルの、世界で最初の特許切れ者を紹介するのが、日本国の特許庁と経済産業省の本来有るべき日本国の財政を守ろうとする者への対処の仕方と言える。
【００５７】
また、第13の課題解決手段は、2連振子型機械式発電機の、バッテリー及び充電池の急速充電スピードを、世界最速にする為に、特開2004ー304992号公報の圧電素子4電子磁気
分割装置を、バッテリー及び充電池に設置する事で、電気抵抗の無い電気を、充電池に世界最速充電出来る事と、水素ニッケル充電池の充電時間を、20分のフル充電より更に、
充電スピードを、短くした重水素量調整型の軽水素トリチウム電子入りニッケル充電池または、バッテリーを、使用する事によって、水素ニッケルバッテリーより、充電時間
の短い、軽水素トリチウム電子入り、ニッケルバッテリーは、更に充電時間が短く成り、軽水素トリチウム電子入りニッケルバッテリーの急速充電の際に、発生する電気熱エ
ネルギーを、更に、瞬間に磁気電気に変える世界最新技術として、バッテリー及び充電池の全体を、軽水素トリチウム電子入り圧電素子磁石体粒子内蔵シリコン熱瞬間吸収発
電パネルを、バッテリーカバー及び充電池カバーとした世界最新技術説明に成る。
他の技術
水素自体は、発火性物質で有り、軽水素トリチウム電子物質も、発火性物質で有り、水素の圧縮により、水爆に成り、重水素プルトニュームは、高純度の水爆に成り、軽水素
トリチウム電子を、高圧縮しても水爆に成らないのは、読まれる方は、理解出来ていると考えます。
従って、軽水素トリチウム電子の、発火性を無くす為に、窒素とケイ素(石炭殻の燃えカス及び木炭の燃えカス及び稲ワラの燃えカス及び麦ワラのの燃えカス及び雑草の燃えカ
ス及び動物の骨の燃えカス)等の絶対に火が付かない物質に、固形窒素を、混合合成した冷却物質を、燃えずらい冷却物質パネルとしたパネルを、バッテリー及び充電池のカバ
ーの内パネルとした考え方が、燃えずらい充電池としている構造説明で有る。
その他の技術説明
圧電素子磁石体は、雲母微粒子及びガラス微粒子とチタン酸バリュームを、混合合成したのが、圧電素子磁石体で有るのは辞書閲覧で理解していただけたと考えます。
問題は、チタン酸バリュームに、少量の窒素と粒子の細かい木炭等の燃え殻物質を、チタン酸バリュームに、軽水素トリチウム電子と少量の窒素と木炭の燃えカスの微粒子を
少量混合合成する事で、燃えずらい圧電素子を取り合えず考えて見たが、バッテリー内及び充電池内の熱エネルギーを、瞬間に、電気エネルギーに変える事で、バッテリーの
電気熱燃焼事故と充電池の電気熱燃焼事故を、避ける為の対策手段で有る。
軽水素トリチウム電子と液体マグネシウムを、混合合成した場合、場合によっては、電気熱燃焼する為、液体マグネシウムと木炭の燃えカスの微粒子材を、混合合成する方法
及び、液体マグネシウムと窒素微粒子と木炭燃えカスの微粒子を、混合合成した燃えずらい液体マグネシウムに成る。
【００５８】
また、第14の課題解決手段は、2連振子型機械式発電機の電気配線を、通常電気配線を使用しないで、更に、高価な超電導配線を、使用しない世界最新技術の、銅筒官配線に軽
水素と、圧電素子磁石体粒子を、混合合成した世界最新技術の、電気の通り易い物質で作り上げた電気配線使用に成る。
少し異なった銅筒官電気配線説明
銅筒官電気配線に、軽水素トリチウム電子と、圧電素子磁石体の、雲母微粒子とガラス微粒子を半分の量に変えて木炭の燃えカスの微粒子を、混合合成した圧電素子素材に軽
水素トリチウム電子とチタン酸バリュームを、混合合成した銅筒官電気配線で有る。
此の場合、圧電素子の内部の絶縁体は、硬い物質が、良いならば、ガラス材と木炭の燃えカスを、混合熱処理した物質を、粉々に砕いた絶縁体物質は、超電導ガラス合成絶縁
体物質に成るが、一度特許に成ったケイ素及びヨウ素などの、超電導物質使用は、特許料金が高額の為、止めなければ成らない、無断使用の罰金は、高額に成るのは必死で有
る。
【００５９】
また、第15の課題解決手段は、2連振子型機械式発電機に、使用積載する歯車は、超薄型の鋼鉄板を、グラスファイバー歯車に超薄型鋼鉄板を接着加工した世界最初の超軽量鋼
鉄板歯車説明で有る。
別の鋼鉄板
鋼鉄材と稲のワラの燃えカスを、熱処理合成した世界初の鋼鉄材は、電気配線の変わりにする為に、歯車の中央部分は、絶縁体で仕切られた2列の稲ワラ燃えカス材入りの鋼鉄
材に成る、この他、麦ワラの燃えカス材及び雑草の燃えカス材及び花の廃棄物燃えカス材及び廃棄処理の綿の燃えカス材及びでん粉カスの燃えカス材など、ケイ素及びヨウ素
より、素材の重量が軽いのが特徴で有り、木材パネルの表面に塗り重ねて、燃焼防止溶剤として使用品価値の有る、ケイ素及びヨウ素の材料不足から、来る資材値が上がる為、
高い燃え無い木材が、有名だが、値段を下げる為の一つの対策手段で有り、プラスチックビニール等に加工して使用する事で、燃えずらいプラスチックビニールとして、電気
製品パネル使用にも使用可能な、ケイ素とヨウ素などより、軽い物質として、独自の開発物質として歩んで行きたい。
【００６０】
また、第16の課題解決手段は、2連振子型機械式発電機が、故障した場合、全自動故障電波連絡及び全自動故障携帯電話連絡出来る装置で有り、補助バッテリーは、世界最新技
術の、組立解体型の掃除点検の再利用可能なバッテリー構造と発電回路と特開2004ー304992号公報の圧電素子4電子磁気分割装置のバッテリー内蔵設置によって、循環発電充電
を、フル充電センサースイッチ回路によって、全自動でいつでもバッテリーを、フル充電に出来る装置。
他の技術説明
バッテリーの電極棒の部屋のプラス電極部屋とマイナス電極部屋を、フイルターで仕切って、バッテリー電極棒を、スイッチ一つで、ワイヤーモーターブラシ回転装置によっ
て、いつでもフル充電可能なバッテリーに成るが、欠点として、バッテリーの不純物が、電極部屋に蓄積する為、定期的な掃除が必要に成る。
【００６１】
また、第17の課題解決手段は、免振杭は古くからの木杭が使用され、テレビマスコミ公開上、一戸建て免振杭の、放送は無いが、通常杭でも免振杭として使用する部分が、地
中の為、木材杭劣化腐食は、余り進まないと考えられるが、本発明では、ゴム免振特許切れでも、ゴム免振材料は、使用しないで、ビニールパネルを、木材杭に被せた装置で
有る。
新しい技術説明
木材杭に被せるビニールの地中内劣化を防ぐ為、木材の炭の燃えカス材及び雑草及び牧草の残材の燃えカス材及び稲ワラの燃えカス材及び麦ワラ材の燃えカス材を、ビニール
と混合合成した、地中劣化防止ビニールパネルを、免振木材杭に張り付けた世界初の新技術説明で有る。
他の技術説明
免振木材杭の長時間劣化を、防ぐ手段として、廃油に、固形窒素を、混合合成した廃油物質を免振木材杭にしみ込ませる木材を長持ちさせる方法の手段説明で有る。
別の免振杭技術説明
廃棄ガラスと廃棄プラスチックを使った合成再利用グラスファイバー杭は、合成の木材廃材チップと竹材チップを、合成した合成木材芯入りのグラスファイバー免振杭は丈夫
だが、木炭などの燃えカス材と固形窒素入りの合成グラスファイバーが望ましい。
【００６２】
また、第18の課題解決手段は、風呂桶及びトイレ槽の防護パネルも、地震対策として、特許切れの免振ゴムを使用しないで、ビニールと木炭の燃えカス材と固形窒素を合成し
た免振床用の劣化防止剤入りビニールと、シートと綿材に木炭の燃えカス材とグラスフアイバー溶液を、混合合成したクッションパネルと発砲スチロールパネルを中間に貼り
合わせた、ゴムと異なる振動吸収材を、風呂桶槽及びトイレ槽及び防火用水槽及び地下貯水槽の振動吸収材として世界で初めてゴムと異なった物質を使用設置している点で有
る。
【００６３】
また、第19の課題解決手段は、全世界の木材緑地が減っている為、木材伐採をゼロにする為の、自然破壊防止対策として、一年で、すくすく伸びる多年草の笹竹と竹材を、瞬
間真空装置乾燥技術によって、竹チップと笹竹チップを作り、木材炭の燃えカス材と凝固剤を、撹拌合成した合成竹笹竹木材説明で有る。
此の場合、合成竹笹竹木材を作る時点で、高圧縮接着が必要に成り、竹と笹竹が、石に成るまで高圧縮が必要に成る。
更に、高圧縮の合成竹笹竹木材の周りに防護するグラスファイバー枠は、固形窒素と木炭の燃えカス材を、混合合成した超圧縮の合成グラスファイバーで有る。
石灰使用は、地震にもろい為、石灰粉材を、グラスファイバー溶液と固形窒素粉材と木炭の燃えカス材に入れて高圧縮掛ける事で、強度の有るグラスファイバーを、目指して
入る。
別の技術説明
建設現場及び解体現場から、出てくる木材の廃材を、再生チップにして、再生木材柱とは、木材柱芯及びグラスファイバー柱芯素材及び金属柱芯に、再生木材チップ紙を、貼
って行き一枚貼る事に、高圧縮機械プレス圧縮かけて、木材柱の形になるまで、一回一回貼り合わせて高圧縮し続けた再生木材柱技術も、世界最新技術で有る。
此の他の技術説明
従って、合成木材には、必ず合成木材芯が、強度不足を補う点から必ず材料の強度不足を補う為に、合成木材芯が入る為、一戸建てスプリンクラー配管として、固形窒素入り
プラスチック官と金属官の二重水道管の腐食錆び防止官を、水道管の金属官に取り入れた発想で有り、夏冬通して防火対策の配管としても、活躍しそうで有る。
【００６４】
また、第20の課題解決手段は、雑草が生えるのを嫌ったり、特に酸性土の中和剤として、石灰合成石は、石灰と廃棄ガラスを混合合成した世界初の合成石と石灰とセラミック
陶器の混合合成粘土石または、石灰と廃棄タイヤのゴムを合成した花壇の敷き石材とか、安値用の、駐車場の式ゴム床の石灰入りゴムに成り、この他、石灰とエボナイトを合
成した素材または、石灰と木材の炭灰材と粘土を合成した合成石などは、石の表面の石灰物質槽が、溶けて土と中和する事を目的としている事と雑草が生えない対策に成る。
また、第21の課題解決手段は、竹笹竹合成木材を、地震の多い地域に使用した場合の、強度を上げる為の対策案として、四角柱金属パネルの中に竹笹竹合成木材を、入れた世
界初の、合成木材を、四角柱の金属防護パネルに、出し入れ出来る機能を足した世界初の新技術説明で有り、板スプリングによって、竹笹竹合成木材の地震時の合成木材固定
を計ってる。
この他の技術として、竹笹竹合成木材の上下の角位置には、炭灰材入りビニールシートパネルで、合成角材防護されている。
【００６５】
また、第22の課題解決手段として、一戸建て免振技術には、テレビマスコミ報道されていない技術として、一戸建て免振技術として、木材柱の固定及び壁材の固定の為に、世
界で初めて、竹笹竹合成木材の上下を引っ張り金具材として、組立ハウスの引っ張り金具を、改良した装置で有る構造の、細ワイヤ入りスプリング板の世界最新技術と木炭灰
材を入れたビニール球を免振引っ張り金具に内蔵した世界初の引っ張り金具装置によって、地震の柱と壁の揺れを、少なくする装置とした説明で有る。
本発明の場合、通常のボルトナット棒型引っ張り金具を、改良した調整ポルト棒金具に、細ワイヤ入りスプリングと連結止め成った構造にスプリングはがね入り固形窒素入り
劣化防止ビニール球を構造とした装置は、有る一定の引っ張りに対しては、遊び金具によって、引っ張り制御固定され、伸縮には、スプリングはがねと固形窒素入り劣化防止
ゴムによって伸縮調整を行える免振装置の引っ張り金具構造に成って入る。
他の引っ張り金具説明
此の他、ポルトナット締め付け方法のワイヤ引っ張り金具装置と布ロープの間に、細ワイヤ数本を内蔵した地震揺れ防止の布ロープの上下にポルトナットを取り付けた構造装
置説明で有る。
此の他、ワイヤガッチヤー方式の地震一戸建て免振装置の柱と壁の揺れ防止対策を、行った装置説明で有る。
古い他のビル免振技術のゴム免振を取り付けた説明。
ゴム免振だけを取り付けても、一戸建て崩壊は、防げない事実で有り、一戸建て木材免振用として、木材固定金具と木材引っ張り金具が、絶対に必要視されるのは地震の免振
装置の安全上絶対に必要に成る木材柱の固定装置と木材柱の引っ張り金具装置によって、壁材の固定と揺れの少なさを実現して入る。
また、別の飛島建設の超小型エアーホイストを、取り付けた一戸建て免振技術は、柱と基礎全体を、金属設計して、金属柱同志のホイスト引っ張り構造にした木材と金属の一
戸建ては、費用が高く成り、現在国が進めている全国の小中学校のコンクリート補強の用に、鉄骨使用の一戸建てに成る為、お金の無い人が住める家で無くなる。
此の他の技術
古くから、橋の四隅に使用されて来た鉄円柱の免振装置だけでも、木材柱の揺れの崩壊を、防ぐ事が出来ない事と地震時の揺れの振動が余り良い物とは言えないのも、現状で
有る。
更なる、テレビ新聞雑誌看板公開の最新式免振技術を一戸建て木材免振に、取り付けた場合でも、残念ながら一戸建て木材の崩壊を、防げないのが、明白に成るのもいうまで
も無い。
従って、これらビル免振装置を、一戸建て免振装置と偽っても、必ず木材柱と木材壁等を、固定する引っ張り金具が、絶対に必要に成るのも明白な事実で有る。
【００６６】
また、第23の課題解決手段として、一戸建て免振装置のコンクリート土台に固定設置される世界最新技術の、コロ電磁石反発免振技術は、円柱技術から、円球の中心部分に四
角柱状の鉄円球を、一定方向に進める為の構造にしている為、コロ免振の円球が同じ水平方向上に連続移動する為に、スプリング切れ防止のワイヤ入り板スプリングを採用し
ている事で有る。
【００６７】
また、第24の課題解決手段は、コロ免振装置の円球が、水平方向にワイヤ入りスプリング移動する場合、鉄円柱と鉄円柱の溝を持った装置の地震時の摩擦振動を防ぐ事と摩擦
劣化防止を、防ぐ為に、考えられたのが、鉄球の内部に軽水素トリチウム入り圧電素子磁石体を内蔵する為に、鉄球の中心部分から二つに分かれるボルトナット構造にした世
界最新の地震免振装置の、鉄球の反対側に中る部分の金板を、電磁石板構造にした電磁石反発作動の世界初の新技術で有る。
電磁石板構造の説明
電磁石板は、二つの鉄板の間にコイルを巻いた少し小さめの電磁石板を、二つの鉄板の間に挟み込んでポルトナット止めした世界初の電磁石板の免振装置の電磁石板装置の構
造説明で有る。
【００６８】
また、第25の課題解決手段は、コロ電磁石反発免振装置のコロ円球がスムーズムに水平移動するように、予め、免振装置のコロ円球免振装置が当たる部分には、油が敷かれて
いる構造に成る。
従って、コロ電磁石反発免振装置の電源が切れても地震対応出来る世界初のコロ電磁石反発の免振装置で有る。
【００６９】
また、第26の課題解決手段は、コロ電磁石反発免振装置の地震時の作動によって、コロ電磁石反発上下連続作動に対して、コロ電磁石反発装置の両サイドに軽水素トリチウム
電子入りの圧電素子磁石体を、設置した電子ライター発電構造を、応用した軽水素トリチウム電子入りの圧電装置を、使用した世界初の軽水素トリチウム電子入り圧電素子磁
石体発電装置積載の免振装置で有る。
【００７０】
また、第27の課題解決手段として、コロ電磁石反発免振装置の家に積載する窓ガラスは、世界初の軽水素トリチウム電子入り圧電素子磁石体微粒子ライン形状デザイン構造の
軽水素トリチウム電子入りの二枚合わせガラスに対して軽水素トリチウム電子入りシリコン素材に圧電素子磁石体微粒子を、混合内臓した網形状の軽水素トリチウム電子入り
の、圧電素子磁石体粒子入りの網の目状のシリコン網を、二枚合わせガラスに軽水素と一緒に内蔵した世界初の発電ガラスで有り、本発明の、軽水素トリチウム電子入りの圧
電素子磁石体粒子内蔵のシリコン網発電装置は、太陽光熱発電の他、外気熱発電と部屋熱発電が出来る為、豪雪地帯の3重窓の内側の部屋熱によって、軽水素トリチウム電子入
りの圧電素子磁石体粒子内蔵のシリコン発電窓ガラス装置は、部屋熱でも発電出来る世界初の発電装置で有る。
【００７１】
また、第28の課題解決手段として、コロ電磁石反発免振装置の窓ガラスの揺れと防犯防止の為に、窓ガラス全体にアルミ窓枠を、固定する為のアルミニューム一体型の、アル
ミニュームデザイン画一体型の、アルミニュームボルトナット溶着方式の、ダブル固定方式によって免振装置専用のアルニューム物質を、使った一戸建てハウスの免振装置の
窓枠装置に成る。
他の技術説明
問題は、通常窓ガラスのアルミニュームサッシの特許切れの著作権料金と二枚合わせガラスの特許切れの著作権料金の掛らない装置として、ステンレス薄板に、グラスファイ
バー用液で固定したステンレス板窓枠に、綿糸を三つ網にした超細ロープに、圧電素子磁石体粒子とシリコン液と軽水素トリチウム電子を、混合した発電網を、通常ガラスの
一枚板に内蔵した発電ガラス構造にしても、圧電素子磁石体の特許切れ著作権使用料金とシリコン発電の特許切れの著作権使用料金が掛ってしまう。
その為、太陽光発電装置の、シリコン装置の特許切れ以外に、軽水素トリチウム電子入りのダイオードも、確かに太陽光発電と部屋熱発電するし、軽水素トリチウム電子入り
のビニールでも、発電する為、太陽光発電装置のシリコンの代用品に成るが、軽水素トリチウム電子入り太陽光発電パネルの代用品は出来ても、最後の課題の圧電素子磁石体
の課題に成る。
従って、チタン酸パリームの代用品として、二酸化マンガン鉄粒子シリコン溶液と花崗岩粒子または、陶器粒子又は、軽水素トリチウム電子入りマイナスプラスチック粒子体
と軽水素トリチウム電子入りプラスプラスチック粒子体を、プラス極とマイナス極にした圧電素子磁石体代用品または、混合物質の代用品が、技術的に可能な場合は、圧電素
子以外の磁性体に成る。
他の磁性体説明
砂鉄粒子を、自制体の変わりに使用する方法として、鉄の精錬時に発生する鉄の煤を応用した砂鉄の世界最小超微粒子を使用した圧電素子代用品として、ニッケル酸と鉛酸を
応用した磁性体プラスチックエボナイト溶液の混合物質溶液の場合、砂鉄の超微粒子を、入れた方が良いと考えられるが、圧電素子磁石体の代用品を、発明する場合は、無料
の試験場が、必要に成り、日本の発明制度にには、お金の無い者は、発明と言う財産を、お金無では作り出す事の難しさを、戦争後の日本の経済社会の苦労が、見えて来る。
海外技術友好説明
従って、特許切れの著作権使用料金の契約と交渉を、日本の特許庁と経済産業省と外務省と総務省と内閣府などが、窓口となって、国民の平等な国の全額借金返済と都道府県
市町村区の全額借金返済の補助を、最高裁判官の変わりに行わなければ成らないのは、日本国が、この地球状に存在する限り、世界人権と日本の国の存在事実を否定出来ない
事実から、日本国の全額借金返済に、経済産業省を含む各官庁の無料の手伝いと公開による国の全額借金返済説明を、行わなければ、テレビマスコミと新聞マスコミが、日本
国を守る事を否定するマスコミ報道活動によって、何らかの法によって、それに、関わった国の財政の損益分の金額処分が、無ければ日本の弱者国民の世界人権回復と日本人
権回復による日本の弱者国民一人一人の自立は有りえないだけ、日本国の900兆円越えの全額借金は、重くのしかかる現状で有る。
商品物質の輸入課題説明
例えば、ガラス材は、たくさん日本に存在するから、日本国で再利用商品を、使えば安く済むが、チタン酸バリュームなどは、資材が少なければ、株式市場の値上がりが、考
えられる為、資材を調達する国々を、回るなど、日本国の官庁の仕事は忙しく成るが少しでも良いので、日本国の借金全額返済に日本の官庁全体の御理解を戴きたい。
【００７２】
また、第29の課題解決手段として、軽水素トリチウム電子入りの二枚合わせ圧電素子磁石体粒子入りのシリコン網ガラスは、圧電素子磁石体網目を、小さくすると部屋に入る
明かりが少なく成る為、デザイン画とデザイン広告文字を使って、全世界の企業広告料金の収益の上がる窓ガラス発電広告によって、二重の利益によって、一戸建て免振ガラ
スの利益の有りかたを、考えて行きたい。
【００７３】
また、第30の課題解決手段として、一戸建て免振装置付きの家に設置する一戸建て免振装置の高出力電磁石反発装置付きのドア開閉補助装置は、世界で一度も使用され無かっ
た高出力電磁石構造は、高出力モーターの内コイルに使用されている世界初の高出力電磁石板構造で有る。
従って、通常電磁石は、厚い鋼鉄板を使用しているが、本発明の高出力電磁石は、超薄板複数穴空きステンレス板を、複数枚用意して、軽水素トリチウム電子入りの圧電素子
磁石体粒子薄板を、複数枚用意して、交互に重ねた多重層人工永久磁石体に、世界初の技術の銅筒官配線に軽水素トリチウム電子と圧電素子磁石体粒子を銅筒官配線に入れた
世界初の、銅コイル配線の電気の通り易い物質で、作り上げた世界初の銅コイル配線の銅筒官コイル配線で有る。
他の技術説明
此の他、電気の通るプラスチック粒子と圧で素子粒子と軽水素トリチウム電子入りのチタン酸バリューム溶液と銅粉を、混合合成した銅コイル配線が、考えられるが、幾分電
気の通りが悪く成り、電気熱に弱くなると考えられる。
従って、石綿が使えなく成った現在、石膏水液に綿糸をしみ込ませた糸で、電気熱燃焼を避ける方法または、石膏粉入りグラスファイバー糸または、グラスファイバーカバー
絶縁体カバーが必要に成るのは、石綿が使えなく成った現在の代用品として、考えられる為、日本では、実用新案で有り、アメリカ合衆国などの実用新案の無い国では、特許
に成る要件で有る。
高出力電磁石説明
従って、複数穴空きの超薄鋼鉄板と軽水素トリチウム電子入りの圧電素子磁石体板の複数層重ねの人工永久磁石板に巻いた銅筒官コイル配線の超スピードのプラス電気とマイ
ナス電気は、電磁石の原理通り少ない電気で電磁石化する。
即ち、通常電磁石の場合は、唯の鋼鉄板で有り、高出力電磁石の場合、予め、圧電素子磁石体を使用している磁石体理由と軽水素トリチウム電子を、圧電素子磁石体粒子のチ
タン酸バリューム液に入れる事で、軽水素トリチウム電子の電気磁気波の流れによって、軽水素トリチウム電子活動が活発に成り、軽水素トリチウム電子入り圧電素子磁石体
電気電子増幅発電に成る為、通常電磁石より、少ない電気量で、電磁石化して、電磁石補助ドアの開閉装置に成り、圧電素子磁石体と電気の通るプラスチックを混合合成した
タッチパネルスイッチなどが、ドア開閉補助装置の、スイッチとして、考えられる。
従って、ドアの反対側には、軽水素トリチウム電子入り圧電素子磁石体粒子入りゴムの、ドアクッション止めの、電気量微調整の為の、銅微粒子と圧電素子磁石体を、混合し
た粒子コイルを、軽水素トリチウム電子入りの圧電素子磁石体合成の、ゴムまたは、ナイロンゴムまたはシリコンゴムによって、電気量調整のドア衝撃吸収装置に成り、電気
を使ったモータードア装置より、電気消費量を、少なくする事を目的としている。
【００７４】
また、第31の課題解決手段として、一戸建てコロ免振装置の家の、エレベータ装置のワイヤの接触摩擦摩耗劣化を防ぐ為に、一戸建て免振装置の家のエレベータワイヤの強化
対策技術として、世界で初めてエレベータワイヤに、鉄性の引っ掛かり装置を、リング状のエレベータワイヤに鉄の引っ掛かり装置を、複数個同じ間隔で、エレベータワイヤ
に、取り付けた世界初のエレベータワイヤ装置で有る。
発電装置の有りかた説明
例えば、エレベータワイヤに、取り付けられている鉄の中部分に、軽水素トリチウム電子入り圧電素子磁石体粒子入りのエレベータ装置の引っ掛かり装置では、高出力電磁誘
導発電と軽水素トリチウム電子入り圧電素子磁石体のエレベータ引っ掛かり装置のモーターワイヤベルト特殊リング金具装置の軽水素トリチウム電子入りの圧電素子磁石体の
駆動鉄心スプリング打撃連続発電も可能に成るが、音がうるさいのが欠点で有る。
此の他、超薄型高出力ダイナモ積載の高出力エレベータダイナモモーター積載使用が、考えられるが、いずれにしても、高出力電磁石技術と高出力モーター技術と高出力ダイ
ナモ世界最新技術が、無ければ電気消費量自体を、少なく出来なかったのも現状で有る。
モーター歯車の軽量説明
鉄歯車リングに、鉄とアルミニューム合金の鉄比率を高めた歯車十字枠軸を、鉄歯車リングに、差し込み固定及びねじ込み固定方式などの考え方が有り、アルミニューム比率
を高めた鉄合金は、アルミニュームの引っ張り金属耐久度に、合格しなければ成らない。
従って、エレベータの重みを、支えるだけの鋼鉄材の一戸建ての補強鋼材柱が必要に成る。
【００７５】
また、第32の課題解決手段として、一戸建て免振装置の竹笹合成木材の強度合格に成り次第、すなわち、竹笹合成木材に、再生グラスファイバー円柱芯入りの、竹笹合成木材
で有り、竹笹合成木材に、再生木材チップを、混合合成凝縮固化した再生合成木材などの、木材強度耐久試験に受かり次第、竹笹合成木材柱の端に、プラスチックビニール板
又は、プラスチック合成竹笹木材板を取り付ける構造にした、免振装置の柱引っ張り金具装置の、鉄板形状の木材家柱の隅々の木材角柱を固定する為の鉄金具とワイヤまたは
鉄芯に、ネジナット方式以外の、ワイヤ巻き取り固定装置などが考えられる。
此の他、レール状の、高出力DCブラシレス棒状レールインバータ制御モーター装置の、電磁石固定装置は、微地震に成り次第電源が、入り免振装置の、一戸建て木材の固定が、
可能に成る対策処置も有るが、特許料金以外の著作権使用料金ならば、日本国内ならば安いと考えられる。
但し、海外特許請求の場合、海外の国々の税金に対しても、海外の国の日本の弱者庶民一人一人の財団として行く為、低価格化として、免振装置の先技術者の特許切れの著作
権使用料金が、解決する事によって、海外の国々の利益還元を、基礎とした財団の活動行動が望まれる。
【００７６】
また、第33の課題解決手段として、一戸建てコロ電磁石反発免振装置の雨樋装置の水の落ち込む流れスピードを、電気に変える超小型水力方式ダイナモ回転装置の新技術説明
に入る。
従って、通常の、雨樋水管に、超小型水車板と超小型ダイナモだけでは発電しても、超小型ダイナモ発電量しか望めない為、世界最新の新技術として、スクリュー官を雨樋の
落ち込み水の水管を、ストレート官から、スクリュー官に変える事で雨樋官の水の落ち込みスピードを上げる事を可能にした世界最新技術で有る。
超小型ダイナモの改造案説明
水力のスピードを、上げただけでは、多くの電気が望めない為、通常ダイナモの、中央部分を刳り貫き、刳り貫いた場所に、軽水素トリチウム電子入りの圧電素子磁石体粒子
を、内蔵する事で、ダイナモの発電した電気打撃発電で、圧電素子磁石体のダイナモ電気打撃発電が、望む事が可能に成り、圧電素子磁石体に軽水素トリチウム電子を入れる
だけで、圧電素子磁石体の通常ダイナモ電気打撃の増幅発電が、望める為、トリプル発電方式が可能に成った高出力ダイナモを、雨樋の超小型ダイナモ装置に内蔵した技術に
よって、雨の多い地域の電力不足と、水力発電に、頼るしか無い国々の通常ダイナモ装置から、高出力ダイナモ装置への技術財産交換作業が考えられるのも、原子力廃棄物の
処理に、全世界が、困っているのも実情だからと言える。
【００７７】
また、第34の課題解決手段として、日本の弱者国民救済の地震対応型の多機能発電ハウスシステムの、湯熱発電システム説明に成り、湯熱は、38度〜42度位で済むが、原子力
タービンは、沸騰蒸気圧を使用する為、100度以上の熱エネルギーが、必要に成り、原子力自体の核融合熱は、250度を超える為、温度差の無駄な熱エネルギーの対応も、考え
なければ成らない課題で有り、地熱発電も、蒸気タービン回転の為、多くの地下蒸気エネルギーが、必要に成る。
他の会社の風呂の水に関しての発電方法の説明
現在、東京ガスでは、都市ガスから、水素を取り出して空気中の酸素と水素酸素の瞬間吸収物質の液体マグネシウム物質等の、発電方式が現在、液体マグネシウムの水素酸素
の瞬間吸収物質の、特許使用料金契約と特許における著作権使用料金契約の元で、事業を、行っているのが現状で有るが、湯熱エネルギー自体を、応用した発電システムはマ
スコミテレビ公開上確認していないのも現状で有る。
湯熱発電の効果的発電方法の説明
水を、湯熱に変えるシステムとして、積雪地帯の殆んどが使用している灯油ストーブ方式が、全体の90パーセントで有り、ガス湯沸かし機は、電気熱湯沸かし機の電気熱使用
料金の嵩む電気量の為、電気湯沸かし機は、普及していないが、灯油代と同じと言われるガス湯沸かし機も、燃料電池の場合、100万以上の高価な買い物に成り、石油湯沸かし
機は、30万〜50万位で、日本製の物が手に入り、中国及び韓国製及びロシア製の湯沸かし機は、まだ安く手に入ると考えられる。
従って、水を、湯に変える場合、熱エネルギーの全てが、湯熱に成る訳で無い。
従って、灯油の無駄な熱エネルギーを、冷やさない事を目的とする為、現在のステンレスストレート煙突官の煙の出口に、ワイヤロープ開閉装置または、モーター蓋開閉装置
を、取り付ける事に、よって灯油ストーブの未使用時の、外気熱侵入を避ける対策で有る。
この他、風呂場の、プラスチック配管の風呂水排出官の網蓋に変わる未使用時の、プラスチック蓋及びプラスチックゴムリング付き蓋及びゴム蓋及びビニールゴム蓋及び、ダ
イオードシリコン蓋などが、考えられるが絶対に、蓋が無いのが現状で有るが、自動電池内蔵の電動モーター仕切り弁風呂水排出官蓋装置で有り、携帯電話送受信確認出来る
タイプは、ドブネズミ対策装置で有り、ネジ型方式の風呂水排出官に取り付ける網ネジ装置で有り、実用新案に成る。
湯熱発電装置の構造説明
湯を、納める湯桶のプラスック構造または、樹脂構造を、二重構造にして、太陽光発電装置のシリコン材に世界最新技術の軽水素トリチウム電子入りのシリコン材に世界最新
技術の、圧電素子磁石体を軽水素トリチウム電子入りのシリコン材に、圧電素子磁石体粒子を内蔵させて、発電電気回収のプラス電極電気配線とマイナス電極電気配線を取り
付ける事によって、湯熱を世界最新技術の、湯熱発電が可能に成る世界最新式技術は、軽水素トリチウム電子入りのシリコン装置の為、外気熱発電と部屋熱発電出来る世界最
新技術説明で有る。
外気熱発電と部屋熱発電説明
通常のブルーソーラーパネルの最初発電光度は、部屋電気熱に成るが、太陽及び部屋熱を、太陽光パネルのシリコンが、吸収した場合、軽水素トリチウム電子によって、熱エ
ネルギーを、圧電素子電子化して、圧電素子磁気電子化に出来る軽水素トリチウム電子入り圧電素子磁石体内臓シリコンソーラーパネルは、湯熱発電パネルまたは、大量の熱
発生する燃料電池発電パネルの発電時及び発電後の発電熱を、軽水素トリチウム電子入り圧電素子磁石体粒子内蔵シリコンの外気熱発電パネルは、ブルーシリコンソーラーパ
ネル及び炭素シリコンソーラーパネルでも、高温使用の場合は、発電しても、熱エネルギー瞬間電気エネルギー変換出来る装置が付いて無い為、熱エネルギーを、電気エネル
ギー変換する量がかなり異なって来るのも事実で有る。
その他湯熱発電装置の他の装置説明
本発明の湯熱発電パネル槽の内壁は、デザイン画のセラミックパネルに、ネジ装置を取り付ける事で、雰囲気によって、デザイン画を変えて雰囲気を楽しむ事が出来る。
排出湯の再利用熱電気発電説明
風呂の排出官は、二重管の塩化プラスチック官の内側に世界最新技術の、軽水素トリチウム電子入りの圧電素子磁石体粒子入りのシリコン官を、内蔵する事と、湯熱発電装置
内蔵の配管に、湯水位センサースイッチと高出力電動モーター仕切り弁装置を、内蔵積載する事で、世界で初めての排出湯が、冷めるまで、排出湯熱の連続発電出来る世界最
新技術で有る。
排出湯の再利用水処理技術説明
風呂の排出官を、通じて地下の貯水タンクに、納められた排出湯は、高出力モーターとベルト切れ防止の為に、複数歯車を使用積載した真空装置と高出力モーター積載内臓し
た電動仕切り弁と湯熱残水熱吸収発電出来る真空装置のスクリュー熱発電官を、積載した世界最新式の真空装置で有る。
風呂湯を、高出力電動モーター仕切り弁を使用して、風呂湯を密封して、風呂湯の密封室の空気を、真空装置を使って瞬間に抜き取ると同時にもう一つの別の部屋の水中に瞬
間気化させた風呂湯を、別の地下貯水タンクの水中に気化水を流し込む事で、瞬間に気化水を真水融合出来る世界最新技術説明で有る。
風呂の濾過水の臭い取り技術説明
一般的には、臭い吸収率の良いヤシの実の殻を、活性炭化した物質が、冷蔵庫活性炭として、広く使用されているが、竹炭及び木材活性炭及び乾燥わさび粉などによって、風
呂湯の再処理水の簡単な臭い取り手段で有る。
此の他、再処理風呂水を、最新式技術のテングステン入りのニクロム線によって、再処理風呂水を、一度沸かす事で、臭い物質を含む物質を、沈澱させる方法が有る。
風呂の湯沸かし機の熱エネルギーの効果的回収対策案説明
通常煙煙突ステンレス管を、二重管構造にして、ステンレス管の内側を、アルミニューム官と銅合金の二重管構造にして、煙熱を、湯熱使用出来る世界最新式技術で有り、電
動モーター仕切り弁付きの世界最新式の風呂の煙突湯沸かし機で有り、世界最新技術の軽水素トリチウム電子入り圧電素子磁石体粒子内蔵のシリコンパネルを、湯熱官に内蔵
する事で、湯沸かし機の煙突の湯熱官に内蔵積載した世界最新技術の風呂煙突の発電装置説明で有る。
此の他、風呂の煙突官の内側の一部に、シャワー装置を、積載して、風呂湯沸かし機の煙成分を、100セント取り除いた無臭及び無煙の煙突廃棄官の先に超小型の風呂湯沸かし
機の煙突熱エネルギーを、100セント湯熱変換出来る世界初の装置で有る。
風呂湯熱官の煙処理装置のシャワー装置タンクに溜まった熱水廃棄物タンクの熱発電パネル積載する技術と風呂の煙突の排出煙は、真空装置によって、ススのみを、処理する
方法と雨水排出官に、排出官設置によって、捨てる処理方法が考えられる。
【００７８】
また、第35の課題解決手段は、台所排出の台所排出水を地下タンク設置の風呂水処理タンクへ、電動モーター仕切り弁を積載した風呂水及び台所排水の瞬間真水処理タンク槽
に、流し込む事が出来る構造の装置説明で有る。
台所の排水官から、地下タンク槽までの距離間が有る為、ストレート官から、スクリュー官に変える事で、水車板内蔵の超小型高出力ダイナモ発電出来る世界初の新技術の台
所排水処理水発電技術構造説明で有り、雨どい発電装置と同じ構造に成る。
【００７９】
また、第36の課題解決手段は、台所排水と風呂水処理の地下タンクの濾過処理水タンクの他に、濾過処理真水を、水素と酸素に、超小型高出力遠心分離機と高出力電動モータ
ー仕切り弁装置を積載した高出力遠心分離機装置説明で有る。
高出力遠心分離機は、密封円筒を高出力モーター積載内臓の、複数の電動モーター仕切り弁装置付き配管内蔵積載構造の遠心分離機に、電動仕切り弁内蔵型の複数針穴構造の
圧電素子パネルカバー内蔵の液体マグネシウム燃料電池発電パネルで有り、反対側に、放射線内蔵シリコングラスファイバーパネル内蔵の温度感知カメラを、積載する事で通
常の水を、水素と酸素の分かれ目だけが燃料電池発電する為、温度が一部分だけ、上がる事を、確認出来る為、水素と酸素の遠心分離機内の水素位置と酸素位置がわかる為、
水素と酸素を、瞬時に区分けして、別タンクに内蔵積載する事を、可能にした世界最新式の水を水素と酸素に分ける装置で有る。
水素を、重水素と軽水素に分ける装置説明
水素タンクと酸素タンクに、分けた水素は、再び高出力遠心分離機によって、軽水素と重水素に分けるのだが、軽水素は、トリチウム電子2個の気化原子物質で有り、重水素は
トリチウム電子1個にプルトニューム中間子で有り、水素分離機内に、微量のタンク内水素に温度を与えた水素を、遠心分離機内に入れて温度吸収するのは、軽水素電子に成る
為、重水素は、温度吸収が、遅い為、熱感知カメラに、よって、重水素と軽水素を区別する方法が有る。
此の他、微量の酸素を、入れる事で、燃料電池発電する位置を、計測して軽水素と重水素を、別ける方法で有り、燃料電池発電は、プルトニュームと酸素融合発電出来ない事
実を逆に利用した水素と重水素の区別の仕方の説明で有る。
此の他、古くから有るとしたら、酸素濃度センサ―とは、上空の気化物質観測装置の酸素濃度センサー装置を水素の遠心分離機に積載内臓する方法も有る。
軽水素の活用説明
軽水素は、酸素と合成して、燃料電池発電出来る。
軽水素と酸素の発電後の処理水は、原子力放射線処置患者が、専用に飲む飲料水として、プルトニュームを体内に入れない対策説明に成る。
重水素活用説明
重水素は、庭の片隅に作られた生ゴミ発酵物質の重水素空気口取り付け装置材として、空気中に放出する事に成る。
此の他、トイレ排水と一緒に流す手段が有るが、ガス検知検査が、必要視される。
【００８０】
また、第37の課題解決手段は、水道本官発電装置の構造説明
最近のテレビマスコミで、騒がれている二酸化炭素排出努力のテレビ報道が、目立つ毎日で有り、本来水道水の力のスピードを落とさないで水道管本官をスクリュー官に変え
る事で、水道本官の水スピードは可なり速く成り、水車板と高出力ダイナモによって、水道管本館に、取り付ける事で水道本官水の流れを利用した世界初の水道本官の発電装
置説明で有る。
【００８１】
また、第38の課題解決手段は、日本の弱者国民救済の地震対応型の多機能発電ハウスシステムの生活排水の風呂排水水及び台所流し水の濾過水を使用した水洗トイレの構造説
明を始める。
まず、一戸建ての地下に風呂排出水と台所流し水の濾過水タンクを、設置した構造に対して、地下の濾過水が、不足した場合の、水道水切換えと濾過水切換えの、全自動電動
仕切り弁の水位センサースイッチ反応切換え弁装置によって、水を全自動供給している構造で有る。
別トイレ構造説明
トイレの水使用を、少なくする為に、真空装置を使って、トイレ排泄物を、密封した部屋に世界初の新技術の高出力電動モーター仕切り弁を取り付けた真空トイレ装置閉じ込
めて、トイレ排泄物を、瞬間乾燥させて、別の部屋で、木材発酵バクテリアと麹発酵バクテリアなどの混合バクテリアによって、発酵処理してから、乾燥物質にしてから、牧
草地の肥料として、使用出来る用にしている。
トイレ排泄物は、一度別の部屋で、水中撹拌されてから瞬間真空処理される事に成る。
トイレ排泄物を、真空装置を、使って瞬間気化乾燥する時に発生するアンモニア気化水を、使って瞬間アンモニア気化水発電が行われ、発電後のアンモニア水は、トイレ排水
として地下排水官に流す構造で有る。
トイレ槽に、流れる水はスクリュー排水として流れるスクリュー官を使用した構造で有る。
他のトイレ洗浄構造説明
トイレ槽全体を、高出力電動モーター仕切り弁構造にして、全自動回転ブラシ装置によって、トイレを全自動洗浄出来る装置で有り、密封全自動温水トイレ掃除機能の為、衛
生的で有る。
此の他、トイレ槽の中を、温水でスクリュー洗浄する洗濯スクリュートイレ構造が有る。
【００８２】
また、第39の課題解決手段は、日本の弱者国民救済の地震対応型の多機能発電ハウスシステムの、電気熱発電コンロの構造説明を始める。
電気コンロ電熱線は、通常のニクロム線の中央部分を、刳り貫いた複数穴空き構造の場所にテングステン金属を入れた電熱線で有り、ニクロム線より、電気吸収の早いテング
ステン金属を、ニクロム線内に入れた世界初のテングステン金属内蔵の複数穴空きニクロム線構造で有る。
通常電気コンロとの違い
電熱線だけでは、電気消費が、多くなる為、銅金属とテングステン金属とニクロム線金属を、合金とした金属板に、テングステンを内蔵したニクロム線を、合金板に内蔵した
電熱線板構造で有る。
電気消費を、抑えた電熱線内蔵板構造説明
通常の水は、水素と酸素構造で有るが、温度が弱冠低くても沸騰する水物質構造の、軽水素トリチウム電子と酸素結合の軽水素水は通常の水より、沸騰温度が、低くても沸騰
するのが、軽水素トリチウム電子水で有り、テングステン金属入りニクロム線内蔵電熱線金属板パネルの電気消費を少なくする為に、テングステン金属入りニクロム線内蔵電
熱線金属板パネルの中に水管構造を用いた世界初の電熱線板パネルに水管を取り入れた急激に冷えないで、80度位の温度持続可能な電熱線パネルで有る。
他の電熱せん構造説明
ニクロム三重構造電熱線は、ニクロム線構造とテングステン構造とプルトニューム構造の電熱線中央部が、プルトニュームに成り、プルトニュームを包む用にテングステン筒
構造に成り、最後にニクロム線構造の世界初の電熱線に成り、将来的には、鉛を電熱線の中央部分の構造にして、外側をテングステン金属と銅合金金属のニクロム線は、冷め
にくい電熱線で有り、通常より低い電気熱で、放熱するニクロム線に成り、鉛金属線の上にテングステン金属を被せて更にテングステン合金のニクロム線を被せた電熱線は、
通常より、低い温度で放熱する電熱線構造で有る。
軽水素トリチウム電子水を使った発電方法の説明
軽水素トリチウム電子水は、通常の水より、沸騰温度が低いのが、事実で有り、沸騰水スピードを、上げる為、スクリュー官使用している。
此の他、スクリュー官軽水素トリチウム電子入り酸素官は、軽水素トリチウム電子入り圧電素子磁石体粒子入りシリコンの熱発電パネルを、軽水素トリチウム電子いり酸素水
官の熱吸収発電装置として、軽水素トリチウム電子入り酸素水官カバーとして、取り付けられている世界初の構造に成る。
沸騰水制御の方法説明
一例として、古い建設機械のセラミック構造で無いエンジンのラジエターは、エンジンのピストンの減りから来るエンジン回転数だけが、上がるタイプでは、ラジエターのオ
バーヒートが目立つ機械など、沸騰した水を、制御出来ない時代も有った。
従って、沸騰水を、制御するだけで無く、超小型水車板型内蔵型の高出力ダイナモ発電装置を、複数設置する事で、沸騰水エネルギーを拡散する事で、沸騰水破裂を無くす為
に、超小型水車板内臓型高出力ダイナモ発電した電気圧によって、ニクロム線の電気供給量の全自動調整出来る複数の電気抵抗器と電圧切換えスイッチによって、超小型水車
板内臓型高出力ダイナモの発電量によって、ニクロム線電気供給コントロールするシステムで有る。
更に、超小型水車板内臓型高出力ダイナモの発電した電気を使って別のニクロム線回路を、コンロ中央部分に追炊き電熱線として、設置する事で、軽水素トリチウム電子入り
酸素水のニクロム線使用電気量を、少なく出来る軽水素トリチウム電子入り酸素水発電型の電気コンロの沸騰水制御説明で有る。
此の場合、補助電源に、急速充電池などが、積載使用する事で、家庭電気の使用を少なくしている工夫で有る。
沸騰水制御装置の発電説明
沸騰水を、制御する為の、沸騰水タンク全体は、世界最新の技術の軽水素トリチウム電子入り圧電素子磁石体内臓のシリコンソーラーパネルを、沸騰水タンク構造とした世界
初の熱吸収発電シリコンパネル装置は、シリコンに内蔵した軽水素トリチウム電子が、瞬時に熱吸収して、シリコン材が熱を温存して、熱吸収した軽水素トリチウム電子は圧
電素子磁石体粒子によって、瞬時に熱磁気電子を、電気変換出来る世界で初めての電気コンロ熱の再利用コンロによって、今までより電気消費の少ない電気コンロにする事で、
ガスコンロ及び石油コンロより、経済的な電気消費の少ない電気コンロ装置よって、日本の弱者国民の生活の保護の手助けを行う事と国の全額借金返済を目的とした電気コン
ロ構造説明で有る。
【００８３】
また、第40の課題解決手段は、日本の弱者国民救済の地震対応型の多機能発電ハウスシステムの夏冬交換用の床壁パネル構造説明で有る。
冬用の床壁用パネル構造は、通常の床暖房装置は、ゴムホースにカーペットを敷いただけの構造が、床暖房として、水を温めて使用するシステムに成る。
本発明の場合の床暖房及び壁暖房装置の説明
石油ストーブの湯沸かし機では、湯を沸かす量が、限られた技術で合った。
その為、通常の水から、沸騰水入れた軽水素トリチウム電子水を使った湯沸かし機は、通常の水より、沸騰温度の低い軽水素トリチウム電子水は、通常の水の重水素部分を、
取り除いて、代わりに軽水素トリチウム電子を追加して、軽水素トリチウム電子3個と酸素の混合水によって、沸騰温度を、通常の水より低い温度で、沸騰する水の為、石油ス
トーブの灯油代節約は、豪雪地帯に朗報な世界最新情報に成る。
更に、軽水素トリチウム電子入り酸素水に不凍液を入れる事で、冬場の凍結防止対策としている
従って、壁暖房パネルも、同じ構造に成る。
床暖房パネルと壁暖房パネル構造説明
第一番目に、仕上げ床板の上に、ウレタンシートを敷いた上に暖房ホースがハマる溝構造に成っている敷き板を敷いた所に床暖房ホースを這わせて、カーペットなどを敷いた
構造の床暖房と壁暖房装置説明で有る。
他の床暖房パネル構造説明
通常の床暖房は、一本のゴムホースにだが、床暖用ばねる板に予め溝が掘られていて湯熱発電ホースが、内蔵に成っていて、薄板カバー防護に成っている構造で有り、通常は、
カーペット無しのフローリング床暖装置に成る。
此の他、床暖棒装置を二つに分割した二重ゴムリング湯漏れ防止取り付け金具に、二つの床暖房装置が、動いてずれない用に、板金具にポルトナット止め構造になって入る。
夏用の冷却固形窒素パネルの説明
夏用の固形窒素冷却パネルは、合成竹笹木材板に、固形窒素パネルを内蔵した世界初の冷却パネル合成木材板で有る。
此の他、竹笹チップの上に、竹の表面部分を薄く剥ぎとった物を、竹笹合成木材に接着加工して貼り合わせた構造の合成木材の内部に固形窒素パネルを内蔵させた世界初の冷
却パネル装置の説明で有る。
更に、固形窒素冷却パネルは竹笹合成木材と固形窒素パネルの細ラインを交互に並べた固形窒素入りの複数穴空きの冷却パネルで有る。
別途技術として、シリコン材とフロンガスを合成したフロンシリコンシートとシリコン材と固形窒素を合成したシリコンシートを作り、フロンシリコンシートを、固形窒素シ
リコンシートで、保護した複数重ね冷却材入りシリコンシートを壁材床材に挟む用に入れる冷却材パネル構造説明で有る。
他の技術説明
シリコン冷却材入りシート等の、医療特許及び医療著作権使用の回避から、ビニール材にフロン合成のビニールフロンシートは、ビニールフロンシートの上に通常のビニール
シートを、フロンシートの両面に被せたフロンガスを空気中に放出しない為のフロン放出防止シートで有り、固形窒素とビニール合成のシートを、フロンビニールシートの両
面に被せた構造の冷却シートを、竹笹合成木材の間に入れた、夏専用に使われる冷房費を、節約出来る通常板パネル等にポルトナット止め装置を、付けて合成固形窒素冷却パ
ネルを、夏場の暑い時期だけ、使用出来る用にした冷却材入り家用のパネル。
此の他、材料が余り無い液体ヘリュームなどを、ビニールシート及びシリコンシート及びプラスチックシート及びダイオードシート及びゴムシート及び液化樹脂シート及びマ
グネシュームシート等の金属シートに、内蔵または、混合合成した冷却材シートが考えられる。
【００８４】
また、第41の課題解決手段は、日本の弱者国民救済の地震対応型の多機能発電ハウスシステムの軽水素トリチウム電子入り発光ダイオードライト玉装置の構造説明を始める。
通常ＬＥＤライト玉とは、異なる装置説明として、ＬＥＤに使用するダイオード素子に、軽水素トリチウム電子を入れた世界初の軽水素トリチウム電子入りの発光ダイオード
ライト玉の、世界最新式の発光ダイオードライト玉の世界最新式技術で有る。
発光ダイオード玉装置のライト光の増幅手段説明
発光ダイオードライト玉の数を、増やすのが一つの手段で有る。
通常は、使用しない場合、取り外せる構造のコンセント型または、凹凸式の差し込んで、ひねってロックして止める方式または、テレビ報道されているネジ型などが、有るが
本発明の、コンセント型差し込み型のＬＥＤライト玉装置は、刺し込んだだけは、今までの方式のコンセントタイプに成り、スプリングバンドで、二重ロックする事で、地震
対応型に成って居る。
ライトの取り付け方法の説明
今までは、地震が来た場合、ライト装置が揺れる事を防ぐ為、板金具にポルト止め構造にして、地震時の揺れ防止対策としている為、木材は、丈夫な物を使用するなどの工夫
が、必要に成る。
ライトデザインの説明
世界特許のＬＥＤは、海外特許の為、日本の商品には、特許国と特許番号と特許者氏名などが、商品記載されていない為、ＬＥＤの特許国が、日本で無い為、日本企業では特
許契約の企業秘密として、絶対に特許番号特許国及び特許者氏名を、絶対に明かさないと言う情報公開拒否を、行うのが、現状で有る。
そして、日本企業は、発光ダイオード玉の海外株を、買う事で、株式の利益取得によって、商品化される為、特許番号自体つまり、ライトデザインの特許番号を、調べるだけ
でも、特許庁は、自分で調べるのが、情報公開に当たると主張している現状の為、デザインなどを調べるのにも莫大なお金が、掛るのも現状で有る。
例えば、ライト玉の色変えは、デザイン特許でも、無い為、特許使用料金の上乗せは、有りえない為、今後商品の料金に注目して行きたい。
更に、ＬＥＤライト玉装置の特許権の期間は、事実上特許切れの為、特許庁の言い分では、誰でも商品を作る事が、出来ると言っているが、著作権上勝手に作ると国際賠償が、
発生して、特許利益を、特許年数分得て無い為、特許権が、切れても特許権の利益を得て無い年数分の請求が、来る事に成る。
更に、発光ダイオードライト玉装置の、原料のガラス材とダイオードは、無数に有る為、今後違うデザインによる発光ダイオード玉ライトの販売は、特許権使用料金を支払っ
て、都道府県市町村区などの、事業も有りえておかしくない時代が、来ているのは、先発明主義と異成る先技術保護とは、お金を出して特許提出しなければ、日本の国と最高
裁判所では、先技術著作権を、先技術として、まず最初に、日本国では、特許法では、先技術著作権文献を、保護するとは、明記していない為、アメリカ合衆国の先技術著作
権などの特許提出で無い、先技術著作権文献は、国際上認めるのが、日本の特許庁であるが、日本国内の先技術著作権は、絶対に認めない日本の特許庁の総務部の回答で有る
為、マスコミを、通じて国の全額借金返済活動の先技術著作権が、アメリカ合衆国は、認めても、日本国内の国民の主張は、認めない国際人権保護の観点から、特許庁回答と
経済産業省回答と法務省回答と内閣府回答を、求めて行きたい。
【００８５】
また、第42の課題解決手段は、日本の弱者国民救済の地震対応型の多機能発電ハウスシステムの、防犯装置として、一戸建て建築物の周囲にパネル状の重量計センサーによっ
て、家の侵入者を、家の周囲のライトカメラ感知によって、全自動携帯電話連絡出来る重量計センサーで有る。
重量計センサーの構造説明
重量計センサーは、家の周囲の敷き板に、内蔵する重量計に超小型携帯電話送受信装置と自動充電池及び充電池及び循環発電型充電池等を、内蔵した世界初の重量計センサー
で有る。
使用用途説明
数年前の、東京都の六本木ビルの回転ドアに子供が、挟まれて死亡した事故などを、未然に防ぐ為の、エレベーターブレーキスイッチ等の応用装置で有る。
その他、家の侵入を、未然に防ぐ、カメラの人形状認識装置等の、信頼性を上げる為の重量計センサーで有る。
その他、医療施設の人件費節約の為の、全自動重量計測電波連絡装置
その他、道路に、内蔵する全自動の重量計装置で有り、未来の道路の沈下防止対策として役立てる。
【００８６】
また、第43の課題解決手段は、日本の弱者国民救済の地震対応型の多機能発電ハウスシステムの発電塗料の構造説明で有る。
通常の鉄板屋根及び瓦屋根に、絶縁体塗料を塗った上に発電した電気を回収する金属シートを貼って、軽水素トリチウム電子入り圧電素子磁石体粒子を、塗ってさらに、軽水
素トリチウム電子入りシリコン塗装剤を、最後に塗る工程で有る。
簡単な発電塗料の説明
とたん屋根などに、接着の強いシリコンシートまたはビニールシートを、瓦などに貼り、大きさを、木材角で区切り、軽水素トリチウム電子と圧電素子磁石体粒子とシリコン
材と塗装剤を、混合合成した物質を、ビニールシートに塗る前に、薄銅板配線を接着した後に、軽水素トリチウム電子入り圧電素子磁石体内蔵シリコン塗装剤を、塗った簡単
な発電塗料説明で有る。
使用用途説明
自動車の塗料及び家電製品の塗料及び将来的には、発電蓄電糸などが、出来る理由として、宇宙服使用が、考えられたり、宇宙ロボットの発電システムに使用される事が、考
えられ、全ての塗装及び塗料剤などに、使用用途が広がる事も考えられる。
従って、プラスチックを、燃やしたりするゴミ焼却時代は、何処までなのか再び考えなければならない時代が、そばまで来ている。
【００８７】
また、第44の課題解決手段は、日本の弱者国民救済の地震対応型の多機能発電ハウスシステムの固形窒素入りグラスファイバーパネルの地下貯蓄タンク水槽によって、雨水濾
過技術に於いて、超小型真空装置の一戸建て設置によって、瞬間に泥水及び雨水及び地下水及び海水などを、瞬間気化する技術によって、雨水などを貯蓄して、使用する未来
型技術によって、水道水の枯渇心配を、無くす時代で有る事を、フイルター濾過の場合は、フイルターを、何度も変えなければならない事とフイルター代が高く付く事とフイ
ルター衛生の問題点などが、考えられる為、水の料金が、高く付き過ぎる課題で有る。
将来的の旅先の飲料水確保の有り方説明
将来的には、真空装置内蔵型の水循環型の燃料電池車から、超小型水中ポンプ等によって、旅先の川や海及び湖の水を、燃料電池車の真空装置で、瞬間濾過して飲んだり、炊
き物に使われたり、風呂水に使われたりする事も、可能に成り、処理方法は、水の気化放出して、残物だけを、ゴミ処理する方法で有る。
更に、水循環発電方式の燃料電池車の、フロンガス合成炭素ブロック内蔵窒素冷却装置によって、川等の水を、瞬間に冷やして飲める時代が、側まで来ているのも間違い無い
時代で有る。
【００８８】
また、第45の課題解決手段は、日本の弱者国民救済の地震対応型の多機能発電ハウスシステムのスッポンジパネルは、過去の土の役目をして、プラスチック石は、過去の川石
の役目を、果たして、将来的に、石油の枯渇の場合、プラスチック石を、再利用して使う時代の対策手段とゴミ処理に、お金を余り掛けない為の対策案で有る。
此の他、グラスファイバー穴空きパネル等は、スッポンジ等の潰れ防止装置としている。
お金を、掛けて土を入れ替えたり、自然石を持ち込んだり、木々を植えるのも一つの考えだと言える。
【００８９】
また、第46の課題解決手段は、日本の弱者国民救済の地震対応型の多機能発電ハウスシステムのトイレの供給水スピートに補助ゼンマイの水水車板回転スピードを、上げる為、
の装置を取りつける事によって、少ない水で、大きな発電量を、作る装置の構造説明で有る。
発電装置の構造説明
水洗トイレの水供給装置には、ストレート官から、スクリュー官に変えた世界初のスクリュー官を使用した水供給装置で有り、発電装置に、水車板と超小型高出力ダイナモを、
積載内蔵した世界初の発電装置で有る。
水洗トイレの水力を上げる説明
水車板の回転スピードをさらに、高速にする為に、ワイヤ入りゼンマイ板の回転を、補助動力とした水車板に補助動力のゼンマイ板を、全自動で巻き取る装置までが、水洗ト
イレの水車型ゼンマイ装置の全自動説明に成り、水車板が水力と同時に回転すると同時に備えつけのゼンマイ板装置が、全自動作動する装置説明に成る。
【００９０】
また、第47の課題解決手段は、日本の弱者国民救済の地震対応型の多機能発電ハウスシステムの軽水素酸素陽電子陰電子スパーク燃料電池発電装置に積載使用する世界初の新
技術の高出力卍形状インバータ制御モーターの構造を説明する。
世界初のモーターは、内コイル形状は、卍形状の内コイルを、二組内蔵させた卍形状の両先端部分を、世界初の新技術の複数穴空き鋼鉄薄板を複数枚用意して、さらに、軽水
素トリチウム電子入り圧電素子磁石の薄板を複数枚用意して、交互に重ね合わせて組あ合わせた合成永久磁石は、鋼鉄磁石と圧電素子磁石の二つの能力を、得る事が出来る人
工の永久磁石で有る。
更に、卍形状の両先端部分だけが、永久磁石部分に成り、その他の部分は、アルミニュームまたは、ジュラルミン金属の超軽量金属または、複数穴空き鉄板などが、超軽量構
造説明で有る。
電磁石側の説明
各社で、主張するＤＣブラシレスモーターは、特許者不明なのが、日本の特許庁で有るが、ＤＣブラシレスモーターと同じだけ、電磁石を、使わないようにする為、モーター
の内コイルは、今まで使用されなかった卍形状にしてる為、一方方向の右回り卍形状モーターは、左周りに、する場合は、逆卍形状のモーターを、通常卍形状モーターに、別
配線付きで、モーター軸に組み合わせなければならない、片側方向作動のモーター形状だからで有る。
従って、片側方向しか使用しないモーターでは、省電気消費モーターとして活躍出来るのも、内側の永久磁石付きモーター卍作動装置を、作動させる為に、高出力電磁石を外
側に二つ用意しなければならない。
他のモーターとの違いの説明
一番似ている、モーター形状では、本田技研の主張と日本の特許庁の主張の、世界に絶対先技術が、無いと言われてる墫野和夫より、先発明日が、後のＤＣブラシレスインバ
ータ制御モーターは、円球形状だが、本発明の卍形状内側モーター軸の装置形状は、卍形状の先端部分だけが、人工永久磁石体構造で有り、後は、他のＤＣブラシレスモータ
ーに、絶対に無い、アルミニュームまたはジュラルミン金属などの、非磁石体構造は、モーターの内コイル板またはＤＣブラシレスモーターには、絶対に使われない金属で有
る。
更に、外コイル式のＤＣブラシレスモーターの内モーター軸の永久磁石体の、永久磁石が、鋼鉄磁石と圧電素子磁石の両方の能力を、持つ永久磁石で有る事。
次に、8本の永久磁石を、連続作動させる為の、卍形状モーターの外に二つの世界最新技術の高出力電磁石を二つと二つのインバータ電磁石連続制御装置によって、世界で一番
電気消費を、少なく出来た世界最新技術の高出力電磁石二つに成り、複数穴空きの鋼鉄薄板と軽水素トリチウム電子入り圧電素子磁石体板を、交互に重ねた人工永久磁石に世
界最新技術の、銅筒官配線の軽水素トリチウム電子入り圧電素子磁石体電気配線を、銅筒官配線に内蔵した世界最新式の銅筒官配線を、巻いた世界最新式の高出力電磁石二つ
の電気消費だけで、卍形状モーターを連続作動させる事が出来る。
卍形状モーターの欠点の説明
卍形状モーターは、本田技研主張と日本の特許庁主張のＤＣブラシレスモーターより、電気消費を、更に少なくする為に、行った技術とは、モーター軸に連なる永久磁石8本の
形を、ＤＣブラシレスモーターと同じ円形にすると、モーターの連続回転が、出来なくなるばかりか、モーターの力が無くなる為、世界で誰もデザイン上行った事の無いモー
ターデザイン形状で有るが、このモーターは、コイルの電気の流れで、作動するモーターで、無い為、外コイルの位置が、一つずれた位置の反対側に、取り付ける事でモータ
ーの、卍形状の永久磁石体が、どの位置に止まっても、支障の無い用に成っている。
更に、外コイルを、三つにすると完璧だとも、言えるが力が少し付き電気消費が、少し多くなると言える。
唯、有一の欠点とは、反対回転の出来ないモーター形状の為、逆向きの卍形状モーターを、卍形状モーターのモーター軸に取り付けた二連結以上モーター形状にする事で、右
廻り、左廻りの両方が、可能に成る世界最新式の高出力モーター楢でわの電気消費を、実現している世界最新技術の高出力卍形状モーターで有る。
【００９１】
また、第48の課題解決手段は、日本の弱者国民救済の地震対応型の多機能発電ハウスシステムの、高出力電磁石は、コイルが、邪魔する場合は、世界最新ム技術の超薄板の複
数穴空きの鋼鉄板と軽水素トリチウム電子入り圧電素子磁石超薄板の二種類の超薄板を、交互に重ね合わせた人工合成永久磁石に、世界最新技術の、軽水素トリチウム電子入
り圧電素子磁石体内蔵の銅筒官電気配線を、巻いた状態に、二枚の超薄複数穴空き鋼鉄板の間に熱処理砂鉄または、超微粒子鉄粉と軽水素トリチウム電子と圧電素子磁石体を、
混合合成した物質を、二つの複数穴空きの超薄鋼鉄板で、平均に挟んで高圧縮した永久磁石を電磁石に被せる場合、ゲルマニューム液を、電磁石に超薄く被せてから、合成永
久磁石体を、コイルカバーとして永久磁石を、被せた世界初の高出力電磁石で有る。
【００９２】
また、第49の課題解決手段は、日本の弱者国民救済の地震対応型の多機能発電ハウスシステムの、循環発電充電池の、軽水素トリチウム電子を、収納する充電池部屋及びバッ
テリー部屋は、急速磁気電気変換する事が、出来る構造の充電池部屋及びバッテリー部屋を圧電素子磁石体の部屋を、磁気部屋にした世界初の技術で有る。
軽水素ニッケルバッテリー構造の説明
ニッケル水素電池と異なるプラス極活物質として、ニッケル水素電池はオキシ水酸化ニッケルを使用しているが、軽水素ニッケルバッテリーは、ニッケルまたは二酸化ニッケ
ルなどの、ニッケル水素充電池とは異なる物質を使用している構造。
ニッケル水素電池と異なるマイナス極活物質として、ニッケル水素電池は、水素吸蔵合金(Ｍ→マグネシウム)＋水素(Ｈ2)(別途ニッケルマグネシウム水素吸蔵合金)に対して、
軽水素ニッケルバッテリーは、ニッケル＋水素(Ｈ2)または、複数針穴構造の、ニッケルの中に、軽水素トリチウム電子入りシリコン材を内蔵した電極などが考えられる。
循環発電充電池の構造
水素ニッケル充電池は、水素中にプルトニュームの重水素が入ってる為、熱抵抗電気が、発生するが、軽水素ニッケル充電池は、軽水素トリチウム電子自体が電子集合体の為、
水素より、軽水素は熱抵抗電気発生が少なく成る為、充電は早く成るが、電気中の熱抵抗電気を取り除いて無い為、急速充電時でも、熱発生が生じる為、世界最新技術の圧電
素子4電子磁気分割装置に、よって電気抵抗の無い電気を可能にしたが、軽水素トリチウム電子を介してニッケル充電する場合、熱抵抗が発生する為、ニッケル金属の中心部に、
フロンガス入りのシリコン粒子またはビニール粒子またはダイオード粒子またはゴム粒子等に内蔵した固形窒素複数針穴式のプラスチックカバーを、被せた冷却装置をニッケ
ル金属に内蔵した充電池金属説明で有る。
電極金属説明
電極金属部分の中央部分には、世界最新技術のフロン大気放出防止構造の、シリコン内に、フロン冷却ガスを混合合成内蔵したフロンシリコン棒に、プラスチックまたはシリ
コンまたは、ビニールまたは、ゴムまたは、シリコンゴムまたは、軽水素入りシリコンゴムなどを、フロン合成シリコンに被せる構造にする事で、フロンガスを全く大気に放
出しない構造の、フロンガス入りの電極棒冷却装置の再利用を、行った世界初の充電池電極棒とバッテリー電極棒説明で有る。
循環発電充電池の発電回路説明
圧電素子に、内蔵する軽水素トリチウム電子は、100パーセント軽水素トリチウム電子で、無ければ成らない程、繊細技術で有り、発電回路は、プラス圧電素子磁石体発電回路
とマイナス圧電素子磁石体発電回路を、必要とする世界初の発電回路は、プラス増幅電気を得る為に、圧電素子磁石体のチタン酸バリュームに軽水素トリチウム電子を、混合
合成した圧電素子磁石体の圧電作動による電子発生量を、増幅出来る電子集合体が、軽水素トリチウム電子で有り、軽水素トリチウム電子入り圧電素子磁石体で有る。
更に、圧電素子磁石体から、電子として、取る場合は、圧電素子磁石体の圧電効果の意味する鉄心打撃発電方法は、電子ライター装置に見られる装置で確認出来る。
本発明では、強い電気を、軽水素トリチウム電子入り圧電素子磁石体のプラス磁極には、プラス高圧電気を、軽水素トリチウム電子入りの圧電素子磁石体のプラス磁極の一番
強い部分から、通常高圧プラス電気を、一気に流す事で、圧電素子磁石体に内蔵した軽水素トリチウム電子とプラス電気が、電気圧電効果によって、プラス増幅電気を、軽水
素トリチウム電子入り圧電素子磁石体の中央部分のプラス磁気の一番弱い部分から、プラス増幅電気を、電気誘導銅板配線によって、プラス増幅電気を得る事が出来る。
更に、マイナス増幅電気を、得る為には、もう一つの軽水素トリチウム電子入り圧電素子磁石体が、必要に成り、マイナス高圧電気を、軽水素トリチウム電子入り圧電素子磁
石体のマイナス磁気の一番強い部分に、通常マイナス高圧電気を、通す事で、軽水素トリチウム電子入りの圧電素子磁石体のマイナス部分を、高圧マイナス電気が、通って軽
水素トリチウム電子と通常高圧マイナス電気と結び付いて、軽水素トリチウム電子入り圧電素子磁石体のマイナス磁気の一番弱い部分に内蔵して有るマイナス電気銅板誘導体
に、通常マイナス高圧電気と軽水素トリチウムマイナス電子磁気とが、結び付いて増幅マイナス電気に成る。
これら、プラス増幅電気のプラス発電回路とマイナス増幅電気のマイナス発電回路の二つの軽水素トリチウム電子入り圧電装置が、必要に成って来る。
循環発電充電池に必要な圧電素子4電子磁気分割装置の簡単な説明。
圧電素子4電子磁気分割装置は、特開2004ー304992号公報の圧電素子3分割装置と同じ装置に成り、圧電素子磁石体のプラス磁気の一番強い部分を、圧電素子陽電子部分として、
簡単に陽電子と説明して有り、圧電素子のプラス磁気の一番弱い部分を、圧電素子の中間陽電子部分と言い簡単に、中間陽電子と命名しており、圧電素子のマイナス磁気の一
番強い部分を、圧電素子陰電子部分として、簡単に陰電子と説明して有り、圧電素子のマイナス磁気の一番弱い部分を、圧電素子の中間陰電子部分と言い簡単に中間陰電子と
しており、リサイクル熱電気再利用配線のプラス配線とマイナス配線の付いた二つの圧電素子4電子磁気分割によって、通常電気中の熱電気を、圧電素子磁石体の磁気力を、4
つに分けた圧電素子4電子磁気分割装置の略説明で有る。
つまり、通常電気を、プラス圧電素子装置とマイナス圧電素子装置に分け、一例として、通常プラス電気を、圧電素子の中間陽電子に通す事で、圧電素子の陽電子配線からは、
圧電素子の磁気の弱い圧電素子の中間陽電子磁気を、得る事無く得る理由として、中間陽電子に、リサイクル中間陽電子配線が有る為、熱抵抗電気のみが、リサイクル中間陽
電子配線に流れる理由が、通常電気のプラス電気を、圧電素子磁石体の中間陽電子部分からプラス電気を流す事によって、通常電気のプラス電気は、圧電素子のプラス磁気化
した事に成り、電気回収しないと、熱だまりになるが、熱電気のプラス電気を回収する事で、圧電素子磁石体の陽電子からは、強いプラス磁気の陽電子電気のみを、得る事が、
出来る為、超電導配線で無くても、超電導電気を得る事の出来る圧電素子磁石体のプラス電気の圧電素子4電子磁気分割装置で有る。
従って、通常マイナス電気を、圧電素子4電子磁気分割装置のマイナス中間陰電子に流す事で、マイナス熱抵抗電気は、中間陰電子を経て、マイナスリサイクル電気配線に流れ
る説明で有る為、熱抵抗電気の無いマイナス電気は圧電素子磁石体の陰電子部分から得る事の出来る世界で初めての、電気をマイナス数百度まで、冷やさなくても超電導電気
を、得る事の出来る熱抵抗電気を、圧電素子4電子磁気分割化して、電気中の熱抵抗電気を、常温で全く熱抵抗電気を取り除く事が出来る世界で初めての圧電素子4電子磁気分
割装置説明で有る。
従って、循環発電充電池の電気打撃の際に熱抵抗の無い高圧電気を作るのに必要に成る圧電素子4電子磁気分割装置で有る。
【００９３】
また、第50の課題解決手段は、大気放出しない回収再利用を目的としたフロンガスをプラスチック混合合成またはシリコン及びフロンガスの混合合成及びビニールとフロンガ
スの混合合成及びゴムとフロンガスの混合合成及び合成材とフロンガスの混合合成材を、固形窒素粒子とプラスチックを、混合合成して水管状にした冷却材入りの水管で有り、
クーラーの配管及び自動車の冷却装置等の、機械のクーラー装置の配管利用として考えられた装置は、一戸建ての地下貯蓄水を、夏場にクーラー代節約の為に、天井裏及び壁
裏に冷却水循環配管を、複数配置設置する事で、一戸建ての夏場の温度を、上げない対策をした装置で有り、地下貯蓄タンクの内側には、炭素粒子フロンガス内蔵プラスチッ
ク溶液フロンガス大気放出防止冷却パネルを、設置した世界初の地下貯蓄水冷却装置説明と夏場の一戸建てのクーラー代節約の為の冷却装置で有る。
【図面の簡単な説明】
【００９４】
【図１】本発明の世界最新技術の燃料電池発電機の 軽水素酸素陽電子陰電子スパーク燃料電池発電機装置の部分装置配置図
【図２】同世界最新陽電子陰電子スパーク発電機のスパーク発射口図と超小型高出力複数官吸い込みの軽水素酸素水ポンプ図
【図３】同発電機の軽水素酸素水を、配管のみで、切りにする為の噴霧器配管装置図と陽電子陰電子スパーク電気発射口図
【図４】同発電機と圧電素子4電子磁気分割装置を使った陽電子陰電子スパーク電気発射口図
【図５】同発電機の陽電子陰電子スパーク発射口説明図
【図６】同発電機に内蔵積載する電磁石構造説明図
【図７】同発電機に内蔵積載する発電回路構造説明図
【図８】同発電機に内蔵積載する世界最新型技術の高出力ＤＣブラシレスレールインバータ制御ダブルモーター構造説明図
【図９】同発電機に積載する組立解体バッテリー構造説明図
【図１０】同発電機に積載内臓する予備軽水素ニッケル発電軽水素貯蓄大型バッテリータンク構造説明図
【図１１】同発電機を作動させる為の2連振子型機械式発電機の部品配置説明図
【図１２】本発明の地震対応型の多機能発電ハウスシステムの一戸建ての一例床配置構造図
【図１３】本発明の地震対応型の多機能発電ハウスシステムの酸性中和剤入り人工石の構造説明図
【図１４】本発明の地震対応型の多機能発電ハウスシステムの石灰ゴム合成石などを使った免振基礎構造説明図
【図１５】本発明の地震対応型の多機能発電ハウスシステムの竹笹合成木材の構造説明図
【図１６】本発明の地震対応型の多機能発電ハウスシステムの竹笹合成木材の保護金属柱カバー装置の構造説明図
【図１７】本発明の地震対応型の多機能発電ハウスシステムの免振木材柱引っ張り金具装置構造説明図
【図１８】本発明の地震対応型の多機能発電ハウスシステムのコロ電磁石反発免振装置の構造説明図
【図１９】本発明の地震対応型の多機能発電ハウスシステムの免振防犯広告発電二枚合わせガラス構造説明図
【図２０】本発明の地震対応型の多機能発電ハウスシステムの一戸建てエレベータとドア構造説明図
【図２１】本発明の地震対応型の多機能発電ハウスシステムの一戸建てエレベータのワイヤ及び歯車及び高出力モーター説明図
【図２２】本発明の地震対応型の多機能発電ハウスシステムのコロ電磁石反発免振装置の木材固定金具と引っ張り金具取り付け説明図
【図２３】本発明の地震対応型の多機能発電ハウスシステムの雨どい官発電装置の配置構造説明図
【図２４】本発明の地震対応型の多機能発電ハウスシステムの風呂桶の湯熱発電構造説明図
【図２５】本発明の地震対応型の多機能発電ハウスシステムの風呂残り水と台所排水濾過地下発電システムの構造説明図
【図２６】本発明の地震対応型の多機能発電ハウスシステムの水道本官発電構造説明図
【図２７】本発明の地震対応型の多機能発電ハウスシステムのトイレ水発電構造と排泄物処理構造説明図
【図２８】本発明の地震対応型の多機能発電ハウスシステムのオール電化ハウスの電気熱調理器具の発電構造説明図
【図２９】本発明の地震対応型の多機能発電ハウスシステムの夏冬交換用壁用パネル構造説明図
【図３０】本発明の地震対応型の多機能発電ハウスシステムの軽水素トリチウム電子入り発光ダイオードライト玉構造と別デザイン説明図
【図３１】本発明の地震対応型の多機能発電ハウスシステムのソーラー電気に積載する圧電素子4電子磁気分割装置の構造説明図
【図３２】本発明の地震対応型の多機能発電ハウスシステムのソーラーハウス周囲の重量計センサーの配置構造説明図
【図３３】本発明の地震対応型の多機能発電ハウスシステムの発電塗料構造説明図
【図３４】本発明の地震対応型の多機能発電ハウスシステムの地下水貯水装置のスッポンジ防護複数穴空きグラスファイバーパネルの構造配置説明図
【図３５】本発明の地震対応型の多機能発電ハウスシステムの免振杭の構造説明図
【図３６】本発明の地震対応型の多機能発電ハウスシステムのトイレ水発電装置の構造説明図
【図３７】本発明の地震対応型の多機能発電ハウスシステムの高出力卍形状インバータ制御モーターの構造説明図
【図３８】本発明の地震対応型の多機能発電ハウスシステムの卍モーターのコイル被せ電磁石の構造説明図
【図３９】本発明の地震対応型の多機能発電ハウスシステムの循環発電充電池の構造説明図
【図４０】本発明の地震対応型の多機能発電ハウスシステムの高出力卍形状インバータ制御モーターの構造説明図
【図４１】本発明の地震対応型の多機能発電ハウスシステムのオール電化ハウスの電気製品に使用する高速電圧配線の構造説明図
【図４２】2009年9月27日の昼頃北海道知事宛てに送った本発明の特許文章の図面の送りの証拠図
【図４３】2009年9月27日の夜の8時頃に北海道知事に送った本発明の特許文章の図面の送りの証拠図
【図４４】本発明の弱者国民救済型の多機能発電ハウスシステムの特許法改正依頼書の一枚目の写し図
【図４５】本発明の弱者国民救済型の多機能発電ハウスシステムの特許法改正依頼書の二枚目の写し図
【発明を実施するための形態】
【００９５】
以下本発明の実施の形態を図1〜図43に基ずいて説明する。
【００９６】
図1に於いて、1の世界最新技術の軽水素酸素陽電子陰電子スパーク燃料電池発電装置は、世界最新技術の2の2連振子型機械式発電機の電気エネルギーと41の補助バッテリーの
電源によって、燃料電池の世界最新技術の、軽水素酸素水タンクを燃料電池循環タンクとした世界最新型の軽水素トリチウム電子酸素水を、使った世界で初めての燃料電池の
世界最新技術の4の圧電素子4電子磁気分割装置を使った軽水素酸素水を、世界最新技術の6の超小型遠心分離機内蔵コンプレッサーによって、軽水素酸素水を、軽水素トリチウ
ム電子物質と酸素に超小型遠心分離機で分けて、更に超小型コンプレッサーで軽水素と酸素を瞬間融合させて発電する時に4の圧電素子4電子磁気分割装置によって、陽電子陰
電子スパーク発電を可能にした装置で有り、軽水素と酸素の陽電子陰電子スパーク発電の発生熱エネルギーは、3の軽水素酸素タンクの7の内壁圧電素子微粒子軽水素トリチウ
ム電子入りシリコン熱発電官パネル装置も実現し、更に3の軽水素酸素タンク内の天井パネルに、323の世界最新技術の液体マグネシウム内蔵型複数針穴空き軽水素トリチウム
電子入り圧電素子磁石体粒子内蔵シリコンダブル燃料電池発電パネルを、積載した二種類の燃料電池発電を同時に可能にした世界で初めて1の軽水素酸素陽電子陰電子スパーク
燃料電池発電装置で有り、発電後の残水は、5の高出力水中ポンプで、再び軽水素酸素水を再び汲み上げ、6の超小型遠心分離機内蔵コンプレッサーによって、再び、軽水素酸
素水を、軽水素トリチウム電子と酸素に分けて、1の、軽水素酸素陽電子陰電子スパーク燃料電池発電出来る世界で初めての燃料電池発電装置で有る。
【００９７】
図2に於いて、1の世界最新技術の軽水素酸素陽電子陰電子スパーク燃料電池発電装置の15の水分配加速スクリュー官高出力水中ポンプは、世界最新技術のスクリュー官が、使
用されてる為、ストレート官から、スクリュー官に変える事で、水の汲み上げスピードが速く成る。
更に、9の軽水素酸素加速スクリュー官装置は、全自動電動仕切り弁付きのダブル加速スクリュー官構造に成ってる為、6の超小型遠心分離機内蔵コンプレッサーが、故障した
場合、全自動で、軽水素酸素水を、配管のみで、霧状高速物質にする事の出来る16の熱発電複数配管は、8の圧電素子微粒子軽水素トリチウム電子入りシリコン熱発電パネル官
を、プラスチックカバー加工した世界最新技術の配管で有り、19の複数配管と20の網目配管と21の針穴配管の三段階繋ぎ配管構造に成って入る。
そして、陽電子陰電子スパーク発電装置口は、8の圧電素子微粒子軽水素トリチウム電子入りシリコン熱発電パネル官は、9の軽水素酸素加速スクリュー官装置構造に成ってる
装置で有り、陽電子陰電子スパーク発電口部分は、10の絶縁アルミニュームによって、絶縁漏電防止構造に成っている装置で有り、12の陽電子プラス誘導配線には、電気抵抗
の取り除かれたプラス陽電子電気が、酸素と一緒に流れる構造で有り、13の陰電子マイナス誘導配線には、電気抵抗の取り除かれたマイナス陰電子電気が、水素と一緒に流れ
る構造に為ってり、11の陽電子陰電子軽水素酸素スパーク発電装置によって、軽水素と酸素の化学融合発電を、促進誘発する為に、電気中に電気抵抗の取り除かれたプラス陽
電子電気の酸素とマイナス陰電子電気のスパークによって、酸素と水素の発電に対して軽水素トリチウム電子の電子活動を電子電気レベルに電子発電誘発させる事で、水素と
酸素だけの燃料電池発電量より、多い発電量電気を得る事を、水素瞬間吸収物質の液体マグネシウム等を使用しないで、可能にした世界最新技術で有る。
【００９８】
図3に於いては、6の超小型遠心分離機内蔵コンプレッサーが、故障した場合、5の、高出力水中ポンプとスクリュー官によって、高速の水の流れは、26の、7分割軽水素酸素穴
配管装置と27の、28分割軽水素酸素配管穴装置と28の、102分割軽水素酸素配管穴装置と29の、408分割軽水素酸素配管穴装置に軽水素酸素水を、流す事で霧状の高速軽水素酸
素水の噴霧物質を、流す事の出来る装置説明で有り、二列配管の33の超微粒子軽水素酸素発射口から、6の、超小型遠心分離機内蔵コンプレッサーが、故障した場合、33の超粒
子軽水素酸素発射口から、軽水素と酸素の代わりに、軽水素酸素水の超微粒子の噴霧状の霧が、発射される構造で有る。
尚、軽水素酸素の陽電子陰電子スパーク発電時に、発生する循環熱エネルギーを、瞬間吸収発電する為の、8の、圧電素子微粒子軽水素トリチウム電子入りシリコンダイオード
熱発電官構造に成ってる世界初の軽水素と酸素の発電時に発生する熱エネルギーを、瞬間に、軽水素トリチウム電子入りシリコンで、瞬間吸収して、瞬間吸収した圧電素子磁
気軽水素トリチウム電気を、電気に変える事が、瞬時に可能にした8の、圧電素子微粒子軽水素トリチウム電子入りシリコンダイオード熱発電官で有り、23の軽水素トリチウム
電子入り圧電素子内臓鋼鉄官内蔵渦巻き電気引き込みリング装置で有る。
【００９９】
図4に於いては、33の超微粒子軽水素酸素発射口には、41の軽水素酸素配管の軽水素配管と酸素配管の構造に成って下り、電動仕切り弁スイッチを介して、6の超小型遠心分離
機内蔵コンプレッサーが、故障の場合は、軽水素酸素水の超微粒子が放出出来る構造の図説と89の発電回路を、11の陽電子陰電子スパーク発電装置の配線に取り付けられる構
造で有り、89の発電回路のプラス発電回路は、31の軽水素トリチウム電子入り圧電素子プラス磁石体に35の通常プラス圧電素子電気打撃用電気を、31の軽水素トリチウム電子
入り、圧電素子磁石体の磁気の一番強いプラス磁極先端部分に、35の通常プラス電気打撃用電気配線が、取り付く構造に成り、31の軽水素トリチウム電子入り圧電素子プラス
磁石体のプラス磁気の弱い部分に、39の穴空き銅板軽水素トリチウム電子入り圧電素子内臓電気磁気誘導体によって、プラス増幅電気を、得た電気を、4の圧電素子4電子磁気
分割装置によって、プラス電気の熱抵抗電気を取り除いたプラス電気を、得る事が出来て、熱抵抗電気は、37のプラスリサイクル電気配線によって、熱抵抗電気を、もう一つ
の4の圧電素子4電子磁気分割装置によって、プラス熱電気処理される。
そして、32の軽水素トリチウム電子入り圧電素子マイナス磁石体のマイナス磁気の一番弱い部分に、39の穴空き銅板軽水素トリチウム電子入り圧電素子内臓電気磁気誘導体に
よって、マイナス増幅電気を、得た電気を、4の圧電素子4電子磁気分割装置によって、マイナス電気の熱抵抗電気を、取り除いたマイナス電気を、得る事が出来て、熱抵抗電
気は、38のマイナスリサイクル電気配線によって、熱抵抗電気を、もう一つの4の圧電素子4電子磁気分割装置によって、マイナス熱電気処理される。
【０１００】
図5に於いては、33の超微粒子軽水素酸素発射口から、44の電気抵抗の無いプラス陽電子電気に酸素放出と45の電気抵抗の無いマイナス陰電子電気に軽水素トリチウム電子放出
によって、スパーク発電に成り、発電した後の残水の軽水素酸素水を、43の絶縁体金属板に囲まれた中央部分は、銅微粒子粉と圧電素子磁石体粒子との合成磁気銅板を内蔵と
した装置によって、11の陽電子陰電子スパーク発電装置によって、発電した電気を回収して複数穴空き装置によって、軽水素酸素水を連続回収している。
【０１０１】
図6に於いては、高出力電磁石の内部は、51のステンレス超薄板と47の軽水素トリチウム電子入り圧電素子磁石体の超薄板を、交互に貼り合わせた50の貼り合わせ合成軽水素ト
リチウム電子入り磁石体装置に46の軽水素トリチウム電子入り圧電素子粒子内臓銅板コイル配線を巻く事によって、圧電素子磁石体に内蔵した軽水素トリチウム電子を、46の
軽水素トリチウム電子入り圧電素子粒子内蔵銅板コイル配線のスピードコイル電気によって、47の軽水素トリチウム電子入り圧電素子磁石体の軽水素トリチウム電子を電気に
よって活発化にする事によって、通常電磁石より、電気消費の少ない電磁石を使う事によって、電気消費の少なくした2の2連振子型機械式発電機で有る。
【０１０２】
図7に於いては、89の発電回路は、軽水素トリチウム電子入り圧電素子磁石体のプラス発電回路と軽水素トリチウム電子入り圧電素子磁石体のマイナス発電回路の二つが必要と
され、52の強いプラス電気は、軽水素トリチウム電子入りの圧電素子磁石体のプラス磁気の一番強い部分に、52の強いプラス電気を通す電気打撃技術によって、89の発電回路
のプラス発電回路及びマイナス発電回路それぞれに、54の複数穴空き銅板増幅プラス電気誘導体と89の発電回路には、55の複数穴空き銅板増幅マイナス電気誘導体装置を、89
の発電回路の軽水素トリチウム電子入り圧電素子磁石体中央ライン線それぞれに54の複数穴空き銅板増幅プラス電気誘導体と55の複数穴空き銅板増幅マイナス電気誘導体装置
を、軽水素トリチウム電子入りの圧電素子磁石体の89の発電回路のプラス発電回路とマイナス発電回路の磁気の一番強い部分に52の強いプラス電気をプラス発電回路に流して5
3の強いマイナス電気を、マイナス発電回路に流す事で、89の発電回路の構造物質の軽水素トリチウム電子入りの圧電素子磁石体の強い電気打撃の軽水素トリチウム電子入りの
圧電素子磁石体の軽水素トリチウム電子の強い電気打撃の磁気電気融合発電を目的とした89の発電回路装置。
【０１０３】
図8に於いては、61の高出力モーターは、64の軽水素トリチウム電子入り圧電素子磁石体の複数枚の超薄板と65の複数穴空き超薄型圧電素子内臓ステンレス板を交互に重ねたモ
ーター内コイル板の、67の複数層軽水素トリチウム電子入り圧電素子内臓超薄板重ねステンレス板磁石板装置に、164の銅筒官コイル配線の331の軽水素トリチウム電子入り圧
電素子電気配線を、66の軽水素トリチウム入り圧電素子内臓合わせステンレス板の合成永久磁石板に164の銅筒官コイルを、巻いた61の高出力モーター装置に、もう一つの高出
力インバータ制御モーターの66の軽水素トリチウム電子入り圧電素子内臓合わせステンレス板の合成永久磁石を、主体とした装置と67の複数層軽水素トリチウム電子入り圧電
素子内臓超薄板重ねステンレス板磁石体に164の銅筒官コイルを巻いた170の最新型高出力ＤＣブラシレスインバータ制御モーターを積載内臓した電気消費の少ない61の高出力
モーターのダブルモーターで有る。
【０１０４】
図9に於いては、68の組み立て解体用バッテリー71の電極棒ネジ構造の72の電極金属の中心部分は、軽水素トリチウム電子入りの圧電素子磁石体構造に成った電気を、磁気電気
充電出来る構造に成り、73のバッテリー本体筒装置は、取り付け取り外し可能な円柱型の装置で有り、充電した電気を磁気変換して電気熱分散ならない用にした構造で有り、7
4のネジ型バッテリー蓋装置によって、69のニッケルブロックバッテリー充電金属と軽水素トリチウム電子の交換出し入れを可能にした装置で有り、軽水素注入口は、ダブル弁
付きの軽水素注入口から、軽水素を注入出来る70の軽水素ニッケルバッテリー構造で有る。
【０１０５】
図1に於いては、3の軽水素酸素タンクは、76の高出力電動モーター仕切り弁によって、77の軽水素酸素遠心分離機装置によって、78の軽水素と79の酸素を取り出せる61の高出
力モーター付きの77の軽水素酸素遠心分離機装置で有る。
【０１０６】
図10に於いては、日本の弱者国民救済の地震対応型の多機能発電システムの地下濾過水の大型バッテリー装置は、濾過水を81の軽水素トリチウム電子タンクの軽水素と82の酸
素タンクの酸素に、分ける為に、77の軽水素酸素遠心分離機の、76の高出力電動モーター仕切り弁によって水素と酸素に分けた水素を、再び軽水素と酸素に分けるシステム装
置で有り、76の高出力電動仕切り弁装置付きの78の軽水素取り出し口と79の酸素取り出し口が有る。
従って、軽水素トリチウム電子を、使った地下大型軽水素トリチウム電子ニッケル充電池タンクを、可能にしている。
【０１０７】
図11に於いては、2の2連振子型機械式発電機は、70の軽水素トリチウム電子入りのニッケルバッテリーの318の循環発電バッテリーを、積載した機械式発電機を、二台設置して
一台の機械式発電機の発電した電気量を、もう一台の機械式発電機の92の振り子装置を使った連続片側作動スイッチ接合モーター歯車の連続作動によって98の高出力ダイナモ
を、97の細ワイヤ入り大型ゼンマイ装置の連続作動によって、98の高出力ダイナモを、連続回転発電出来る装置。
更に、92の振り子装置は、88のＤＣブラシレス高出力レールインバータ制御モーターによって、93の電磁石反発右装置と94の電磁石反発左装置の電磁石増幅エネルギーによっ
て、92の振り子装置の連続作動を早く出来る装置。
そして、一台の機械式発電機のバッテリーの電気エネルギーを、96の電気電子変換増幅装置によって、高圧電気を作って、89の発電回路によって、プラス増幅電気とマイナス
増幅電気を作り、機械式発電機の高速作動を賄ってる。
更に、70の軽水素トリチウム電子入りニッケルバッテリー装置に、98の高出力ダイナモを使って発電した電気を96の電気電子変換増幅装置によって、高圧電気にした電気を89
の発電回路のプラス発電回路とマイナス発電回路によって、プラス増幅電気とマイナス増幅電気を、作って機械式発電機の増幅作動に使用出来る配線構造と4の圧電素子4電子
磁気分割装置によって、70の軽水素トリチウム電子入りニッケルバッテリー装置の世界最速バッテリー充電を可能にしている。
【０１０８】
図12に於いては、日本の弱者国民救済の地震対応型の多機能発電システムの一戸建て周囲には、108のライト入りコンクリートの取り外し可能型と106のカラーガラス玉及びカ
ラープラスチックガラス玉入りの化粧デザインコンクリートまたは、マンガ絵の入ったガラス玉入りの化粧コンクリート構造で、一戸建て周囲は、化粧デザインに成って入る。
此の他、風呂の浴槽及びトイレ槽及び地下貯水槽タンク底には、105の免振杭床に成った構造で有り、風呂浴槽及びトイレ槽及び地下貯水槽の周囲には、102の圧電素子磁石粒
子入り軽水素内蔵シリコン発電ビニールによって、地震時のタイルとの亀裂防止と熱吸収発電の両方を、計った地震対策の105の免振杭付きの地盤沈下防止装置で有る。
此の他、100の防火用地下タンク水槽を、一戸建ての地下に多く用いる事で、夏場の断熱窒素粒子とプラスチックフロン粒子入りの冷却管を、家の屋根裏と壁裏に設ける事と同
時に、地下貯蓄タンク水を、使った循環水冷却ハウスは、断熱材の間に冷却ホウスが入っている構造に成る。
更に、1の軽水素酸素陽電子陰電子スパーク燃料電池発電機の騒音を、抑える為に一戸建ての地下コンクリート防音装置壁吸収材のタコイボ形状筒ゴム方式の壁材などによって
騒音防止としている構造設置。
【０１０９】
図13に於いては、日本の弱者国民救済の地震対応型の多機能発電システムの一戸建ての100の防火用水槽の109の加工地下水冷却水中和剤入り人工石は、111の再生グラスファイ
バー枠に110の固形窒素とフロンガス入りシリコン等の合成冷却パネルを、地下貯蓄槽の内壁構造に成って入る。
【０１１０】
図14に於いては、日本の弱者国民救済の地震対応型の多機能発電システムの一戸建て免振装置付きの家の基礎の埋め立てに関して112の石灰と廃棄ゴムの混合合成石で埋め立て
た構造と334の地下貯蓄水タンクには、105の免振杭が設置された構造で有り、雨水等は、112の石灰合成石によって、中和される用に成っており、雨水は、113のプラスチック
糸重ね網穴空きグラスファイバーパネルと114のグラスファイバー複数穴空き蓋によって、雨水の泥水侵入を、117の砂板内蔵スッポンジによって、泥水の泥侵入を、避けてい
る水濾過装置で有り、一戸建て建造物には、118のコロ電磁石反発免振装置が内蔵されて入る。
【０１１１】
図15に於いては、119の竹笹合成木材で有り、199の竹笹合成木材の、中心部には121の燃焼防止の微量石灰入り合成グラスファイバー合成木材芯構造に119の瞬間乾燥竹チップ
と瞬間乾燥笹チップの合成木材を被せて、120の建築廃材の再生木材チップを被せた119の竹笹合成木材で有り、熱瞬間吸収発電装置の122の軽水素トリチウム電子入り圧電素子
微粒子内蔵シリコン発電シート構造に成ってる。
【０１１２】
図16に於いては、123の免振用合成木材ガード金属アタッチメント装置によって、119の竹笹合成木材を防護している構造で有り、124の軽水素トリチウム電子入り部屋熱発電シ
ートを被せた発電合成木材は、127の金属パネル止め装置は、130の蝶つがい装置と129のボルト止め穴装置によって119の竹笹合成木材の固定装置構造に成ってる。
此の他、126の壁板パネルは、119の竹笹合成木材構造に成って入る125のビニール圧重ねシートによって、密着度を高めて隙間を無くしている構造で有る。
【０１１３】
図17に於いては、130の免振引っ張り金具で有り、引っ張り金具取り付け部分は、135の三段ポルトとナット止めに対してをピン穴構造とポルトの先に割ピンが付くナット構造
に成ってる為、ナットに割ピンの二本の金属部分が、ナットの溝に挟まって固定するダブル割ピン固定構造で有り、ポルトの頭部分にカギポルトピンが付く構造に成ってる。
更に、130の免振引っ張り金具は、335の調整ポルト棒金具は、130の免振引っ張り金具の上下の引っ張り上限を固定する336の遊び金具装置が付いた構造で有り、131の免振引っ
張り金具グラスファイバーカバー装置によって防護に成ってる構造で有る。
【０１１４】
図18に於いては、118のコロ電磁石反発免振装置で有り、141の免振玉装置は、143の軽水素トリチウム電子入り圧電素子磁石体球形永久磁石装置を、内蔵した144の鋼鉄球永久
磁石体で有り、324の固定突起物によって、永久磁石の反発移動が容易に出来る構造は、145の免振玉走り溝装置にハマる構造に為って下り、油が敷かれている構造で有り、139
の電磁石反発板装置の筒の間を、140の強化スプリングと319の軽水素トリチウム電子入り圧電素子磁石体発電装置によって、地震時の地震連絡軽水素トリチウム電子入りの圧
電素子磁石体の発電連絡装置に成って入る。
更に、118のコロ電磁石反発免振装置は、142の一戸建て木材建築コンクリート土台取り付け金具に固定出来る構造と木材土台に固定する構造に成って入る。
【０１１５】
図19に於いては、146の免振防犯発電窓ガラス戸は、147の二枚合わせガラスの間に148の軽水素トリチウム入りシリコン網入り二枚合わせガラス構造の発電装置入りガラスで有
り、149のアルミニューム枠と151のアルミニューム板入り防犯用デザイン穴空き板及び文字切り抜きアルミニューム板によって防犯用免振窓枠構造に成っている。
宣伝デザイン看板用として、150の縦反射板入り発電二枚合わせガラスによって太陽光の調節と日除け装置に成ってる構造。
【０１１６】
図20に於いては、152のタッチ電磁石補助スイッチドアは、155の交換用ローラーと161の薄複数穴空きステンレス板と153の軽水素トリチウム電子入り圧電素子磁石体に163の銅
筒官に、165の軽水素トリチウム電子入り圧電素子磁石体粒子電気配線を巻いた156の電磁石に静電気誘導絶縁カバーを付けた装置で有り、157の永久磁石の電磁石接合から、15
2のタッチドアスイッチによって、電磁石反発の155のローラー移動出来るドアまたは160のエレベータードアには、162の軽水素トリチウム電子入りシリコン部屋熱発電シート
が取り付けられている装置で有り、325の切り抜き絵ドア構造の者も有る。
【０１１７】
図21に於いては、166の一戸建てエレベータ装置で有り、176のエレベータワイヤは、地下から３階までをリングワイヤ状に成る長さのリングワイヤに、複数の鉄金具を取り付け
た構造の装置で有り、複数の鉄金具を、特製のダイナモモーターベアリングによって、回転させて作動させる事の出来る装置で有り、98の高出力ダイナモは、2の2連振子型機械
式発電機の98の高出力ダイナモ構造と同じ構造で有り、172の通常ダイナモの中心部に、173の軽水素トリチウム電子入り圧電素子磁石体を入れた174の高出力ダイナモ軸の固定
金属装置で有り、167のエレベータミッションモーター歯車は、171の絶縁金属と64の軽水素トリウム電子入り圧電素子磁石と複数穴空きステンレス板の交互重ね永久磁石の167
のエレベータ歯車ミッション装置は、電磁誘導発電歯車構造で有り、エレベータワイヤ構造は、180の通常ワイヤに179の十字編みワイヤを、被せた二重構造ワイヤ構造で有る。
更に、モーターは170の最新型高出力ＤＣブラシレスレールインバータ制御モーターまたは、61の高出力モーターの内コイル式モーターの320の複数穴空きバーベル形状超薄型
ステンレス鋼鉄板と64の軽水素トリチウム電子入り圧電素子磁石体を交互に重ねた永久人工磁石に銅筒官コイルの軽水素トリチウム電子入り圧電素子磁石体電気配線を、巻い
た61の高出力モーターの省電気消費モーターによって、166の一戸建てエレベータ装置をボタンタッチ作動出来る装置。
【０１１８】
図22に於いては、181の免振柱金具ポルトナット棒引っ張り装置取り付け口の付いた119の竹笹合成木材に183の強化ビニールを張り付けた装置を、119の竹笹合成木材入り口に
はめ込み方式の免振金具のボルトナット型を、調整装置とした細鉄棒の免振金具引っ張り装置で有る。
【０１１９】
図23に於いては、185の水車型発電装置と98の高出力ダイナモを積載内臓した186のスクリュー雨どい配管を使用した187の雨どい水取り入れ口装置によって、雨どい官の落ち水
の効果的な発電を出来る用にした装置。
【０１２０】
図24に於いては、湯熱発電装置は、194の真空装置湯水濾過装置に、195のスクリュー湯熱発電官と190の湯抜き弁構造に成って下り、189の軽水素トリチウム電子入り圧電素子
シリコンダイオード湯熱発電パネルを188の、湯熱発電防護プラスチックパネルと193の風呂桶アルミニューム鉄合金浴槽に191のナット型複数カラー色デザインセラミックカバ
ー装置構造に成っている装置。
【０１２１】
図25に於いては、205の生活排水濾過装置で有り、197の台所排水と196の風呂残り水及び排水は、198の電動高出力モーター仕切り弁装置の排水切換えスイッチ装置は、98のス
クリュー水水車高出力ダイナモ発電装置と196の風呂排水と197の台所排水を瞬間濾過する為の204の高出力真空装置によって、地下貯水タンクに取り付けられている199の水位
センサーの全自動作動によって、もう一つの保管用地下タンク槽に、瞬間気化した気化水を水中に連続放出出来る装置で有り、地下貯蓄水タンクには、203の生活排水瞬間濾過
水部屋洗浄用噴水スクリュー官シャワー装置によって、地下貯蓄水室の全自動洗浄が出来る装置の電動モーター仕切り弁入り口式の装置。
更に、201の超小型遠心分離機水素酸素分別機によって、非常用の206の軽水素ニッケル地下バッテリー装置の軽水素物質維持が出来て非常水として、水を作って飲む事も出来
る装置。
【０１２２】
図26に於いては、207の水道スクリュー本館発電スクリュー官装置は、198の高出力電動モーター仕切り弁装置によって、水道本官の迂回スクリュー水高出力ダイナモ発電装置
を可能にした装置で有り、98の高出力ダイナモ発電装置と185の正方形板プロペラ水車板装置によって、水道保管水を連続に取り入れて発電出来る装置。
【０１２３】
図27に於いては、212の風呂流し水及び台所流し水及び雨水の貯蓄水を瞬間濾過した水で、210のスクリュー水水車高出力ダイナモ装置とトイレ水タンクと208の水洗トイレスク
リュー官洗浄型の212の濾過水を使用した水洗トイレ装置は、トイレの排泄物流し口を、現在の大きさより内計幅で、官と取り入れ口を、5センチメートル大きくした構造と208
の排泄物撹拌スクリュー装置によって、トイレ排泄物つまりを無くした装置。
更に、211の真空トイレから発生するアンモニア気化水を使った燃料電池発電トイレも有り、214のアンモニア気化水の中和剤として、石灰炭素活性炭二重フイルター等によっ
てアンモニア中和の手段として入る。
【０１２４】
図28に於いては、オール電化ハウスの215の電熱線沸騰水補助発電コンロ装置は、軽水素酸素水を循環発電物質とした216のテングステン内蔵ニクロム線を使った222の軽水素酸
素水官に軽水素酸素水を水の沸騰温度より低い温度で、沸騰する循環スクリュー配管移動型の軽水素酸素水で有り、227のスクリュー水回転用蒸気プロペラ発電水車板の連続回
転によって、98の高出力ダイナモを、連続回転作動発電出来る337の2重追い炊き電熱線は、外側の222の軽水素酸素水官の220のテングステン内蔵221のニクロム線金属によって、
水の沸騰温度より、低い温度で温めて、中央部の220のテングステン金属内蔵の221のニクロム線金属板の追い炊き装置によって、煮物及び焼き物の温度調整を、メータースイ
ッチによって、目視確認調整出来る装置。
更に、225の高出力電動モーター仕切り弁装置は、軽水素酸素水の沸騰時間を速める為の、水止め装置で有り、338の軽水素酸素水タンク内の補助電熱線装置の内蔵設置と223の
軽水素トリチウム電子入りシリコン熱発電パネルとスクリュー官全体に223の軽水素トリチウム電子入りシリコン熱発電パネルにする事で、無駄にしている熱エネルギーの一部
を熱瞬間磁気電気変換して、電気の再利用を実施している215の電熱線沸騰水補助発電コンロは、水蒸気温度移動調整水タンクによって、タンクを二つにする事で、電気消費を
抑えた構造にして、更にタンクを二つに分けると同時に増やす事で、熱吸収瞬間磁気変換発電パネルの複数設置面を広げる事で、無駄にしている熱回収発電量を、増やしてい
る215の電熱線沸騰水補助発電コンロの実施形態の構造作動形態説明で有る。
【０１２５】
図29に於いては、230の床暖発電パネルと228の夏冬交換用床壁用パネルは、パネル材に、237の合成木材パネル及び竹笹合成木材パネル装置に、236の軽水素トリチウム電子入
りシリコン床暖熱発電パネルは、湯熱官を、床パネル状の溝に埋め込んで薄板をボルトナット止めする構造で有り、湯熱官は、229のスクリュービニール内蔵配管構造の235の
滑り止め装置として、絶縁体陶器粒子入りゴム装置と234の真空槽を床パネル及び壁パネルに作る事によって、熱伝動を防いだ床壁パネル。
更に、夏冬交換用床壁用パネル構造は、夏用として、238の固形窒素材入りの冷却パネルは、239の取り換え用のボルトナット穴が、付いている装置で有る。
【０１２６】
図30に於いては、240の軽水素トリチウム電子入り発光ダイオードライト玉接続コンセント交換用装置は、339の熱発電反射板装置付きの244の軽水素トリチウム電子入り発光ダ
イオード玉装置は、光を反射する反射板内に、軽水素トリチウム電子入り圧電素子磁石体粒子内蔵シリコンの電気熱磁気電子吸収配線付き反射板シート装置で有り、244のＬＥ
Ｄ素子は、241の軽水素トリチウム電子入りダイオード取り付け金具と244のＬＥＤ素子は、ダイオードに軽水素トリチウム電子を入れる事によって、ダイオードの電子交換発
電を活発にした装置で有り、別途に、軽水素トリチウム電子入り圧電素子チップダイオード内蔵の軽水素入り発光ダイオード装置は、発光ダイオード熱磁気光変換の速い物質
で有る。
此の他、240の軽水素トリチウム電子入り発光ダイオードライト玉接続の複数コンセント取り付け取り外し交換用なども有る。
【０１２７】
図31に於いては、4の圧電素子4電子磁気分割装置の構造実施の形態説明として、253の通常プラス電気を、圧電素子磁石体の249の圧電素子陽電子中間電子磁石体の圧電素子プ
ラス磁気の一番弱い部分に253の通常プラス引き込み電気配線と255のプラスリサイクル電気配線を取り付けた圧電素子磁石体のプラス磁石体で有り、247の圧電素子陽電子磁石
体の一番強い部分の251の電気抵抗の無いプラス電気を得る事の出来る装置で有り、253の通常プラス電気の電気熱抵抗電気分は、圧電素子磁石体磁力形状に従って電気電子磁
気変化出来る誰でも知っている圧電素子磁石体で有り、必然的に、熱抵抗電気は、255のプラスリサイクル電気配線に流れる為、別のもう一つの4の圧電素子4電子磁気分割装置
の249の圧電素子陽電子中間磁石体に、流して再び電気の再利用を計るプラス熱電気の処理装置。
そして、254の通常マイナス電気を、圧電素子磁石体の250の圧電素子陰電子中間電子磁石体の圧電素子マイナス磁気の一番弱い部分に、254の通常マイナス引き込み電気配線と
256のマイナスリサイクル電気配線を取り付けた圧電素子磁石体のマイナス磁石体で有り、248の圧電素子陰電子磁石体の一番強い部分の252の電気抵抗の無いマイナス電気を得
る事の出来る装置で有り、254の通常マイナス電気の電気抵抗分は、圧電素子磁石体磁力形状に従って電気電子磁気変化を行な得る圧電素子磁石体で有り、熱抵抗電気は、256
のマイナスリサイクル電気配線に流れる為、別のもう一つの4の圧電素子4電子磁気分割装置の250の圧電素子陰電子中間電子磁石体に流して、再びマイナス電気の再利用を図る
事の出来る装置。
従って、259のソーラー電気及び他の電気製品に、4の圧電素子4電子磁気分割装置を取り付けて、260の売電では、多くの電気を、売る事が出来て、260の蓄電では、多くの電気
を、世界最速スピードで充電出来る事に成る。
絶縁体付き電子銅板誘導体を、内蔵した4の圧電素子4電子磁気分割の装置の257はセラミック絶縁体と258の銅板電子電極電気配線構造の電気誘導装置。
【０１２８】
図32に於いては、261の軽水素トリチウム電子入り圧電素子微粒子内蔵シリコンソーラーパネル装置は、ソーラーパネルの後ろの部分に、絶縁体との間にソーラーパネルの電気
取り込み配線が取りつく構造に成る。
此の他、266の重量計センサーは、重量計に庭石薄板を張り付けた、電波送受信装置付きのアンテナ付きの266の重量計センサーで有る。
更に、268の軽水素トリチウム電子入り圧電素子微粒子内蔵シリコンダイオード発電シート貼り付けレンガパネルは、軽水トリチウム電子入り圧電素子微粒子内蔵シリコンダイ
オード発電シートは、外気熱太陽光によって発電出来るソーラーパネルシートとも言える装置。
【０１２９】
図33に於いては、270の多機能発電ハウスの269の軽水素トリチウム電子入りシリコン発電塗料は、第1段階で、トタン屋根に錆び止め剤を塗る作業に成り、次に絶縁体プラスチ
ック用液または、ゴム用液または、防水用液を塗った後に、電気回収取り込み配線を貼り、第２段階として、圧電素子超微粒子入りシリコン塗料を塗り、第３段階として、軽
水素トリチウム電子入りシリコン発電塗料を塗る事で、外気熱発電を、可能にした軽水素トリチウム電子入り圧電素子磁石体粒子物質に成るソーラーパネル新技術物質を使っ
た世界初の技術。
【０１３０】
図34に於いては、日本の弱者国民救済の地震対応型の多機能発電システムの272の雨水貯水タンク室グラスファイバーパネルの貯水槽の位置取り付け図と271の穴空きグラスフ
ァイバーパネル木材板穴空きパネルの取り付け位置図で有る。
【０１３１】
図35に於いては、105の免振杭は、284の木材芯の上に282の渦巻きスプリング入りグラスファイバーを被せ更に、283の立体グラスファイバープラスチックゴムビニールで有り、
外側に、281の固形窒素グラスファイバー劣化防止カバーを被せた105の免振杭構造で有る。
その他、285の再生プラスチックゴムまたはプラスチックビニールを、105の免振杭の芯構造にした282渦巻きスプリング入りグラスファイバー構造として、更に286のグラスフ
ァイバー材料を被せた後、281の固形窒素グラスファイバー劣化防止カバーを被せた装置などの処置を講じた105の免振杭で有る。
【０１３２】
図36に於いては、水洗トイレ水発電装置は、200のスクリュー官を使って185の水車型発電装置は、292の高出力卍形状インバータ装置付きの290の大型ゼンマイ装置は、モータ
ー全自動ゼンマイ巻き取りが可能にした装置で有り、289の複数歯車装置を使って98の高出力ダイナモを、回転作動して発電する装置で有り、4の圧電素子4電子磁気分割装置の
急速充電池は、モーター作動用充電池として使用する為の装置。
此の他、トイレ水発電機械故障対策として、288の手動スクリュー官仕切り弁装置によって、緊急のトイレ水の水供給装置としている装置で有り、291のスクリュー官水圧エア
ー圧力貯蓄タンク弁装置は、水車板回転によって、エアーをチューブに取り込んで、スクリュー水と同時に流す装置で有る。
【０１３３】
図37に於いては、292の卍形状インバータ制御モーターは、304のインバータ制御付きの電磁石を二つモーター芯に対して対面方向に対して一つずらした位置に一つの297の二つ
の電磁石インバータ制御装置付きの303のモーター軸を介して、299の8個のコイル板の永久磁石を、304の高出力電磁石で連続回転させる事の出来る装置。  
更に、304の高出力電磁石は、300の超薄型複数穴空きステンレス板と293の超薄型軽水素トリチウム電子入り圧電素子磁石体装置を交互に貼り合わせた永久磁石に164の銅筒官
コイルの高出力コイル配線を巻いた304の高出力電磁石構造と卍形状を意味する外向きの永久磁石と、永久磁石と平行に二つの304の高出力電磁石によって、電気の消費を少な
くする為の、今までと異なったモーターコイル位置関係の図番号説明で有る。
従って、モーターの軸近くの金属としても、301のアルミニュームを、一部使用した超軽量モーター内永久磁石のモーター軸がだい装置の金属説明で有る。
【０１３４】
図38に於いては、304の高出力電磁石の307の銅筒官スクリューコイル配線は、軽水素トリチウム電子入り圧電素子磁石体内臓の307の銅筒官スクリュー状にした電気配線を、コ
イルとして巻いた装置で有る。
更に、304の高出力電磁石に軽水素トリチウム電子入り圧電素子磁石体粒子内蔵シリコンの電気熱発電シートを、被せたモーター内コイル。
【０１３５】
図39に於いては、318の循環発電充電池は、89の発電回路を、複数個絶縁体シートを介して重ね、4の圧電素子4電子磁気分割装置の世界最速充電装置を積載した312の軽水素ニ
ッケル充電池構造で有る。
【０１３６】
図40に於いては、292の高出力卍形状Ｄインバータモーターの303のモーター軸に取り付く301の複数穴空きアルミニュームモーター永久磁石接続板は、鋼鉄線入りの複数穴空き
アルミニューム板形状装置に成って入る。
【０１３７】
図41に於いては、332の銅筒官配線の軽水素トリチウム電子入り圧電素子磁石体内蔵の銅筒官配線の部分部分に、329のクリスタルガラス絶縁体を入れた330の高速高圧電気配線
の図説で有る。
【０１３８】
図42に於いては、北海道知事に、2009年9月27日昼頃の本特許文章の図面を送った時の先技術発明証拠図
【０１３９】
図43に於いては、北海道知事に、2009年9月27日夜の8時頃埼玉県から本発明の特許文章を送った時の先技術発明証拠図
【０１４０】
図44に於いては、民主党総理大臣宛てに2009年10月7日特許法改正依頼書を送った時の1ページ目の確認図
【０１４１】
図45に於いては、民主党総理大臣宛てに2009年10月7日特許法改正依頼書を送った時の2ページ目の確認図
【符号の説明】
【０１４２】
1   軽水素酸素陽電子陰電子スパーク発電装置  →別名→燃料電池発電機改良型 
2   2連振子型機械式発電機
3   軽水素酸素タンク            別名軽水素トリチウム電子入り酸素タンク
4   圧電素子4電子磁気分割装置 
5   高出力水中ポンプ
6   超小型遠心分離機内蔵コンプレッサー 
7   圧電素子微粒子軽水素トリチウム電子入りシリコン熱発電パネル 
8   圧電素子微粒子軽水素トリチウム電子入りシリコン熱発電パネル官 
9   軽水素酸素加速スクリュー官装置 
10  アルミニューム絶縁体
11  陽電子陰電子スパーク発電装置
12  陽電子プラス誘導配線
13  陰電子マイナス誘導配線
14  水吐き出し口
15  水分配加速スクリュー官高出力水中ポンプ
16  熱発電複数配線
17  水送り官
18  水中ポンプスクリュー
19  網目複数配管
20  網目配管
21  針穴
22  水分配装置
23  軽水素トリチウム電子入り圧電素子内臓鋼鉄官渦巻きリング
24  プラス磁石体
25  マイナス磁石体
26  7分割軽水素酸素配管穴装置
27  28分割軽水素酸素配管穴装置
28  102分割軽水素酸素配管穴装置
29  408分割軽水素酸素配管穴装置
30  軽水素トリチウム電子入り圧電素子磁石発電回路
31  軽水素トリウム電子入り圧電素子プラス磁石体
32  軽水素トリチウム電子入り圧電素子マイナス磁石体
33  超微粒子軽水素酸素発射口
34  陽電子陰電子スパーク増幅発電装置
35  通常プラス圧電素子電気打撃用電気
36  通常マイナス圧電素子電気打撃用電気
37  プラスリサイクル電気配線
38  マイナスリサイクル電気配線
39  穴空き銅板軽水素トリチウム入り圧電素子内臓電気磁気誘導体
40  横針穴超微粒子高速気化水スパーク発電後処理穴
41  軽水素酸素配管
42  陽電子陰電子スパーク発電残水複数穴通り口
43  絶縁金属板
44  プラス陽電子電気配線
45  マイナス陰電子電気配線
46  軽水素トリチウム電子入り圧電素子内臓渦巻き銅板装置
47  軽水素トリチウム電子入り圧電素子磁石
48  発電プラス電気取り込み配線
49  発電マイナス電気取り込み配線
50  貼り合わせ合成軽水素トリチウム電子入り磁石体
51  ステンレス超薄板
52  強いプラス電気
53  強いマイナス電気
54  複数穴空き銅板増幅プラス電気誘導体
55  複数穴空き銅板増幅マイナス電気誘導体
56  増幅プラス発電回路増幅電気引き込み配線
57  増幅マイナス発電回路増幅電気引き込み配線
58  軽水素トリチウム電子入り圧電素子プラス磁石体
59  軽水素トリチウム電子入り圧電素子マイナス磁石体
60  軽水素トリチウム電子入り圧電素子磁石体中央ライン線
61  高出力モーター
62  高出力モーターの軽水素トリチウム電子入り圧電素子磁石体
63  超薄型ステンレス板カバー
64  軽水素トリチウム電子入り圧電素子磁石体
65  複数穴空き超薄型圧電素子磁石体内臓ステンレス板
66  軽水素トリチウム入り圧電素子内蔵合わせステンレス板→合成永久磁石
67  複数層軽水素トリチウム電子入り圧電素子内臓超薄板重ねステンレス板磁石
68  組立解体用バッテリー
69  ニッケルブロックバッテリー充電金属
70  軽水素ニッケルバッテリー
71  電極棒ネジ
72  電極
73  バッテリー本体筒装置
74  ネジ型バッテリー蓋装置
75  軽水素トリチウム電子入り酸素内蔵水タンク装置
76  高出力電動モーター仕切り弁装置
77  軽水素酸素遠心分離機装置
78  軽水素取り出し口
79
酸素取り出し口
80  配管
81  軽水素残タンク
82  酸素タンク
83  ＤＣブラシレスレール高出力モーターホイスト
84  スクリュー高出力モーターホイスト
85  スクリューホイスト軸
86  スクリューホイストカバー
87  軽水素トリチウム電子
88  ＤＣブラシレス高出力レールモーター
89  発電回路
90  振り子永久磁石装置右
91  振り子永久磁石装置左
92  振子装置
93  電磁石反発装置右
94  電磁石反発装置左
95  インバータ装置
96  電気電子変換増幅装置
97  大型ゼンマイ装置
98  高出力ダイナモ
99  歯車
100 防火用水槽
101 室内温度調整用地下水槽タンク
102 加工シリコンビニール
103 免振杭床
104 布網入り強化ゴム
105 免振杭
106 カラープラスチックガラス入り化粧コンクリート
107 雨水貯水槽
108 ライト入りコンクリート床→カラーライト
109 加工地下水冷却中和剤入り人工石
110 固形窒素    その他の技術として、フロンガス入りシリコン及びフロンガス混合プラスチック用液固定材
111 グラスファイバー枠
112 石灰合成石
113 プラスチック糸重ね網穴空きグラスファイバーパネル
114 複数穴空きグラスファイバー板
115 固形窒素
116 石灰
117 砂板11内蔵スッポンジ穴空きグラスファイバーパネル
118 コロ電磁石反発免振装置
119 竹笹合成木材
120 再生木材建設廃棄木材
121 微量窒素石膏入り合成グラスファイバー木材芯
122 軽水素トリチウム電子入り圧電素子微粒子内蔵シリコン発電シート
123 免振用合成木材ガード金属アタッチメント装置
124 軽水素トリチウム電子入り部屋熱発電シート
125 ビニール圧重ねシート   他にゴム圧重ねシートまたは、スプリング入りビニール圧重ねシートが有る。
126 壁板パネル
127 金属パネル止め装置
128 組み込み壁板はがねスプリングパネル止め装置
129 ボルト止め穴装置
130 細ワイヤ
131 免振引っ張り金具グラスファイバーカバー
132 固形窒素入りゴム劣化防止ゴムビニールナイロン
133 スプリングはがね
134 カギポルト
135 三段ポルト
136 割ピン
137 ロックピンポルト割ピン
138 コンクリート土台取り付け部分
139 電磁石反発板装置
140 強化スプリング
141 免振玉
142 一戸建て木材建築土台取り付け金具
143 軽水素トリチウム入り圧電素子磁石体
144 鋼鉄球
145 免振玉走り溝
146 免振防犯発電窓ガラス戸
147 二枚合わせガラス
148 軽水素トリチウム入りシリコンダイオード網入りガラス
149 アルミニューム枠
150 縦反射板入り発電二枚合わせガラス
151 アルミニューム板防犯用デザイン穴空き文字切り抜き板
152 タッチ電磁石補助作動ドア
153 軽水素トリチウム電子入り圧電素子磁石
154 高出力電磁石
155 ローラー
156 電磁石
157 永久磁石
158 柱
159 電磁石鋼鉄板
160 エレベータードア
161 薄ステンレス板
162 軽水素トリチウム電子入り圧電素子磁石体粒子内蔵シリコン部屋熱発電シート
163 銅筒官
164 銅筒官コイル→別名高出力コイル配線
165 軽水素トリチウム電子入り圧電素子磁石体入りシリコンダイオード超微粒子電気配線
166 一戸建てエレベーター装置
167 エレベーターミッションモーター歯車
168 穴空き空洞歯車
169 歯車軸
170 最新型高出力ＤＣブラシレスレールインバータ制御モーター
171 絶縁金属
172 通常ダイナモ
173 軽水素トリチウム電子入り圧電素子磁石体
174 高出力ダイナモ軸固定金属装置
175 正方形金属部分
176 エレベーターワイヤ部分
177 三重構造ワイヤ
178 スプリングはがね金属
179 十字網ワイヤ部分
180 通常ワイヤ
181 免振柱金具ポルトナット棒引っ張り装置取り付け口
182 強化ビニール取り付け部分
183 強化ビニール部分
184 木材方向
185 水車型発電装置
186 スクリュー雨どい配管
187 雨どい水取り入れ口装置
188 湯熱発電防護プラスチックパネル
189 軽水素トリチウム電子入り圧電素子磁石体粒子内蔵シリコン湯熱発電パネル
190 湯抜き弁
191 ナット型複数カラー色デザインセラミックカバー装置
192 内側湯熱発電パネル防護パネル
193 風呂桶銅ステンレス合金浴槽  
194 真空装置湯水濾過装置
195 スクリュー湯熱発電官
196 風呂残り水
197 台所排水水
198 高出力電動モーター仕切り弁装置
199 水位センサー
200 スクリュー配管
201 超小型遠心分離機水素酸素分別機
202 噴水装置
203 生活排水瞬間濾過装置水濾過水部屋洗浄用噴水スクリュー官シャワー装置
204 高出力真空装置
205 生活排水瞬間濾過装置
206 軽水素ニッケル地下バッテリー装置
207 水道本官発電スクリュー官
208 排泄物撹拌スクリュー装置
209 スクリュー排出官
210 スクリュー水水車高出力ダイナモ発電装置
211 真空トイレ
212 濾過水→風呂残り水及び雨水の貯蓄水及び流し水の濾過水
213 複数歯車高出力モーターダイナモ真空装置
214 石灰炭素活性炭二重フイルター
215 電熱線沸騰水補助発電コンロ
216 テングステン内蔵ニクロム電熱線
217 水蒸気温度移動調整水タンク水位可変型装置
218 スクリュー官
219 電熱三重構造官
220 テングステン金属線
221 ニクロム線金属
222 軽水素酸素水官
223 軽水素トリチウム電子入りシリコン熱発電パネル
224 軽水素酸素水の中高温スクリュー蒸気発電装置
225 高出力電動モーター仕切り弁装置
226 渦巻き電気コンロダブル熱使用コンロ
227 スクリュー水回転用蒸気プロペラ発電水車板
228 夏冬交換用床壁用パネル装置
229 スクリュービニール内蔵配管
230 床暖発電パネル
231 床暖官取り付け口
232 糸入りビニールプラスチック床暖パネル板取付装置
233 取り換え用ボルト穴ナット
234 真空層
235 絶縁体陶器粒子入りゴム
236 軽水素トリチウム電子入りシリコン床暖熱発電パネル装置
237 合成木材パネル及び竹笹合成木材パネル装置
238 固形窒素冷却材入りパネル
239 取り換え用ボルトナット穴
240 軽水素トリチウム電子入り発光ダイオードライト玉接続コンセント→交換用
241 軽水素トリチウム電子入りライト取り付け金具
242 軽水素トリチウム電子入りシリコンガラス発電網装置
243 二枚合わせガラス
244 ＬＥＤ素子
245 軽水素トリチウム電子入り発光ダイオードライト玉
246 金線
247 圧電素子陽電子磁石体
248 圧電素子陰電子磁石体
249 圧電素子陽電子中間磁石体
250 圧電素子陰電子中間磁石体
251 電気抵抗の無いプラス電気
252 電気抵抗の無いマイナス電気
253 通常プラス引き込み電気配線
254 通常マイナス引き込み電気配線
255 プラスリサイクル電気配線
256 マイナスリサイクル電気配線
257 セラミック又は陶器ガラス絶縁体→陶器粒入りガラス→ガラス粒入り陶器
258 銅板電子電極電気配線
259 ソーラー電気→他の電気
260 売電及び蓄電
261 軽水素トリチウム電子入り圧電素子微粒子内蔵シリコンソーラーパネル装置
262 花壇
263 玄関いり口
264 雨どい
265 防犯用発電ガラス窓
266 重量軽センサー
267 スプリング
268 軽水素トリチウム電子入り圧電素子微粒子内蔵シリコン発電シート貼り付けレンガパネル
269 軽水素トリチウム電子入りシリコン発電塗料
270 多機能発電型ハウス
271 穴空きグラスファイバーパネル木材板穴空きパネル
272 雨水貯水タンク室グラスファイバーパネル貯水槽
273 電磁石反発コロ免振鉄筋コンクリート基礎
274 生活排水処理水貯蓄水槽
275 再生コンクリート採石
276 スッポンシ゛地下水貯蓄装置
277 土または岩盤
278 一戸建て建造物
279 世界初軽水素酸素陽電子陰電子スパーク発電機→無補給型
280 高出力ソーラーパネル→急速発電装置
281 固形窒素グラスファイバー劣化防止カバー
282 渦巻きスプリング入りグラスファイバー装置部分
283 立体グラスファイバープラスチックゴムまたはビニール
284 木材芯
285 再生プラスチックゴムまたは再生プラスチックビニール
286 グラスファイバー
287 合成ビニール竹チップ木材チップ合成杭→再生木材チップ及び再生竹材チップ→再生ゴムチップ→再生プラスチックチップ
288 手動スクリュー官仕切り弁装置
289 複数歯車
290 大型ゼンマイ装置
291 スクリュー官水圧エアー圧力貯蓄タンク弁装置
292 高出力卍形状インバータモーター
293 超薄型軽水素トリチウム電子入り圧電素子コイル電磁石体装置
294 プラススクリュー磁気電気配線
295 マイナススクリュー磁気電気配線
296 スクリュー磁気電気発生装置
297 インバータ装置
298 モーター内コイル
299 8個コイル板
300 複数穴空きステンレス板
301 複数穴空きアルミニュームモーター永久磁石接続板
302 卍形状コイル板
303 モーター軸
304 高出力電磁石
305 軽水素トリチウム電子入り圧電素子磁石体プラス磁極
306 通常プラス電気
307 銅筒官スリューコイル配線→高出力軽水素トリチウム電子入り圧電素子磁石体電気配線
308 モーター用発電循環充電池
309 発電回路プラス電気→プラス電気打撃配線
310 発電回路マイナス電気→マイナス電気打撃配線
311 軽水素ニッケル充電池
312 ニッケルブロック
313 圧電素子中間線→圧電素子4電子磁気分割装置
314 銅正方形柱型スクリュー配線→電気スピードを速くする配線
315 軽水素トリチウム電子入り圧電素子
316 増幅プラス電気
317 増幅マイナス電気
318 循環発電充電池
319 モーター回転体装置
320 軽量複数穴空きコイル板
321 モーター外枠
322 ヒョウタン形状コイル複数穴空き超薄型ステンレスコイル装置
323 液体マグネシウム内臓型複数針穴空き軽水素トリチウム電子入り圧電素子磁石体パネル
324 固定突起物
325 切り抜き絵ドア
326 水車板トイレ用
327 高出力ダイナモトイレ用
328 高速電圧配線
329 クリスタルガラス絶縁体
330 高速高圧電気
331 軽水素トリチウム電子入り圧電素子磁石体粒子電気配線
332 銅筒官電気配線
333 通常電気
334 地下貯蓄水タンク
335 調整ポルト棒金具
336 遊び金具    免振引っ張り金具の遊び付き固定装置
337 二重追い炊き電熱線→外側が、222の軽水素酸素水官のテングステン内蔵のニクロム線金属板で有り、中央部分は、テングステン内蔵ニクロム線の追い炊き電熱線金属
338 軽水素酸素水タンク
339 熱発電反射板装置
340 計水素トリチウム電子入り圧電素子磁石体粒子内蔵電気熱発電シート
【図１】
2011064060.tif 000003
【図２】
2011064060.tif 000004
【図３】
2011064060.tif 000005
【図４】
2011064060.tif 000006
【図５】
2011064060.tif 000007
【図６】
2011064060.tif 000008
【図７】
2011064060.tif 000009
【図８】
2011064060.tif 000010
【図９】
2011064060.tif 000011
【図１０】
2011064060.tif 000012
【図１１】
2011064060.tif 000013
【図１２】
2011064060.tif 000014
【図１３】
2011064060.tif 000015
【図１４】
2011064060.tif 000016
【図１５】
2011064060.tif 000017
【図１６】
2011064060.tif 000018
【図１７】
2011064060.tif 000019
【図１８】
2011064060.tif 000020
【図１９】
2011064060.tif 000021
【図２０】
2011064060.tif 000022
【図２１】
2011064060.tif 000023
【図２２】
2011064060.tif 000024
【図２３】
2011064060.tif 000025
【図２４】
2011064060.tif 000026
【図２５】
2011064060.tif 000027
【図２６】
2011064060.tif 000028
【図２７】
2011064060.tif 000029
【図２８】
2011064060.tif 000030
【図２９】
2011064060.tif 000031
【図３０】
2011064060.tif 000032
【図３１】
2011064060.tif 000033
【図３２】
2011064060.tif 000034
【図３３】
2011064060.tif 000035
【図３４】
2011064060.tif 000036
【図３５】
2011064060.tif 000037
【図３６】
2011064060.tif 000038
【図３７】
2011064060.tif 000039
【図３８】
2011064060.tif 000040
【図３９】
2011064060.tif 000041
【図４０】
2011064060.tif 000042
【図４１】
2011064060.tif 000043
【図４２】
2011064060.tif 000044
【図４３】
2011064060.tif 000045
【図４４】
2011064060.tif 000046
【図４５】
2011064060.tif 000047